(57)【特許請求の範囲】
【請求項１】
第１のネットワーク側デバイスであって、
ユーザ機器（ＵＥ）のデータ・サービス・スイッチの状態を判定するように構成された判定ユニットであって、前記ＵＥは、すでにネットワークに登録されたユーザ機器であり、前記データ・サービス・スイッチの前記状態は、前記データ・サービス・スイッチがオンになっていること、又は前記データ・サービス・スイッチがオフになっていることを含む、判定ユニットと、
前記判定ユニットが前記ＵＥの前記データ・サービス・スイッチがオフになっていると判定した場合、第１の通知メッセージを第２のネットワーク側デバイスに送信するように構成された第１の送信ユニットであって、前記第１の通知メッセージは第１の命令情報及び前記ＵＥの識別情報を含み、前記第１の命令情報は、前記第２のネットワーク側デバイスを通って流れる前記ＵＥのデータ・パケットに対する課金を省略するように前記第２のネットワーク側デバイスに命令するために使用され、前記ＵＥの前記データ・パケットは、ダウンリンク・データ・パケット、又はアップリンク・データ・パケット及びダウンリンク・データ・パケットを含む、第１の送信ユニットとを含む、
第１のネットワーク側デバイス。
【請求項２】
前記第１のネットワーク側デバイスが、
前記第２のネットワーク側デバイスによって前記ＵＥに送信されたダウンリンク・データ・パケットを受信するように構成された第１の受信ユニットと、
前記判定ユニットが前記ＵＥの前記データ・サービス・スイッチがオフになっていると判定した場合に、前記第１の受信ユニットが、前記第２のネットワーク側デバイスによって前記ＵＥに送信された前記ダウンリンク・データ・パケットを受信すると、インターネット・プロトコル（ＩＰ）管理に使用される前記ダウンリンク・データ・パケットを前記ＵＥに送信し、ＩＰ管理に使用される前記ダウンリンク・データ・パケット以外の前記ダウンリンク・データ・パケットを破棄するように構成された第２の送信ユニットと、をさらに備える請求項１に記載の第１のネットワーク側デバイス。
【請求項３】
前記第１の送信ユニットがさらに、
前記判定ユニットが前記ＵＥの前記データ・サービス・スイッチがオフになっていると判定した場合、第２の通知メッセージを前記第２のネットワーク側デバイスに送信するように構成され、前記第２の通知メッセージは第２の命令情報及び前記ＵＥの前記識別情報を含み、前記第２の命令情報は、ポリシー及び課金規則機能（ＰＣＲＦ）を使用して、データ・サービスを提供するサーバに前記ＵＥへの前記ダウンリンク・データ・パケットの送信を中止するように通知することを、前記第２のネットワーク側デバイスに命令するために使用される、請求項１又は２に記載の第１のネットワーク側デバイス。
【請求項４】
前記第１の送信ユニットがさらに、前記第１の通知メッセージを前記第２のネットワーク側デバイスに送信した後に、前記判定ユニットが前記ＵＥの前記データ・サービス・スイッチがオンになっていると判定した場合、第３の通知メッセージを前記第２のネットワーク側デバイスに送信するように構成され、前記第３の通知メッセージは第３の命令情報及び前記ＵＥの前記識別情報を含み、前記第３の命令情報は、前記第２のネットワーク側デバイスを通って流れる前記ＵＥの前記データ・パケットに対して課金するように前記第２のネットワーク側デバイスに命令するために使用される、請求項１に記載の第１のネットワーク側デバイス。
【請求項５】
前記第２の送信ユニットがさらに、ＩＰ管理に使用される前記ダウンリンク・データ・パケットを前記ＵＥに送信し、ＩＰ管理に使用される前記ダウンリンク・データ・パケット以外の前記ダウンリンク・データ・パケットを破棄した後、前記判定ユニットが前記ＵＥの前記データ・サービス・スイッチがオンになっていると判定した場合に、前記第１の受信ユニットが前記第２のネットワーク側デバイスによって前記ＵＥに送信された前記ダウンリンク・データ・パケットを受信すると、前記ダウンリンク・データ・パケットを前記ＵＥに送信するように構成される、請求項２に記載の第１のネットワーク側デバイス。
【請求項６】
前記第１の送信ユニットがさらに、前記第２の通知メッセージを前記第２のネットワーク側デバイスに送信した後に、前記判定ユニットが前記ＵＥの前記データ・サービス・スイッチがオンになっていると判定した場合、第４の通知メッセージを前記第２のネットワーク側デバイスに送信するように構成され、前記第４の通知メッセージは第４の命令情報及び前記ＵＥの前記識別情報を含み、前記第４の命令情報は、前記データ・サービスの提供元の前記サーバに前記ＵＥへの前記ダウンリンク・データ・パケットの送信を再開するように前記ＰＣＲＦを使用して通知することを、前記第２のネットワーク側デバイスに命令するために使用される、請求項３に記載の第１のネットワーク側デバイス。
【請求項７】
前記第１のネットワーク側デバイスが、
前記ＵＥから送信されたアップリンク・データ・パケットを受信するように構成された第２の受信ユニットをさらに備え、
前記判定ユニットが具体的には、
前記第２の受信ユニットが、前記ＵＥによって送信された前記アップリンク・データ・パケットを事前に設定された継続時間内に受信するかどうかを判定し、前記事前に設定された継続時間は、前記ＵＥのハートビート・パケット間隔の継続時間以上であり、
前記第２の受信ユニットが、前記ＵＥによって送信された前記アップリンク・データ・パケットを前記事前に設定された継続時間内に受信しない場合、前記ＵＥの前記データ・サービス・スイッチがオフになっていると判定し、
前記ＵＥの前記データ・サービス・スイッチがオフになっていると判定した後に、前記第２の受信ユニットが前記ＵＥから送信された前記アップリンク・データ・パケットを受信した場合、前記ＵＥの前記データ・サービス・スイッチがオンになっていると判定する、ように構成される、請求項１から６のいずれか１項に記載の第１のネットワーク側デバイス。
【請求項８】
計時ユニットをさらに備え、前記計時ユニットが、
前記第２の受信ユニットが前記ＵＥによって送信された前記アップリンク・データ・パケットを前記事前に設定された継続時間内に受信した場合、前記事前に設定された継続時間の計時が終了した後に、前記事前に設定された継続時間の計時を再度開始するか、又は、
前記第２の受信ユニットが前記ＵＥによって送信された前記アップリンク・データ・パケットを前記事前に設定された継続時間内に受信した場合、前記ＵＥによって送信された前記アップリンク・データ・パケットを受信した時に、前記事前に設定された継続時間の計時を再度開始する、ように構成される請求項７に記載の第１のネットワーク側デバイス。
【請求項９】
第２のネットワーク側デバイスであって、
第１のネットワーク側デバイスによって送信された第１の通知メッセージを受信するように構成された受信ユニットであって、前記第１の通知メッセージは、前記第１のネットワーク側デバイスがユーザ機器（ＵＥ）のデータ・サービス・スイッチがオフになっていると判定すると、当該第２のネットワーク側デバイスに送信され、前記第１の通知メッセージは第１の命令情報及び前記ＵＥの識別情報を含み、前記第１の命令情報は、当該第２のネットワーク側デバイスを通って流れる前記ＵＥのデータ・パケットに対する課金を省略するように当該第２のネットワーク側デバイスに命令するために使用され、前記ＵＥの前記データ・パケットは、ダウンリンク・データ・パケット、又はアップリンク・データ・パケット及びダウンリンク・データ・パケットを含む、受信ユニットと、
前記受信ユニットによって受信された前記第１の通知メッセージに従って、当該第２のネットワーク側デバイスを通って流れる前記ＵＥの前記データ・パケットに対する課金を省略するように構成された課金ユニットとを含む、
第２のネットワーク側デバイス。
【請求項１０】
第１のネットワーク側デバイスに適用されて、データ・サービスを実装する方法であって、
ユーザ機器（ＵＥ）のデータ・サービス・スイッチの状態を判定するステップであって、前記ＵＥは、すでにネットワークに登録されたユーザ機器であり、前記データ・サービス・スイッチの前記状態は、前記データ・サービス・スイッチがオンになっていること、又は前記データ・サービス・スイッチがオフになっていることを含む、判定するステップと、
前記ＵＥの前記データ・サービス・スイッチがオフになっている場合、第１の通知メッセージを第２のネットワーク側デバイスに送信するステップとを含み、前記第１の通知メッセージは第１の命令情報及び前記ＵＥの識別情報を含み、前記第１の命令情報は、前記第２のネットワーク側デバイスを通って流れる前記ＵＥのデータ・パケットに対する課金を省略するように前記第２のネットワーク側デバイスに命令するために使用され、前記ＵＥの前記データ・パケットは、ダウンリンク・データ・パケット、又はアップリンク・データ・パケット及びダウンリンク・データ・パケットを含む、
方法。
【請求項１１】
前記ＵＥの前記データ・サービス・スイッチがオフになっている場合に、前記第２のネットワーク側デバイスから前記ＵＥに送信されたダウンリンク・データ・パケットを受信すると、インターネット・プロトコル（ＩＰ）管理に使用される前記ダウンリンク・データ・パケットを前記ＵＥに送信し、ＩＰ管理に使用される前記ダウンリンク・データ・パケット以外の前記ダウンリンク・データ・パケットを破棄するステップをさらに含む、請求項１０に記載の方法。
【請求項１２】
前記ＵＥの前記データ・サービス・スイッチがオフになっている場合、第２の通知メッセージを前記第２のネットワーク側デバイスに送信するステップをさらに含み、前記第２の通知メッセージは第２の命令情報及び前記ＵＥの前記識別情報を含み、前記第２の命令情報は、ポリシー及び課金規則機能（ＰＣＲＦ）を使用して前記データ・サービスを提供するサーバに前記ＵＥへの前記ダウンリンク・データ・パケットの送信を中止するように通知することを、前記第２のネットワーク側デバイスに命令するために使用される、請求項１０又は１１に記載の方法。
【請求項１３】
第１の通知メッセージを第２のネットワーク側デバイスに送信する前記ステップの後、
前記ＵＥの前記データ・サービス・スイッチがオンにされた場合、第３の通知メッセージを前記第２のネットワーク側デバイスに送信するステップをさらに含み、前記第３の通知メッセージは第３の命令情報及び前記ＵＥの前記識別情報を含み、前記第３の命令情報は、前記第２のネットワーク側デバイスを通って流れる前記ＵＥの前記データ・パケットに対して課金するように前記第２のネットワーク側デバイスに命令するために使用される、請求項１０に記載の方法。
【請求項１４】
ＩＰ管理に使用される前記ダウンリンク・データ・パケットを前記ＵＥに送信し、ＩＰ管理に使用される前記ダウンリンク・データ・パケット以外の前記ダウンリンク・データ・パケットを破棄する前記ステップの後に、
前記ＵＥの前記データ・サービス・スイッチがオンになっている場合に、前記第２のネットワーク側デバイスによって前記ＵＥに送信された前記ダウンリンク・データ・パケットを受信すると、前記ダウンリンク・データ・パケットを前記ＵＥに送信するステップをさらに含む、請求項１１に記載の方法。
【請求項１５】
第２の通知メッセージを前記第２のネットワーク側デバイスに送信する前記ステップの後に、
前記ＵＥの前記データ・サービス・スイッチがオンにされた場合、第４の通知メッセージを前記第２のネットワーク側デバイスに送信するステップをさらに含み、前記第４の通知メッセージは第４の命令情報及び前記ＵＥの前記識別情報を含み、前記第４の命令情報は、前記データ・サービスの提供元の前記サーバに前記ＵＥへの前記ダウンリンク・データ・パケットの送信を再開するように前記ＰＣＲＦを使用して通知することを、前記第２のネットワーク側デバイスに命令するために使用される、請求項１２に記載の方法。
【請求項１６】
ＵＥのデータ・サービス・スイッチの状態を判定する前記ステップが、
前記ＵＥによって送信されたアップリンク・データ・パケットが、事前に設定された継続時間内に受信されるかどうかを判定するステップであって、前記事前に設定された継続時間は、前記ＵＥのハートビート・パケット間隔の継続時間以上である、判定するステップと、
前記ＵＥから送信された前記アップリンク・データ・パケットが前記事前に設定された継続時間内に受信されない場合、前記ＵＥの前記データ・サービス・スイッチがオフになっていると判定するステップと、
前記ＵＥの前記データ・サービス・スイッチがオフになっていると判定した後に、前記ＵＥから送信された前記アップリンク・データ・パケットが受信された場合、前記ＵＥの前記データ・サービス・スイッチがオンになっていると判定するステップと、をさらに含む、請求項１０から１５のいずれか１項に記載の方法。
【請求項１７】
前記ＵＥから送信された前記アップリンク・データ・パケットが前記事前に設定された継続時間内に受信された場合、前記事前に設定された継続時間の計時が終了した後に、前記事前に設定された継続時間の計時を再度開始するステップ、又は、
前記ＵＥから送信された前記アップリンク・データ・パケットが前記事前に設定された継続時間内に受信された場合、前記ＵＥから送信された前記アップリンク・データ・パケットを受信した時に、前記事前に設定された継続時間の計時を再度開始するステップをさらに含む、請求項１６に記載の方法。
【請求項１８】
第２のネットワーク側デバイスに適用されて、データ・サービスを実装する方法であって、
第１のネットワーク側デバイスによって送信された第１の通知メッセージを受信するステップであって、前記第１の通知メッセージは、前記第１のネットワーク側デバイスがユーザ機器（ＵＥ）のデータ・サービス・スイッチがオフになっていると判定すると、前記第２のネットワーク側デバイスに送信され、前記第１の通知メッセージは第１の命令情報及び前記ＵＥの識別情報を含み、前記第１の命令情報は、前記第２のネットワーク側デバイスを通って流れる前記ＵＥのデータ・パケットに対する課金を省略するように前記第２のネットワーク側デバイスに命令するために使用され、前記ＵＥの前記データ・パケットは、ダウンリンク・データ・パケット、又はアップリンク・データ・パケット及びダウンリンク・データ・パケットを含む、受信するステップと、
前記第１の通知メッセージに従って、前記第２のネットワーク側デバイスを通って流れる前記ＵＥの前記データ・パケットに対する課金を省略するステップとを含む、
方法。
【請求項１９】
プログラムが記録されているコンピュータ読み取り可能な記憶媒体であって、前記プログラムは、コンピュータに、請求項１０乃至１８のいずれかに記載の方法を実行させる、コンピュータ読み取り可能な記憶媒体。
【請求項２０】
１つ又は複数のコンピュータ実行可能な命令を含むコンピュータ・プログラムであって、前記１つ又は複数のコンピュータ実行可能な命令は、第１のネットワーク側デバイスのプロセッサで実行されると、前記第１のネットワーク側デバイスに、データ・サービスを実装する方法を実行させ、前記方法は、
ユーザ機器（ＵＥ）のデータ・サービス・スイッチの状態を判定するステップであって、前記ＵＥは、すでにネットワークに登録されているユーザ機器であり、前記データ・サービス・スイッチの前記状態は、前記データ・サービス・スイッチがオンになっていること、又は前記データ・サービス・スイッチがオフになっていることを含む、ステップと、
前記ＵＥの前記データ・サービス・スイッチがオフになっている場合に、第１の通知メッセージを第２のネットワーク側デバイスに送信するステップであって、前記第１の通知メッセージは、第１の命令情報及び前記ＵＥの識別情報を含み、前記第１の命令情報は、前記第２のネットワーク側デバイスを通って流れる前記ＵＥのデータ・パケットに対する課金を省略するように前記第２のネットワーク側デバイスに命令するのに使用され、前記ＵＥの前記データ・パケットは、ダウンリンク・データ・パケットを含むか、又はアップリンク・データ・パケット及びダウンリンク・データ・パケットを含む、ステップと、を含む、
コンピュータ・プログラム。
【請求項２１】
１つ又は複数のコンピュータ実行可能な命令を含むコンピュータ・プログラムであって、前記１つ又は複数のコンピュータ実行可能な命令は、第２のネットワーク側デバイスのプロセッサで実行されると、前記第２のネットワーク側デバイスに、データ・サービスを実装する方法を実行させ、前記方法は、
第１のネットワーク側デバイスによって送信された第１の通知メッセージを受信するステップであって、前記第１の通知メッセージは、前記第１のネットワーク側デバイスが、ユーザ機器（ＵＥ）のデータ・サービス・スイッチがオフになっていると判定すると、前記第２のネットワーク側デバイスに送信され、前記第１の通知メッセージは、第１の命令情報及び前記ＵＥの識別情報を含み、前記第１の命令情報は、前記第２のネットワーク側デバイスを通って流れる前記ＵＥのデータ・パケットに対する課金を省略するように前記第２のネットワーク側デバイスに命令するのに使用され、前記ＵＥの前記データ・パケットは、ダウンリンク・データ・パケットを含むか、又はアップリンク・データ・パケット及びダウンリンク・データ・パケットを含む、ステップと、
前記第１の通知メッセージに従って、前記第２のネットワーク側デバイスを通って流れる前記ＵＥの前記データ・パケットに対する課金を省略するステップと、を含む、
コンピュータ・プログラム。
【発明の詳細な説明】
【技術分野】
【０００１】
本発明は、通信技術の分野に関し、詳細には、データ・サービスを実装するためのデバイス及び方法に関する。
【背景技術】
【０００２】
ロング・ターム・エボリューション（Ｌｏｎｇ  Ｔｅｒｍ  Ｅｖｏｌｕｔｉｏｎ，ＬＴＥ）は、主流となっている通信技術である。第２世代（Ｓｅｃｏｎｄ  Ｇｅｎｅｒａｔｉｏｎ，２Ｇ）及び第３世代（３ｒｄ−Ｇｅｎｅｒａｔｉｏｎ，３Ｇ）のネットワークと比較すると、ＬＴＥは、より高い速度でデータ・サービスを提供することができる。
【０００３】
ＬＴＥのデータ・サービスでは、様々なデータ・サービスのデータ・パケットのアップリンク又はダウンリンク送信は、ユーザ機器（Ｕｓｅｒ  Ｅｑｕｉｐｍｅｎｔ，ＵＥ）から、アクセス・ネットワーク、そしてコア・ネットワーク、外部のパケット・データ・ネットワーク（Ｐａｃｋｅｔ  Ｄａｔａ  Ｎｅｔｗｏｒｋ，ＰＤＮ）までの間に確立されるデータ送信チャネルで行われる。データ送信チャネルは、一般に、デフォルト・ベアラ、又は専用ベアラ、又はＰＤＮ接続である。
【０００４】
ユーザの誤操作や悪意あるソフトウェアなどの要因によって発生する不必要なデータ使用の損失を回避するために、データ・サービス・スイッチが大半のＵＥに設置されており、それを使用してＵＥのデータ・サービス機能を有効化又は無効化する。ユーザがデータ・サービスを行う必要がない時は、このスイッチをオフにすることができる。ユーザがデータ・サービスを行う必要がある時は、このスイッチをオンにすることができる。
【０００５】
ＵＥでは、データ・サービス・スイッチをオフにすることは、一般に、ネットワーク側へのデータ・パケットの送信を禁止するためのソフトウェア方法又はハードウェア方法を使用して実装される。したがって、ユーザがＵＥのデータ・サービス・スイッチをオフにすると、ＵＥ上のすべてのデータ・サービスのアップリンク・データ・パケットの送信が中止される。しかし、ネットワーク側から送信されたダウンリンクのデータ・パケット（例えば、データ・サービス・スイッチがオフにされる前に完全にはダウンロードされないデータ・パケット、又はプッシュ・サービスのデータ・パケット）は、依然としてＵＥへのデータ送信チャネルで搬送される。
【発明の概要】
【０００６】
上述のデータ・サービス・スイッチをオフにする実装方法では、本発明者らは、従来技術には少なくとも次の問題があることを見出している。すなわち、ＵＥのデータ・サービス・スイッチがオフにされると、アップリンクのデータ・パケットのみを中止することができ、ＵＥに対してアップリンクのデータ使用料は発生しない。しかし、ダウンリンクのデータ・パケットは依然として送信され、ＵＥに対して不必要なデータ使用料が発生する可能性があり、データ使用の無駄という問題が生じる。
【０００７】
本発明の実装形態は、データ・サービスを実装するためのデバイス及び方法を提供し、それにより、ＵＥのデータ・サービス・スイッチがオフにされた後に不必要なデータ使用料の発生を回避し、さらにデータ使用の無駄を回避する。
【０００８】
上述の目的を達成するために、以下の技術的解決法が本発明の実装形態で採用される。
【０００９】
第１の態様によれば、第１のネットワーク側デバイスが提供され、この第１のネットワーク側デバイスは、
ＵＥのデータ・サービス・スイッチの状態を判定するように構成された判定ユニットであって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定ユニットと、
判定ユニットがＵＥのデータ・サービス・スイッチがオフになっていると判定した場合、第１の通知メッセージを第２のネットワーク側デバイスに送信するように構成された第１の送信ユニットであって、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、第１の送信ユニットとを含む。
【００１０】
第１の態様に関連して、第１の態様の第１の可能な実装方式では、第１のネットワーク側デバイスは、
第２のネットワーク側デバイスによってＵＥに送信されたダウンリンク・データ・パケットを受信するように構成された第１の受信ユニットと、
判定ユニットがＵＥのデータ・サービス・スイッチがオフになっていると判定した場合に、第１の受信ユニットが、第２のネットワーク側デバイスによってＵＥに送信されたダウンリンク・データ・パケットを受信すると、ＩＰ（Ｉｎｔｅｒｎｅｔ  Ｐｒｏｔｏｃｏｌ，ＩＰ）管理に使用されるダウンリンク・データ・パケットをＵＥに送信し、ＩＰ管理に使用されるダウンリンク・データ・パケット以外のダウンリンク・データ・パケットを破棄するように構成された第２の送信ユニットと、をさらに備える。
【００１１】
第１の態様又は第１の態様の第１の可能な実装方式に関連して、第１の態様の第２の可能な実装方式では、第１の送信ユニットはさらに、
判定ユニットがＵＥのデータ・サービス・スイッチがオフになっていると判定した場合、第２の通知メッセージを第２のネットワーク側デバイスに送信するように構成され、第２の通知メッセージは第２の命令情報及びＵＥの識別情報を含み、第２の命令情報は、ポリシー及び課金規則機能ユニット（Ｐｏｌｉｃｙ  ａｎｄ  Ｃｈａｒｇｉｎｇ  Ｒｕｌｅｓ  Ｆｕｎｃｔｉｏｎ，ＰＣＲＦ）を使用して、データ・サービスを提供するサーバに、UEへのダウンリンク・データ・パケットの送信を中止するように通知することを、第２のネットワーク側デバイスに命令するために使用される。
【００１２】
第１の態様に関連して、第１の態様の第３の可能な実装方式では、
第１の送信ユニットはさらに、第１の通知メッセージを第２のネットワーク側デバイスに送信した後に、判定ユニット１０１がＵＥのデータ・サービス・スイッチがオンになっていると判定した場合、第３の通知メッセージを第２のネットワーク側デバイスに送信するように構成され、第３の通知メッセージは第３の命令情報及びＵＥの識別情報を含み、第３の命令情報は、第２のネットワーク側デバイスを通って流れるＵＥのデータ・パケットに対して課金するように第２のネットワーク側デバイスに命令するために使用される。
【００１３】
第１の態様の第１の可能な実装方式に関連して、第１の態様の第４の可能な実装方式では、
第２の送信ユニットはさらに、ＩＰ管理に使用されるダウンリンク・データ・パケットをＵＥに送信し、ＩＰ管理に使用されるダウンリンク・データ・パケット以外のダウンリンク・データ・パケットを破棄した後、判定ユニットがＵＥのデータ・サービス・スイッチがオンになっていると判定した場合に、第１の受信ユニットが第２のネットワーク側デバイスによってＵＥに送信されたダウンリンク・データ・パケットを受信すると、そのダウンリンク・データ・パケットをＵＥに送信するように構成される。
【００１４】
第１の態様の第２の可能な実装方式に関連して、第１の態様の第５の可能な実装方式では、
第１の送信ユニットはさらに、第２の通知メッセージを第２のネットワーク側デバイスに送信した後に、判定ユニットがＵＥのデータ・サービス・スイッチがオンになっていると判定した場合、第４の通知メッセージを第２のネットワーク側デバイスに送信するように構成され、第４の通知メッセージは第４の命令情報及びＵＥの識別情報を含み、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【００１５】
第１の態様、又は第１の態様の第１の可能な実装方式から第１の態様の第５の可能な実装方式のいずれか１つに関連して、第１の態様の第６の可能な実装方式では、第１のネットワーク側デバイスは、
ＵＥから送信されたアップリンク・データ・パケットを受信するように構成された第２の受信ユニットをさらに備え、
判定ユニットは、具体的には、
第２の受信ユニットが、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信ユニットが、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信ユニットがＵＥから送信されたアップリンク・データ・パケットを受信した場合、ＵＥのデータ・サービス・スイッチがオンになっていると判定する、ように構成される。
【００１６】
第１の態様の第６の可能な実装方式に関連して、第１の態様の第７の可能な実装方式では、第１のネットワーク側デバイスは計時ユニットをさらに備え、この計時ユニットは、
第２の受信ユニットがＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信ユニットがＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【００１７】
第２の態様によれば、第２のネットワーク側デバイスが提供され、この第２のネットワーク側デバイスは、
第１のネットワーク側デバイスによって送信された第１の通知メッセージを受信するように構成された受信ユニットであって、第１の通知メッセージは、第１のネットワーク側デバイスがＵＥのデータ・サービス・スイッチがオフになっていると判定すると、第２のネットワーク側デバイスに送信され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、受信ユニットと、
受信ユニットによって受信された第１の通知メッセージに従って、第２のネットワーク側デバイスを通って流れるＵＥのデータ・パケットに対する課金を省略するように構成された課金ユニットとを含む。
【００１８】
第２の態様に関連して、第２の態様の第１の可能な実装方式では、課金ユニットは具体的には、
受信ユニットによって受信された第１の通知メッセージに従ってポリシー制御及び課金（Ｐｏｌｉｃｙ  Ｃｏｎｔｒｏｌ  ａｎｄ  Ｃｈａｒｇｉｎｇ，ＰＣＣ）ポリシーを無視し、第２のネットワーク側デバイスを通って流れるＵＥのデータ・パケットに対する課金を直接省略するように構成され、又は、
第２のネットワーク側デバイスが送信ユニットをさらに備え、この送信ユニットは、受信ユニットによって受信された第１の通知メッセージに従って第２の通知メッセージをＰＣＲＦに送信するように構成され、第２の通知メッセージは第２の命令情報及びＵＥの識別情報を含み、第２の命令情報は、事前に設定された非課金ＰＣＣポリシーをＵＥに使用するようにＰＣＲＦに命令するために使用される。
【００１９】
第２の態様又は第２の態様の第１の可能な実装方式に関連して、第２の態様の第２の可能な実装方式では、受信ユニットはさらに、
第１のネットワーク側デバイスによって送信された第３の通知メッセージを受信するように構成され、第３の通知メッセージは、第１のネットワーク側デバイスがＵＥのデータ・サービス・スイッチがオフになっていると判定すると第２のネットワーク側デバイスに送信され、第３の通知メッセージは第３の命令情報及びＵＥの識別情報を含み、第３の命令情報は、データ・サービスを提供するサーバにＵＥへのダウンリンク・データ・パケットの送信を中止するようにＰＣＲＦを使用して通知することを、第２のネットワーク側デバイスに命令するために使用され、
第２のネットワーク側デバイスは送信ユニットをさらに備え、この送信ユニットは、受信ユニットによって受信された第３の通知メッセージに従って第４の通知メッセージをＰＣＲＦに送信するように構成され、第４の通知メッセージは第４の命令情報及びＵＥの識別情報を含み、第４の命令情報は、データ・サービスを提供するサーバに、UEへのダウンリンク・データ・パケットの送信を中止するように通知することを、ＰＣＲＦに命令するために使用される。
【００２０】
第２の態様又は第２の態様の第１の可能な実装方式に関連して、第２の態様の第３の可能な実装方式では、受信ユニットはさらに、
第１のネットワーク側デバイスによって送信される第５の通知メッセージを受信するように構成され、第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイスに送信され、第５の通知メッセージは第５の命令情報及びＵＥの識別情報を含み、第５の命令情報は、第２のネットワーク側デバイスを通って流れるＵＥのデータ・パケットに対して課金するように第２のネットワーク側デバイスに命令するために使用され、
課金ユニットはさらに、受信ユニットによって受信された第５の通知メッセージに従って、第２のネットワーク側デバイスを通って流れるＵＥのデータ・パケットに対して課金するように構成される。
【００２１】
第２の態様の第３の可能な実装方式に関連して、第２の態様の第４の可能な実装方式では、課金ユニットは、具体的には、
無視したＰＣＣポリシーを使用して、受信ユニットによって受信された第５の通知メッセージに従って、第２のネットワーク側デバイスを通って流れるＵＥのデータ・パケットに対して課金するように構成され、又は、
送信ユニットはさらに、受信ユニットによって受信された第５の通知メッセージに従って第６の通知メッセージをＰＣＲＦに送信するように構成され、第６の通知メッセージは第６の命令情報及びＵＥの識別情報を含み、第６の命令情報は、事前に設定された課金ＰＣＣポリシーをＵＥに使用するようにＰＣＲＦに命令するために使用される。
【００２２】
第２の態様の第２の可能な実装方式に関連して、第２の態様の第５の可能な実装方式では、受信ユニットはさらに、
第１のネットワーク側デバイスによって送信された第７の通知メッセージを受信するように構成され、第７の通知メッセージは、第１のネットワーク側デバイスが第３の通知メッセージを送信した後に、第１のネットワーク側デバイスがＵＥのデータ・サービス・スイッチがオンになっていると判定した場合に、第２のネットワーク側デバイスに送信され、第７の通知メッセージは第７の命令情報及びＵＥの識別情報を含み、第７の命令情報は、データ・サービスを提供するサーバにＵＥへのダウンリンク・データ・パケットの送信を再開するようにＰＣＲＦを使用して通知することを、第２のネットワーク側デバイスに命令するために使用され、
送信ユニットはさらに、受信ユニットによって受信された第７の通知メッセージに従って第８の通知メッセージをＰＣＲＦに送信するように構成され、第８の通知メッセージは第８の命令情報及びＵＥの識別情報を含み、第８の命令情報は、データ・サービスを提供するサーバにＵＥへのダウンリンク・データ・パケットの送信を再開するように通知することを、ＰＣＲＦに命令するために使用される。
【００２３】
第３の態様によれば、第３のネットワーク側デバイスが提供され、この第３のネットワーク側デバイスは、
ＵＥのデータ・サービス・スイッチの状態を判定するように構成された判定ユニットであって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定ユニットと、
判定ユニットがＵＥのデータ・サービスがオフになっていると判定した場合、第３のネットワーク側デバイスを通って流れるＵＥのデータ・パケットに対する課金を省略するように構成された課金ユニットとを含む。
【００２４】
第３の態様に関連して、第３の態様の第１の可能な実装方式では、課金ユニットは具体的には、
ＰＣＣポリシーを無視し、第３のネットワーク側デバイスを通って流れるＵＥのデータ・パケットに対する課金を直接省略するように構成されるか、又は、
第３のネットワーク側デバイスが第１の送信ユニットをさらに備え、この第１の送信ユニットは、判定ユニットがＵＥのデータ・サービスがオフになっていると判定した場合、第１の通知メッセージをＰＣＲＦに送信するように構成され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【００２５】
第３の態様又は第３の態様の第１の可能な実装方式に関連して、第３の態様の第２の可能な実装方式では、第３のネットワーク側デバイスは、
データ・サービスを提供するサーバによってＵＥに送信されたダウンリンク・データ・パケットを受信するように構成された第１の受信ユニットと、
判定ユニットがＵＥのデータ・サービス・スイッチがオフになっていると判定した場合に、第１の受信ユニットが、データ・サービスを提供するサーバによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信ユニットとをさらに備える。
【００２６】
第３の態様、又は第３の態様の第１の可能な実装方式、又は第３の態様の第２の可能な実装方式に関連して、第３の態様の第３の可能な実装方式では、第３のネットワーク側デバイスは、
判定ユニットがＵＥのデータ・サービスがオフになっていると判定した場合、第２の通知メッセージをＰＣＲＦに送信するように構成された第１の送信ユニットをさらに備え、第２の通知メッセージは第２の命令情報及びＵＥの識別情報を含み、第２の命令情報は、データ・サービスを提供するサーバに、UEへのダウンリンク・データ・パケットの送信を中止するように通知することをＰＣＲＦに命令するために使用される。
【００２７】
第３の態様、又は第３の態様の第１の可能な実装方式に関連して、第３の態様の第４の可能な実装方式では、課金ユニットはさらに、
第３のネットワーク側デバイスを通って流れるＵＥのデータ・パケットに対する課金を省略した後、判定ユニットがＵＥのデータ・サービス・スイッチがオンになっていると判定した場合、第３のネットワーク側デバイスを通って流れるＵＥのデータ・パケットに対して課金するように構成される。
【００２８】
第３の態様の第４の可能な実装方式に関連して、第３の態様の第５の可能な実装方式では、課金ユニットは具体的には、
無視したＰＣＣポリシーを使用して、第３のネットワーク側デバイスを通って流れるＵＥのデータ・パケットに対して課金するように構成されるか、又は、
第１の送信ユニットがさらに、第３の通知メッセージをＰＣＲＦに送信するように構成され、第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【００２９】
第３の態様の第２の可能な実装方式に関連して、第３の態様の第６の可能な実装方式では、第２の送信ユニットはさらに、
ＩＰ管理に使用されるダウンリンク・データ・パケットをＵＥに送信し、ＩＰ管理に使用されるダウンリンク・データ・パケット以外のダウンリンク・データ・パケットを破棄した後、判定ユニットがＵＥのデータ・サービス・スイッチがオンになっていると判定した場合に、第１の受信ユニットが、データ・サービスを提供するサーバによってＵＥに送信されたダウンリンク・データ・パケットを受信すると、そのダウンリンク・データ・パケットをＵＥに送信するように構成される。
【００３０】
第３の態様の第３の可能な実装方式に関連して、第３の態様の第７の可能な実装方式では、第１の送信ユニットはさらに、
第２の通知メッセージをＰＣＲＦに送信した後に、判定ユニットがＵＥのデータ・サービス・スイッチがオンになっていると判定した場合、第４の通知メッセージをＰＣＲＦに送信するように構成され、第４の通知メッセージは第４の命令情報及びＵＥの識別情報を含み、第４の命令情報は、データ・サービスを提供するサーバにＵＥへのダウンリンク・データ・パケットの送信を再開するように通知することをＰＣＲＦに命令するために使用される。
【００３１】
第３の態様又は第３の態様の第１の可能な実装方式から第３の態様の第７の可能な実装方式のいずれか１つに関連して、第３の態様の第８の可能な実装方式では、第３のネットワーク側デバイスは、
ＵＥによって送信されたアップリンク・データ・パケットを受信するように構成された第２の受信ユニットをさらに備え、
判定ユニットは具体的には、
第２の受信ユニットが、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信ユニットが、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信ユニットがＵＥによって送信されたアップリンク・データ・パケットを受信した場合、ＵＥのデータ・サービス・スイッチがオンになっていると判定する、ように構成される。
【００３２】
第３の態様の第８の可能な実装方式に関連して、第３の態様の第９の可能な実装方式では、第３のネットワーク側デバイスは計時ユニットをさらに備え、この計時ユニットは、
第２の受信ユニットがＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信ユニットがＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【００３３】
第４の態様によれば、ポリシー及び課金規則機能ユニットが提供され、このポリシー及び課金規則機能ユニットは、
第２のネットワーク側デバイス又は第３のネットワーク側デバイスによって送信された第１の通知メッセージを受信するように構成された受信ユニットであって、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＵＥのデータ・パケットは、ダウンリンク・データ・パケット、又はアップリンク・データ・パケット及びダウンリンク・データ・パケットを含む、受信ユニットと、
受信ユニットによって受信された第１の通知メッセージに従って、事前に設定された非課金ＰＣＣポリシーをＵＥに使用するように構成されたポリシー・ユニットと、
事前に設定された非課金ＰＣＣポリシーを第２のネットワーク側デバイス又は第３のネットワーク側デバイスに送信するように構成された第１の送信ユニットと、を含む。
【００３４】
第４の態様に関連して、第４の態様の第１の可能な実装方式では、受信ユニットはさらに、
第２のネットワーク側デバイス又は第３のネットワーク側デバイスによって送信された第２の通知メッセージを受信するように構成され、第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定するとＰＣＲＦに送信され、第２の通知メッセージは第２の命令情報及びＵＥの識別情報を含み、第２の命令情報は、データ・サービスを提供するサーバに、UEへのダウンリンク・データ・パケットの送信を中止するように通知することをＰＣＲＦに命令するために使用され、
ポリシー及び課金規則機能ユニットは、第２の送信ユニットをさらに備え、第２の送信ユニットは、受信ユニットによって受信された第２の通知メッセージに従って第３の通知メッセージを、データ・サービスを提供するサーバに送信するように構成され、第３の通知メッセージは第３の命令情報及びＵＥの識別情報を含み、第３の命令情報は、データ・サービスを提供するサーバにＵＥへのダウンリンク・データ・パケットの送信を中止するように命令するために使用される。
【００３５】
第４の態様に関連して、第４の態様の第２の可能な実装方式では、受信ユニットはさらに、
第２のネットワーク側デバイス又は第３のネットワーク側デバイスによって送信された第４の通知メッセージを受信するように構成され、第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第４の通知メッセージは第４の命令情報及びＵＥの識別情報を含み、第４の命令情報は、事前に設定された課金ＰＣＣポリシーをＵＥに使用するようにＰＣＲＦに命令するために使用され、事前に設定された課金ＰＣＣポリシーは、第２のネットワーク側デバイス又は第３のネットワーク側デバイスを通って流れるＵＥのデータ・パケットに対して課金するポリシーであり、
ポリシー・ユニットはさらに、受信ユニットによって受信された第４の通知メッセージに従って、事前に設定された課金ＰＣＣポリシーをＵＥに使用するように構成され、
第１の送信ユニットはさらに、事前に設定された課金ＰＣＣポリシーを第２のネットワーク側デバイス又は第３のネットワーク側デバイスに送信するように構成される。
【００３６】
第４の態様の第１の可能な実装方式に関連して、第４の態様の第３の可能な実装方式では、受信ユニットはさらに、
第２のネットワーク側デバイス又は第３のネットワーク側デバイスによって送信された第５の通知メッセージを受信するように構成され、第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第５の通知メッセージは第５の命令情報及びＵＥの識別情報を含み、第５の命令情報は、データ・サービスを提供するサーバにＵＥへのダウンリンク・データ・パケットの送信を再開するように通知することをＰＣＲＦに命令するために使用され、
第２の送信ユニットはさらに、受信ユニットによって受信された第５の通知メッセージに従って、第６の通知メッセージを、データ・サービスを提供するサーバに送信するように構成され、第６の通知メッセージは第６の命令情報及びＵＥの識別情報を含み、第６の命令情報は、データ・サービスを提供するサーバにＵＥへのダウンリンク・データ・パケットの送信を中止するように命令するために使用される。
【００３７】
第５の態様によれば、サーバが提供され、このサーバは、ＵＥにデータ・サービスを提供するように構成され、
ＰＣＲＦによって送信された第１の通知メッセージを受信するように構成された受信ユニットであって、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、ＵＥへのダウンリンク・データ・パケットの送信を中止するようにサーバに命令するために使用される、受信ユニットと、
受信ユニットによって受信された第１の通知メッセージに従って、ＵＥへのダウンリンク・データ・パケットの送信を中止するように構成された送信ユニットとを含む。
【００３８】
第５の態様に関連して、第５の態様の第１の可能な実装方式では、受信ユニットはさらに、
ＰＣＲＦによって送信された第２の通知メッセージを受信するように構成され、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の通知メッセージは第２の命令情報及びＵＥの識別情報を含み、第２の命令情報は、サーバに、ＵＥへのダウンリンク・データ・パケットの送信を再開するように命令するために使用され、
送信ユニットはさらに、受信ユニットによって受信された第２の通知メッセージに従って、ＵＥへのダウンリンク・データ・パケットの送信を再開するように構成される。
【００３９】
第６の態様によれば、第１のネットワーク側デバイスに適用されて、データ・サービスを実装する方法が提供され、この方法は、
ＵＥのデータ・サービス・スイッチの状態を判定するステップであって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定することと、
ＵＥのデータ・サービス・スイッチがオフになっている場合、第１の通知メッセージを第２のネットワーク側デバイスに送信するステップとを含み、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む。
【００４０】
第６の態様に関連して、第６の態様の第１の可能な実装方式では、上記方法は、
ＵＥのデータ・サービス・スイッチがオフになっている場合に、第２のネットワーク側デバイスからＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するステップをさらに含む。
【００４１】
第６の態様又は第６の態様の第１の可能な実装方式に関連して、第６の態様の第２の可能な実装方式では、上記方法は、
ＵＥのデータ・サービス・スイッチがオフになっている場合、第２の通知メッセージを第２のネットワーク側デバイスに送信するステップをさらに含み、第２の通知メッセージは第２の命令情報及びＵＥの識別を含み、第２の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【００４２】
第６の態様に関連して、第６の態様の第３の可能な実装方式では、第１の通知メッセージを第２のネットワーク側デバイスに送信する前記ステップの後、上記方法は、
ＵＥのデータ・サービス・スイッチがオンにされた場合、第３の通知メッセージを第２のネットワーク側デバイスを送信するステップをさらに含み、第３の通知メッセージは第３の命令情報及びＵＥの識別情報を含み、第３の命令情報は、第２のネットワーク側デバイスを通って流れるＵＥのデータ・パケットに対して課金するように第２のネットワーク側デバイスに命令するために使用される。
【００４３】
第６の態様の第１の可能な実装方式に関連して、第６の態様の第４の可能な実装方式では、ＩＰ管理に使用されるダウンリンク・データ・パケットをＵＥに送信し、ＩＰ管理に使用されるダウンリンク・データ・パケット以外のダウンリンク・データ・パケットを破棄する前記ステップの後、上記方法は、
ＵＥのデータ・サービス・スイッチがオンになっている場合に、第２のネットワーク側デバイスによってＵＥに送信されたダウンリンク・データ・パケットを受信すると、そのダウンリンク・データ・パケットをＵＥに送信するステップをさらに含む。
【００４４】
第６の態様の第２の可能な実装方式に関連して、第６の態様の第５の可能な実装方式では、第２の通知メッセージを第２のネットワーク側デバイスに送信する前記ステップの後、上記方法は、
ＵＥのデータ・サービス・スイッチがオンにされた場合、第４の通知メッセージを第２のネットワーク側デバイスに送信するステップをさらに含み、第４の通知メッセージは第４の命令情報及びＵＥの識別情報を含み、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【００４５】
第６の態様、又は第６の態様の第１の可能な実装方式から第６の態様の第５の可能な実装方式のいずれか１つに関連して、第６の態様の第６の可能な実装方式では、ＵＥのデータ・サービス・スイッチの状態を判定する前記ステップは、
ＵＥによって送信されたアップリンク・データ・パケットが、事前に設定された継続時間内に受信されるかどうかを判定することであって、事前に設定された継続時間は、ＵＥのハートビート・パケット間隔の継続時間以上である、判定するステップと、
ＵＥから送信されたアップリンク・データ・パケットが事前に設定された継続時間内に受信されない場合、ＵＥのデータ・サービス・スイッチがオフになっていると判定するステップと、
ＵＥのデータ・サービス・スイッチがオフになっていると判定した後に、ＵＥから送信されたアップリンク・データ・パケットが受信された場合、ＵＥのデータ・サービス・スイッチがオンになっていると判定するステップと、をさらに含む。
【００４６】
第６の態様の第６の可能な実装方式に関連して、第６の態様の第７の可能な実装方式では、上記方法は、
ＵＥから送信されたアップリンク・データ・パケットが事前に設定された継続時間内に受信された場合、事前に設定された継続時間の計時が終了した後に、事前に設定された継続時間の計時を再度開始するステップ、又は、
ＵＥから送信されたアップリンク・データ・パケットが事前に設定された継続時間内に受信された場合、ＵＥから送信されたアップリンク・データ・パケットを受信した時に、事前に設定された継続時間の計時を再度開始するステップとをさらに含む。
【００４７】
第７の態様によれば、第２のネットワーク側デバイスに適用されて、データ・サービスを実装する方法が提供され、この方法は、
第１のネットワーク側デバイスによって送信された第１の通知メッセージを受信するステップであって、第１の通知メッセージは、第１のネットワーク側デバイスがＵＥのデータ・サービス・スイッチがオフになっていると判定すると、第２のネットワーク側デバイスに送信され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、受信するステップと、
第１の通知メッセージに従って、第２のネットワーク側デバイスを通って流れるＵＥのデータ・パケットに対する課金を省略するステップとを含む。
【００４８】
第７の態様に関連して、第７の態様の第１の可能な実装方式では、第１の通知メッセージに従って、第２のネットワーク側デバイスを通って流れるＵＥのデータ・パケットに対する課金を省略する前記ステップは、
第１の通知メッセージに従ってＰＣＣポリシーを無視し、第２のネットワーク側デバイスを通って流れるＵＥのデータ・パケットに対する課金を直接省略するステップ、又は
第１の通知メッセージに従って第２の通知メッセージをＰＣＲＦに送信するステップを含み、第２の通知メッセージは第２の命令情報及びＵＥの識別情報を含み、第２の命令情報は、事前に設定された非課金ＰＣＣポリシーをＵＥに使用するようにＰＣＲＦに命令するために使用される。
【００４９】
第７の態様又は第７の態様の第１の可能な実装方式に関連して、第７の態様の第２の可能な実装方式では、上記方法は、
第１のネットワーク側デバイスによって送信された第３の通知メッセージを受信するステップであって、第３の通知メッセージは、第１のネットワーク側デバイスがＵＥのデータ・サービス・スイッチがオフになっていると判定すると、第２のネットワーク側デバイスに送信され、第３の通知メッセージは第３の命令情報及びＵＥの識別情報を含み、第３の命令情報は、データ・サービスを提供するサーバにＵＥへのダウンリンク・データ・パケットの送信を中止するようにＰＣＲＦを使用して通知することを、第２のネットワーク側デバイスに命令するために使用される、受信するステップと、
第３の通知メッセージに従って第４の通知メッセージをＰＣＲＦに送信するステップとをさらに含み、第４の通知メッセージは第４の命令情報及びＵＥの識別情報を含み、第４の命令情報は、データ・サービスを提供するサーバに、UEへのダウンリンク・データ・パケットの送信を中止するように通知することを、ＰＣＲＦに命令するために使用される。
【００５０】
第７の態様又は第７の態様の第１の可能な実装方式に関連して、第７の態様の第３の可能な実装方式では、上記方法は、
第１のネットワーク側デバイスによって送信された第５の通知メッセージを受信するステップであって、第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイスに送信され、第５の通知メッセージは第５の命令情報及びＵＥの識別情報を含み、第５の命令情報は、第２のネットワーク側デバイスを通って流れるＵＥのデータ・パケットに対して課金するように第２のネットワーク側デバイスに命令するために使用される、受信するステップと、
第５の通知メッセージに従って、第２のネットワーク側デバイスを通って流れるＵＥのデータ・パケットに対して課金するステップとをさらに含む。
【００５１】
第７の態様の第３の可能な実装方式に関連して、第７の態様の第４の可能な実装方式では、第５の通知メッセージに従って、第２のネットワーク側デバイスを通って流れるＵＥのデータ・パケットに対して課金する前記ステップは、
無視したＰＣＣポリシーを使用して、第５の通知メッセージに従って、第２のネットワーク側デバイスを通って流れるＵＥのデータ・パケットに対して課金するステップ、又は、
第５の通知メッセージに従って第６の通知メッセージをＰＣＲＦに送信するステップをさらに含み、第６の通知メッセージは第６の命令情報及びＵＥの識別情報を含み、第６の命令情報は、事前に設定された課金ＰＣＣポリシーをＵＥに使用するようにＰＣＲＦに命令するために使用される。
【００５２】
第７の態様の第２の可能な実装方式に関連して、第７の態様の第５の可能な実装方式では、上記方法は、
第１のネットワーク側デバイスによって送信された第７の通知メッセージを受信するステップであって、第７の通知メッセージは、第１のネットワーク側デバイスが第３の通知メッセージを送信した後に、第１のネットワーク側デバイスがＵＥのデータ・サービス・スイッチがオンになっていると判定した場合に、第２のネットワーク側デバイスに送信され、第７の通知メッセージは第７の命令情報及びＵＥの識別情報を含み、第７の命令情報は、データ・サービスを提供するサーバにＵＥへのダウンリンク・データ・パケットの送信を再開するようにＰＣＲＦを使用して通知することを、第２のネットワーク側デバイスに命令するために使用される、受信するステップと、
第７の通知メッセージに従って第８の通知メッセージをＰＣＲＦに送信するステップとをさらに含み、第８の通知メッセージは第８の命令情報及びＵＥの識別情報を含み、第８の命令情報は、データ・サービスを提供するサーバにＵＥへのダウンリンク・データ・パケットの送信を再開するように通知することを、ＰＣＲＦに命令するために使用される。
【００５３】
第８の態様によれば、第３のネットワーク側デバイスに適用されて、データ・サービスを実装する方法が提供され、この方法は、
ＵＥのデータ・サービス・スイッチの状態を判定するステップであって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定するステップと、
ＵＥのデータ・サービスがオフになっている場合、第３のネットワーク側デバイスを通って流れるＵＥのデータ・パケットに対する課金を省略するステップとを含む。
【００５４】
第８の態様に関連して、第８の態様の第１の可能な実装方式では、第３のネットワーク側デバイスを通って流れるＵＥのデータ・パケットに対する課金を省略する前記ステップは、
ＰＣＣポリシーを無視し、第３のネットワーク側デバイスを通って流れるＵＥのデータ・パケットに対する課金を直接省略するステップ、又は、
第１の通知メッセージをＰＣＲＦに送信するステップを含み、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【００５５】
第８の態様又は第８の態様の第１の可能な実装方式に関連して、第８の態様の第２の可能な実装方式では、上記方法は、
ＵＥのデータ・サービス・スイッチがオフになっている場合に、データ・サービスを提供するサーバによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するステップをさらに含む。
【００５６】
第８の態様、又は第８の態様の第１の可能な実装方式又は第８の態様の第２の可能な実装方式に関連して、第８の態様の第３の可能な実装方式では、上記方法は、
ＵＥのデータ・サービスがオフになっている場合、第２の通知メッセージをＰＣＲＦに送信するステップをさらに含み、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される。
【００５７】
第８の態様又は第８の態様の第１の可能な実装方式に関連して、第８の態様の第４の可能な実装方式では、第３のネットワーク側デバイスを通って流れるＵＥのデータ・パケットに対する課金を省略する前記ステップの後、上記方法は、
ＵＥのデータ・サービス・スイッチがオンにされた場合、第３のネットワーク側デバイスを通って流れるＵＥのデータ・パケットに対して課金するステップをさらに含む。
【００５８】
第８の態様の第４の可能な実装方式に関連して、第８の態様の第５の可能な実装方式では、第３のネットワーク側デバイスを通って流れるＵＥのデータ・パケットに対して課金する前記ステップは、
無視したＰＣＣポリシーを使用して、第３のネットワーク側デバイスを通って流れるＵＥのデータ・パケットに対して課金するステップ、又は、
第３の通知メッセージをＰＣＲＦに送信するステップを含み、第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【００５９】
第８の態様の第２の可能な実装方式に関連して、第８の態様の第６の可能な実装方式では、ＩＰ管理に使用されるダウンリンク・データ・パケットをＵＥに送信し、ＩＰ管理に使用されるダウンリンク・データ・パケット以外のダウンリンク・データ・パケットを破棄する前記ステップの後、上記方法は、
ＵＥのデータ・サービス・スイッチがオンにされた場合に、データ・サービスを提供するサーバによってＵＥに送信されたダウンリンク・データ・パケットを受信すると、そのダウンリンク・データ・パケットをＵＥに送信するステップをさらに含む。
【００６０】
第８の態様の第３の可能な実装方式に関連して、第８の態様の第第７の可能な実装方式では、第２の通知メッセージをＰＣＲＦに送信する前記ステップの後に、上記方法は、
ＵＥのデータ・サービス・スイッチがオンにされた場合、第４の通知メッセージをＰＣＲＦに送信するステップをさらに含み、第４の通知メッセージは第４の命令情報及びＵＥの識別情報を含み、第４の命令情報は、データ・サービスを提供するサーバにＵＥへのダウンリンク・データ・パケットの送信を再開するように通知することを、ＰＣＲＦに命令するために使用される。
【００６１】
第８の態様、又は第８の態様の第１の可能な実装方式から第８の態様の第７の可能な実装方式のいずれか１つに関連して、第８の態様の第８の可能な実装方式では、ＵＥのデータ・サービス・スイッチの状態を判定する前記ステップは、
ＵＥによって送信されたアップリンク・データ・パケットが事前に設定された継続時間内に受信されるかどうかを判定するステップであって、事前に設定された継続時間は、ＵＥのハートビート・パケット間隔の継続時間以上である、判定するステップと、
ＵＥによって送信されたアップリンク・データ・パケットが事前に設定された継続時間内に受信されない場合、ＵＥのデータ・サービス・スイッチがオフになっていると判定するステップと、
ＵＥのデータ・サービス・スイッチがオフにされた後に、ＵＥによって送信されたアップリンク・データ・パケットが受信された場合、ＵＥのデータ・サービス・スイッチがオンになっていると判定するステップとを含む。
【００６２】
第８の態様の第８の可能な実装方式に関連して、第８の態様の第９の可能な実装方式では、上記方法は、
ＵＥによって送信されたアップリンク・データ・パケットが事前に設定された継続時間内に受信された場合、事前に設定された継続時間の計時が終了した後に、事前に設定された継続時間の計時を再度開始するステップ、又は、
ＵＥによって送信されたアップリンク・データ・パケットが事前に設定された継続時間内に受信された場合、ＵＥによって送信されたアップリンク・データ・パケットが受信された時に、事前に設定された継続時間の計時を再度開始するステップをさらに含む。
【００６３】
第９の態様によれば、ＰＣＲＦに適用されて、データ・サービスを実装する方法が提供され、この方法は、
第２のネットワーク側デバイス又は第３のネットワーク側デバイスによって送信された第１の通知メッセージを受信するステップであって、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＵＥのデータ・パケットは、ダウンリンク・データ・パケット、又はアップリンク・データ・パケット及びダウンリンク・データ・パケットを含む、受信するステップと、
第１の通知メッセージに従って、事前に設定された非課金ＰＣＣポリシーをＵＥに使用するステップと、
事前に設定された非課金ＰＣＣポリシーを第２のネットワーク側デバイス又は第３のネットワーク側デバイスに送信するステップとを含む。
【００６４】
第９の態様に関連して、第９の態様の第１の可能な実装方式では、上記方法は、
第２のネットワーク側デバイス又は第３のネットワーク側デバイスによって送信された第２の通知メッセージを受信するステップであって、第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定するとＰＣＲＦに送信され、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される、受信するステップと、
第２の通知メッセージに従って第３の通知メッセージを、データ・サービスを提供するサーバに送信するステップとをさらに含み、第３の通知メッセージは第３の命令情報及びＵＥの識別情報を含み、第３の命令情報は、データ・サービスを提供するサーバにＵＥへのダウンリンク・データ・パケットの送信を中止するように命令するために使用される。
【００６５】
第９の態様に関連して、第９の態様の第２の可能な実装方式では、上記方法は、
第２のネットワーク側デバイス又は第３のネットワーク側デバイスによって送信された第４の通知メッセージを受信するステップであって、第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第４の通知メッセージは第４の命令情報及びＵＥの識別情報を含み、第４の命令情報は、事前に設定された課金ＰＣＣポリシーをＵＥに使用するようにＰＣＲＦに命令するために使用され、事前に設定された課金ＰＣＣポリシーは、第２のネットワーク側デバイス又は第３のネットワーク側デバイスを通って流れるＵＥのデータ・パケットに対して課金するポリシーである、受信するステップと、
第４の通知メッセージに従って、事前に設定された課金ＰＣＣポリシーをＵＥに使用するステップと、
事前に設定された課金ＰＣＣポリシーを第２のネットワーク側デバイス又は第３のネットワーク側デバイスに送信するステップとをさらに含む。
【００６６】
第９の態様の第１の可能な実装方式に関連して、第９の態様の第３の可能な実装方式では、上記方法は、
第２のネットワーク側デバイス又は第３のネットワーク側デバイスによって送信された第５の通知メッセージを受信するステップであって、第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第５の通知メッセージは第５の命令情報及びＵＥの識別情報を含み、第５の命令情報は、データ・サービスを提供するサーバにＵＥへのダウンリンク・データ・パケットの送信を再開するように通知することを、ＰＣＲＦに命令するために使用される、受信するステップと、
第５の通知メッセージに従って、第６の通知メッセージを、データ・サービスを提供するサーバに送信するステップとをさらに含み、第６の通知メッセージは第６の命令情報及びＵＥの識別情報を含み、第６の命令情報は、データ・サービスを提供するサーバにＵＥへのダウンリンク・データ・パケットの送信を中止するように命令するために使用される。
【００６７】
第１０の態様によれば、サーバに適用されて、データ・サービスを実装する方法が提供され、サーバはＵＥにデータ・サービスを提供するように構成され、方法は、
ＰＣＲＦによって送信された第１の通知メッセージを受信するステップであって、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、ＵＥへのダウンリンク・データ・パケットの送信を中止するようにサーバに命令するために使用される、受信するステップと、
第１の通知メッセージに従って、ＵＥへのダウンリンク・データ・パケットの送信を中止するステップとを含む。
【００６８】
第１０の態様に関連して、第１０の態様の第１の可能な実装方式では、上記方法は、
ＰＣＲＦによって送信された第２の通知メッセージを受信するステップであって、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の通知メッセージは第２の命令情報及びＵＥの識別情報を含み、第２の命令情報は、サーバに、ＵＥへのダウンリンク・データ・パケットの送信を再開するように命令するために使用される、受信するステップと、
第２の通知メッセージに従って、ＵＥへのダウンリンク・データ・パケットの送信を再開するステップとをさらに含む。
【００６９】
第１１の態様によれば、第１のネットワーク側デバイスが提供され、この第１のネットワーク側デバイスは、
ＵＥのデータ・サービス・スイッチの状態を判定するように構成されたプロセッサであって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、プロセッサと、
プロセッサがＵＥのデータ・サービス・スイッチがオフになっていると判定した場合、第１の通知メッセージを第２のネットワーク側デバイスに送信するように構成された第１の送信器であって、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、第１の送信器と、を含む。
【００７０】
第１１の態様に関連して、第１１の態様の第１の可能な実装方式では、第１のネットワーク側デバイスは、
第２のネットワーク側デバイスによってＵＥに送信されたダウンリンク・データ・パケットを受信するように構成された第１の受信器と、
プロセッサがＵＥのデータ・サービス・スイッチがオフになっていると判定した場合に、第１の受信器が第２のネットワーク側デバイスによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信器と、をさらに備える。
【００７１】
第１１の態様又は第１１の態様の第１の可能な実装方式に関連して、第１１の態様の第２の可能な実装方式では、第１の送信器はさらに、
プロセッサがＵＥのデータ・サービス・スイッチがオフになっていると判定した場合、第２の通知メッセージを第２のネットワーク側デバイスに送信するように構成され、第２の通知メッセージは第２の命令情報及びＵＥの識別情報を含み、第２の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【００７２】
第１１の態様に関連して、第１１の態様の第３の可能な実装方式では、
第１の送信器はさらに、第１の通知メッセージを第２のネットワーク側デバイスに送信した後に、プロセッサがＵＥのデータ・サービス・スイッチがオンになっていると判定した場合、第３の通知メッセージを第２のネットワーク側デバイスに送信するように構成され、第３の通知メッセージは第３の命令情報及びＵＥの識別情報を含み、第３の命令情報は、第２のネットワーク側デバイスを通って流れるＵＥのデータ・パケットに対して課金するように第２のネットワーク側デバイスに命令するために使用される。
【００７３】
第１１の態様の第１の可能な実装方式に関連して、第１１の態様の第４の可能な実装方式では、
第２の送信器はさらに、ＩＰ管理に使用されるダウンリンク・データ・パケットをＵＥに送信し、ＩＰ管理に使用されるダウンリンク・データ・パケット以外のダウンリンク・データ・パケットを破棄した後、プロセッサがＵＥのデータ・サービス・スイッチがオンになっていると判定した場合に、第１の受信器が第２のネットワーク側デバイスによってＵＥに送信されたダウンリンク・データ・パケットを受信すると、そのダウンリンク・データ・パケットをＵＥに送信するように構成される。
【００７４】
第１１の態様の第２の可能な実装方式に関連して、第１１の態様の第５の可能な実装方式では、
第１の送信器はさらに、第２の通知メッセージを第２のネットワーク側デバイスに送信した後に、プロセッサがＵＥのデータ・サービス・スイッチがオンになっていると判定した場合、第４の通知メッセージを第２のネットワーク側デバイスに送信するように構成され、第４の通知メッセージは第４の命令情報及びＵＥの識別情報を含み、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【００７５】
第１１の態様又は第１１の態様の第１の可能な実装方式から第１１の態様の第５の可能な実装方式のいずれか１つに関連して、第１１の態様の第６の可能な実装方式では、第１のネットワーク側デバイスは、
ＵＥによって送信されたアップリンク・データ・パケットを受信するように構成された第２の受信器をさらに備え、
プロセッサは、具体的には、
第２の受信器が、ＵＥによって送信されたアップリンク・データ・パケットを、事前に設定された継続時間内に受信するかどうかを判定し、事前に設定された継続時間は、ＵＥのハートビート・パケット間隔の継続時間以上であり、
第２の受信器が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信器がＵＥによって送信されたアップリンク・データ・パケットを受信した場合、ＵＥのデータ・サービス・スイッチがオンになっていると判定する、ように構成される。
【００７６】
第１１の態様の第６の可能な実装方式に関連して、第１１の態様の第７の可能な実装方式では、プロセッサはさらに、
第２の受信器がＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信器がＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【００７７】
第１２の態様によれば、第２のネットワーク側デバイスが提供され、この第２のネットワーク側デバイスは、
第１のネットワーク側デバイスによって送信された第１の通知メッセージを受信するように構成された受信器であって、第１の通知メッセージは、第１のネットワーク側デバイスがＵＥのデータ・サービス・スイッチがオフになっていると判定すると、第２のネットワーク側デバイスに送信され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、受信器と、
受信器によって受信された第１の通知メッセージに従って、第２のネットワーク側デバイスを通って流れるＵＥのデータ・パケットに対する課金を省略するように構成されたプロセッサとを含む。
【００７８】
第１２の態様に関連して、第１２の態様の第１の可能な実装方式では、プロセッサは具体的には、
受信器によって受信された第１の通知メッセージに従ってＰＣＣポリシーを無視し、第２のネットワーク側デバイスを通って流れるＵＥのデータ・パケットに対する課金を直接省略するように構成され、又は、
第２のネットワーク側デバイスが送信器をさらに備え、この送信器は、受信器によって受信された第１の通知メッセージに従って第２の通知メッセージをＰＣＲＦに送信するように構成され、第２の通知メッセージは第２の命令情報及びＵＥの識別情報を含み、第２の命令情報は、事前に設定された非課金ＰＣＣポリシーをＵＥに使用するようにＰＣＲＦに命令するために使用される。
【００７９】
第１２の態様又は第１２の態様の第１の可能な実装方式に関連して、第１２の態様の第２の可能な実装方式では、受信器はさらに、
第１のネットワーク側デバイスによって送信された第３の通知メッセージを受信するように構成され、第３の通知メッセージは、第１のネットワーク側デバイスがＵＥのデータ・サービス・スイッチがオフになっていると判定すると、第２のネットワーク側デバイスに送信され、第３の通知メッセージは第３の命令情報及びＵＥの識別情報を含み、第３の命令情報は、データ・サービスを提供するサーバにＵＥへのダウンリンク・データ・パケットの送信を中止するようにＰＣＲＦを使用して通知することを、第２のネットワーク側デバイスに命令するために使用され、
第２のネットワーク側デバイスは送信器をさらに備え、この送信器は、受信器によって受信された第３の通知メッセージに従って第４の通知メッセージをＰＣＲＦに送信するように構成され、第４の通知メッセージは第４の命令情報及びＵＥの識別情報を含み、第４の命令情報は、データ・サービスを提供するサーバに、UEへのダウンリンク・データ・パケットの送信を中止するように通知することを、ＰＣＲＦに命令するために使用される。
【００８０】
第１２の態様又は第１２の態様の第１の可能な実装方式に関連して、第１２の態様の第３の可能な実装方式では、受信器はさらに、
第１のネットワーク側デバイスによって送信された第５の通知メッセージを受信するように構成され、第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイスに送信され、第５の通知メッセージは第５の命令情報及びＵＥの識別情報を含み、第５の命令情報は、第２のネットワーク側デバイスを通って流れるＵＥのデータ・パケットに対して課金するように第２のネットワーク側デバイスに命令するために使用され、
プロセッサはさらに、受信器によって受信された第５の通知メッセージに従って、第２のネットワーク側デバイスを通って流れるＵＥのデータ・パケットに対して課金するように構成される。
【００８１】
第１２の態様の第３の可能な実装方式に関連して、第１２の態様の第４の可能な実装方式では、プロセッサは具体的には、
無視したＰＣＣポリシーを使用して、受信器によって受信された第５の通知メッセージに従って、第２のネットワーク側デバイスを通って流れるＵＥのデータ・パケットに対して課金するように構成され、又は、
送信器はさらに、受信器によって受信された第５の通知メッセージに従って第６の通知メッセージをＰＣＲＦに送信するように構成され、第６の通知メッセージは第６の命令情報及びＵＥの識別情報を含み、第６の命令情報は、事前に設定された課金ＰＣＣポリシーをＵＥに使用するようにＰＣＲＦに命令するために使用される。
【００８２】
第１２の態様の第２の可能な実装方式に関連して、第１２の態様の第５の可能な実装方式では、受信器はさらに、
第１のネットワーク側デバイスによって送信された第７の通知メッセージを受信するように構成され、第７の通知メッセージは、第１のネットワーク側デバイスが第３の通知メッセージを送信した後に、第１のネットワーク側デバイスがＵＥのデータ・サービス・スイッチがオンになっていると判定した場合に、第２のネットワーク側デバイスに送信され、第７の通知メッセージは第７の命令情報及びＵＥの識別情報を含み、第７の命令情報は、データ・サービスを提供するサーバにＵＥへのダウンリンク・データ・パケットの送信を再開するようにＰＣＲＦを使用して通知することを、第２のネットワーク側デバイスに命令するために使用され、
送信器はさらに、受信器によって受信された第７の通知メッセージに従って第８の通知メッセージをＰＣＲＦに送信するように構成され、第８の通知メッセージは第８の命令情報及びＵＥの識別情報を含み、第８の命令情報は、データ・サービスを提供するサーバにＵＥへのダウンリンク・データ・パケットの送信を再開するように通知することを、ＰＣＲＦに命令するために使用される。
【００８３】
第１３の態様によれば、第３のネットワーク側デバイスが提供され、この第３のネットワーク側デバイスは、
ＵＥのデータ・サービス・スイッチの状態を判定するように構成されたプロセッサであって、ＵＥは、すでにネットワークに登録されたユーザ機器であり、データ・サービス・スイッチの状態は、データ・サービス・スイッチがオンになっていること、又はデータ・サービス・スイッチがオフになっていることを含み、
プロセッサはさらに、ＵＥのデータ・サービスがオフになっている場合、第３のネットワーク側デバイスを通って流れるＵＥのデータ・パケットに対する課金を省略するように構成される。
【００８４】
第１３の態様に関連して、第１３の態様の第１の可能な実装方式では、プロセッサは具体的には、
ＰＣＣポリシーを無視し、第３のネットワーク側デバイスを通って流れるＵＥのデータ・パケットに対する課金を直接省略するように構成され、又は、
第３のネットワーク側デバイスが第１の送信器をさらに備え、この第１の送信器は、プロセッサがＵＥのデータ・サービスがオフになっていると判定した場合、第１の通知メッセージをＰＣＲＦに送信するように構成され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【００８５】
第１３の態様又は第１３の態様の第１の可能な実装方式に関連して、第１３の態様の第２の可能な実装方式では、第３のネットワーク側デバイスは、
データ・サービスを提供するサーバによってＵＥに送信されたダウンリンク・データ・パケットを受信するように構成された第１の受信器と、
プロセッサがＵＥのデータ・サービス・スイッチがオフになっていると判定した場合に、第１の受信器が、データ・サービスを提供するサーバによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信器とをさらに備える。
【００８６】
第１３の態様又は第１３の態様の第１の可能な実装方式又は第１３の態様の第２の可能な実装方式に関連して、第１３の態様の第３の可能な実装方式では、第３のネットワーク側デバイスは、
プロセッサがＵＥのデータ・サービスがオフになっていると判定した場合、第２の通知メッセージをＰＣＲＦに送信するように構成された第１の送信器をさらに備え、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される。
【００８７】
第１３の態様又は第１３の態様の第１の可能な実装方式に関連して、第１３の態様の第４の可能な実装方式では、プロセッサはさらに、
第３のネットワーク側デバイスを通って流れるＵＥのデータ・パケットに対する課金を省略した後、プロセッサがＵＥのデータ・サービス・スイッチがオンになっていると判定した場合、第３のネットワーク側デバイスを通って流れるＵＥのデータ・パケットに対して課金する、ように構成される。
【００８８】
第１３の態様の第４の可能な実装方式に関連して、第１３の態様の第５の可能な実装方式では、プロセッサは具体的には、
無視したＰＣＣポリシーを使用して、第３のネットワーク側デバイスを通って流れるＵＥのデータ・パケットに対して課金するように構成され、又は、
第１の送信器がさらに、第３の通知メッセージをＰＣＲＦに送信するように構成され、第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【００８９】
第１３の態様の第２の可能な実装方式に関連して、第１３の態様の第６の可能な実装方式では、第２の送信器はさらに、
ＩＰ管理に使用されるダウンリンク・データ・パケットをＵＥに送信し、ＩＰ管理に使用されるダウンリンク・データ・パケット以外のダウンリンク・データ・パケットを破棄した後、プロセッサがＵＥのデータ・サービス・スイッチがオンになっていると判定した場合に、第１の受信器がデータ・サービスを提供するサーバによってＵＥに送信されたダウンリンク・データ・パケットを受信すると、そのダウンリンク・データ・パケットをＵＥに送信するように構成される。
【００９０】
第１３の態様の第３の可能な実装方式に関連して、第１３の態様の第７の可能な実装方式では、第１の送信器はさらに、
第２の通知メッセージをＰＣＲＦに送信した後に、プロセッサがＵＥのデータ・サービス・スイッチがオンになっていると判定した場合、第４の通知メッセージをＰＣＲＦに送信するように構成され、第４の通知メッセージは第４の命令情報及びＵＥの識別情報を含み、第４の命令情報は、データ・サービスを提供するサーバにＵＥへのダウンリンク・データ・パケットの送信を再開するように通知することを、ＰＣＲＦに命令するために使用される。
【００９１】
第１３の態様又は第１３の態様の第１の可能な実装方式から第１３の態様の第７の可能な実装方式のいずれか１つに関連して、第１３の態様の第８の可能な実装方式では、第３のネットワーク側デバイスは、
ＵＥによって送信されたアップリンク・データ・パケットを受信するように構成された第２の受信器をさらに備え、
プロセッサは具体的には、
第２の受信器が、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信器が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信器が、ＵＥによって送信されたアップリンク・データ・パケットを受信した場合、ＵＥのデータ・サービス・スイッチがオンになっていると判定する、ように構成される。
【００９２】
第１３の態様の第８の可能な実装方式に関連して、第１３の態様の第９の可能な実装方式では、プロセッサはさらに、
第２の受信器がＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信器がＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【００９３】
第１４の態様によれば、ポリシー及び課金規則機能ユニットが提供され、このポリシー及び課金規則機能ユニットは、
第２のネットワーク側デバイス又は第３のネットワーク側デバイスによって送信された第１の通知メッセージを受信するように構成された受信器であって、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定すると、ＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＵＥのデータ・パケットは、ダウンリンク・データ・パケット、又はアップリンク・データ・パケット及びダウンリンク・データ・パケットを含む、受信器と、
受信器によって受信された第１の通知メッセージに従って、事前に設定された非課金ＰＣＣポリシーをＵＥに使用するように構成されたプロセッサと、
事前に設定された非課金ＰＣＣポリシーを第２のネットワーク側デバイス又は第３のネットワーク側デバイスに送信するように構成された第１の送信器と、を含む。
【００９４】
第１４の態様に関連して、第１４の態様の第１の可能な実装方式では、受信器はさらに、
第２のネットワーク側デバイス又は第３のネットワーク側デバイスによって送信された第２の通知メッセージを受信するように構成され、第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定すると、ＰＣＲＦに送信され、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用され、
ポリシー及び課金規則機能ユニットは、第２の送信器をさらに備え、この第２の送信器は、受信器によって受信された第２の通知メッセージに従って第３の通知メッセージを、データ・サービスを提供するサーバに送信するように構成され、第３の通知メッセージは第３の命令情報及びＵＥの識別情報を含み、第３の命令情報は、データ・サービスを提供するサーバにＵＥへのダウンリンク・データ・パケットの送信を中止するように命令するために使用される。
【００９５】
第１４の態様に関連して、第１４の態様の第２の可能な実装方式では、受信器はさらに、
第２のネットワーク側デバイス又は第３のネットワーク側デバイスによって送信された第４の通知メッセージを受信するように構成され、第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第４の通知メッセージは第４の命令情報及びＵＥの識別情報を含み、第４の命令情報は、事前に設定された課金ＰＣＣポリシーをＵＥに使用するようにＰＣＲＦに命令するために使用され、事前に設定された課金ＰＣＣポリシーは、第２のネットワーク側デバイス又は第３のネットワーク側デバイスを通って流れるＵＥのデータ・パケットに対して課金するポリシーであり、
プロセッサはさらに、受信器によって受信された第４の通知メッセージに従って、事前に設定された課金ＰＣＣポリシーをＵＥに使用するように構成され、
第１の送信器はさらに、事前に設定された課金ＰＣＣポリシーを第２のネットワーク側デバイス又は第３のネットワーク側デバイスに送信するように構成される。
【００９６】
第１４の態様の第１の可能な実装方式に関連して、第１４の態様の第３の可能な実装方式では、受信器はさらに、
第２のネットワーク側デバイス又は第３のネットワーク側デバイスによって送信された第５の通知メッセージを受信するように構成され、第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第５の通知メッセージは第５の命令情報及びＵＥの識別情報を含み、第５の命令情報は、データ・サービスを提供するサーバにＵＥへのダウンリンク・データ・パケットの送信を再開するように通知することを、ＰＣＲＦに命令するために使用され、
第２の送信器はさらに、受信器によって受信された第５の通知メッセージに従って、第６の通知メッセージを、データ・サービスを提供するサーバに送信するように構成され、第６の通知メッセージは第６の命令情報及びＵＥの識別情報を含み、第６の命令情報は、データ・サービスを提供するサーバにＵＥへのダウンリンク・データ・パケットの送信を中止するように命令するために使用される。
【００９７】
第１５の態様によれば、サーバが提供され、このサーバは、データ・サービスをＵＥに提供するように構成され、
ＰＣＲＦによって送信された第１の通知メッセージを受信するように構成された受信器であって、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、ＵＥへのダウンリンク・データ・パケットの送信を中止するようにサーバに命令するために使用される、受信器と、
受信器によって受信された第１の通知メッセージに従って、ＵＥへのダウンリンク・データ・パケットの送信を中止するように構成された送信器とを含む。
【００９８】
第１５の態様に関連して、第１５の態様の第１の可能な実装方式では、受信器はさらに、
ＰＣＲＦによって送信された第２の通知メッセージを受信するように構成され、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の通知メッセージは第２の命令情報及びＵＥの識別情報を含み、第２の命令情報は、サーバに、ＵＥへのダウンリンク・データ・パケットの送信を再開するように命令するために使用され、
送信器はさらに、受信器によって受信された第２の通知メッセージに従って、ＵＥへのダウンリンク・データ・パケットの送信を再開するように構成される。
【００９９】
本発明の実装形態は、データ・サービスを実装するためのデバイス及び方法を提供する。ＵＥのデータ・サービス・スイッチの状態が判定され、ＵＥのデータ・サービス・スイッチがオフになっている場合には、第１の通知メッセージが第２のネットワーク側デバイスに送信され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。ＵＥのデータ・サービス・スイッチがオフになっているかどうかが判定され、ＵＥのデータ・サービス・スイッチがオフになっている場合には、第１の通知メッセージが第２のネットワーク側デバイスに送信されて、第２のネットワーク側デバイスを通って流れるＵＥのデータ・パケットに対する課金を省略するように第２のネットワーク側デバイスに命令する。したがって、ＵＥのデータ・サービス・スイッチがオフにされた後、ＵＥのデータ・パケットに対して課金は行われない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
【０１００】
本発明の実装形態又は従来技術の技術的解決法をより明確に説明するために、以下で、実装形態又は従来技術を説明するために必要とされる添付図面を簡単に説明する。明らかであるように、以下の説明における添付図面は、本発明の一部の実装形態を示すに過ぎず、当業者は、創造のための努力を要さずにそれらの添付図面からなお他の図面を導き出すことができる。
【図面の簡単な説明】
【０１０１】
【図１】本発明の一実装形態による第１のネットワーク側デバイスの概略構造図である。
【図２】本発明の一実装形態による別の第１のネットワーク側デバイスの概略構造図である。
【図３】本発明の一実装形態による第２のネットワーク側デバイスの概略構造図である。
【図４】本発明の一実装形態による別の第２のネットワーク側デバイスの概略構造図である。
【図５】本発明の一実装形態による第３のネットワーク側デバイスの概略構造図である。
【図６】本発明の一実装形態による別の第３のネットワーク側デバイスの概略構造図である。
【図７】本発明の一実装形態によるポリシー及び課金規則機能ユニットの概略構造図である。
【図８】本発明の一実装形態による別のポリシー及び課金規則機能ユニットの概略構造図である。
【図９】本発明の一実装形態によるサーバの概略構造図である。
【図１０】本発明の一実装形態によるデータ・サービスを実装する方法の概略フローチャートである。
【図１１】本発明の一実装形態によるデータ・サービスを実装する別の方法の概略フローチャートである。
【図１２】本発明の一実装形態によるデータ・サービスを実装するさらに別の方法の概略フローチャートである。
【図１３】本発明の一実装形態によるデータ・サービスを実装するさらに別の方法の概略フローチャートである。
【図１４】本発明の一実装形態によるデータ・サービスを実装するさらに別の方法の概略フローチャートである。
【図１５】本発明の一実装形態によるデータ・サービスを実装するさらに別の方法の概略フローチャートである。
【図１６】本発明の一実装形態によるデータ・サービスを実装するさらに別の方法の概略フローチャートである。
【図１７】本発明の一実装形態によるデータ・サービスを実装するさらに別の方法の概略フローチャートである。
【図１８】本発明の一実装形態によるデータ・サービスを実装するさらに別の方法の概略フローチャートである。
【図１９Ａ】本発明の一実装形態によるデータ・サービスを実装するさらに別の方法の概略フローチャートである。
【図１９Ｂ】本発明の一実装形態によるデータ・サービスを実装するさらに別の方法の概略フローチャートである。
【図１９Ｃ】本発明の一実装形態によるデータ・サービスを実装するさらに別の方法の概略フローチャートである。
【図２０】本発明の一実装形態による他の第１のネットワーク側デバイスの概略構造図である。
【図２１】本発明の一実装形態による別の第１のネットワーク側デバイスの概略構造図である。
【図２２】本発明の一実装形態による他の第２のネットワーク側デバイスの概略構造図である。
【図２３】本発明の一実装形態による別の第２のネットワーク側デバイスの概略構造図である。
【図２４】本発明の一実装形態による他の第３のネットワーク側デバイスの概略構造図である。
【図２５】本発明の一実装形態による別の第３のネットワーク側デバイスの概略構造図である。
【図２６】本発明の一実装形態による他のポリシー及び課金規則機能ユニットの概略構造図である。
【図２７】本発明の一実装形態による別のポリシー及び課金規則機能ユニットの概略構造図である。
【図２８】本発明の一実装形態による他のサーバの概略構造図である。
【発明を実施するための形態】
【０１０２】
以下に、本発明の実装形態における添付図面を参照して本発明の実装形態における技術的解決法を明確且つ完全に説明する。明らかであるように、説明される実装形態は、本発明の実装形態のすべてではなく一部に過ぎない。当業者が創造のための努力を要さずに本発明の実装形態に基づいて得られるすべての他の実装形態は、本発明の保護範囲の中に含まれるものとする。
【０１０３】
主流の通信技術であるＬＴＥは、世界中で急速に発展している。また、ＬＴＥは、より高度な技術を導入しており、例えば、ＬＴＥは、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）及び多入力多出力（Ｍｕｌｔｉ−ｉｎｐｕｔ  Ｍｕｌｔｉ−ｏｕｔｐｕｔ，ＭＩＭＯ）などの基幹的な送信技術を導入し、スペクトル効率とデータ送信レートを大幅に改善することができる。ＬＴＥは、複数帯域幅の割り当てに対応できるだけでなく、世界的に主流となっている２Ｇ／３Ｇの周波数帯及びいくつかの新たな周波数帯にも対応することが可能であり、そのため、スペクトル割り当てがより柔軟になり、システム容量及び被覆が大幅に向上される。ＬＴＥはオールＩＰネットワークであり、従来の３Ｇ技術のハンドオーバー問題を効果的に防止することができる。ＬＴＥシステムのネットワーク・アーキテクチャは、より平坦化され、単純化されている。ＬＴＥは、ネットワーク・ノード及びシステムの複雑性を低減し、その結果、システム遅延が低減し、ネットワークの開発及び維持費用が低減する。上述のＬＴＥの特徴により、ＬＴＥは、従来の２Ｇ／３Ｇネットワークよりもユーザ体験が良好である。
【０１０４】
実際の通信プロセスでは、ＵＥがＬＴＥサービスをあらかじめ取得し、事業者によって展開されるプラットフォーム間標準形式（Ｅｎｃａｐｓｕｌａｔｅｄ  ＰｏｓｔＳｃｒｉｐｔ，ＥＰＳ）のネットワークにアタッチされる必要がある。ＥＰＳのアタッチ・プロセスでは、デフォルトＥＰＳベアラ、すなわちデフォルトのセキュリティ性能を持つユーザ・ベアラを、端末から、アクセス・ネットワーク、及びコア・ネットワーク、そして外部のＰＤＮまで設定することができる。勿論、他の専用ベアラ、すなわち特殊なセキュリティ性能及び伝送性能を持つユーザ・ベアラも、ユーザのサービス要件に応じて設定される場合がある。一人のＬＴＥユーザのすべてのデータ・サービスのデータ・パケットのアップリンク又はダウンリンク送信は、設定されたＥＰＳベアラ・チャネルで行われる。
【０１０５】
ＬＴＥネットワークでは、現在、異なるモードにある複数のＵＥが存在し、それらのモードは、例えば、デュアルスタンバイ・モード、回線交換フォールバック（Ｃｉｒｃｕｉｔ  Ｓｗｉｔｃｈｅｄ  Ｆａｌｌｂａｃｋ，ＣＳＦＢ）モード、及びＬＴＥを介した音声（Ｖｏｉｃｅ  ｏｖｅｒ  ＬＴＥ，ＶｏＬＴＥ）モードなどである。異なるモードにあるＵＥは、異なる音声サービス・ベアラを有する（例えば、デュアルスタンバイ・モード及びＣＳＦＢモードのＵＥは、従来の２Ｇ／３Ｇネットワークの回線交換（Ｃｉｒｃｕｉｔ  Ｓｗｉｔｃｈｅｄ，ＣＳ）領域にある音声サービス・ベアラを有する。ＶｏＬＴＥモードのＵＥは、ＬＴＥネットワークのＥＰＳ領域にある音声サービス・ベアラを有する）が、ＬＴＥネットワーク内では同じデータ・サービス・ベアラ、すなわちＥＰＳベアラを有する。したがって、種々のモードにある現在のＵＥはすべて、ＬＴＥネットワークによって提供される高度な高速データ・サービスを享受することができる。
【０１０６】
ユーザの誤操作や悪意あるソフトウェアなどの要因によって発生する不必要なデータ使用の損失を回避するために、データ・サービス・スイッチが大半のＵＥに設置されており、それを使用してＵＥのデータ・サービス機能を有効化又は無効化する。ユーザがデータ・サービスを行う必要がない時は、このスイッチをオフにすることができる。ユーザがデータ・サービスを行う必要がある時には、このスイッチをオンにすることができる。ＵＥがデータ・サービス・スイッチをオフにした後、既存のＥＰＳベアラは除去されない。すなわち、ＵＥがデータ・サービス・スイッチをオフにした後も、既存のＥＰＳベアラは依然として存在する。データ・パケットを送信する必要がある場合には、データ・パケットはなおそのＥＰＳベアラ・チャネルで送信することができる。
実装形態１
【０１０７】
本発明の実装形態１は、第１のネットワーク側デバイス１０を提供する。第１のネットワーク側デバイス１０は、発展型ＮｏｄｅＢ（ｅｖｏｌｖｅｄ  Ｎｏｄｅ  Ｂ，ｅＮＢ）、又はサービング・ゲートウェイ（Ｓｅｒｖｉｎｇ  Ｇａｔｅｗａｙ，ＳＧＷ）であり得る。図１を参照すると、第１のネットワーク側デバイス１０は、
ＵＥのデータ・サービス・スイッチの状態を判定するように構成された判定ユニット１０１であって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定ユニット１０１と、
判定ユニット１０１がＵＥのデータ・サービス・スイッチがオフになっていると判定した場合、第１の通知メッセージを第２のネットワーク側デバイスに送信するように構成された第１の送信ユニット１０２であって、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む、第１の送信ユニット１０２と、を含むことができる。
【０１０８】
第２のネットワーク側デバイスは、ＵＥにサービスするパケット・データ・ネットワーク・ゲートウェイ（ＰＤＮ  Ｇａｔｅｗａｙ，ＰＧＷ）であってよいことに留意されたい。
【０１０９】
さらに、図２を参照すると、第１のネットワーク側デバイス１０は、
第２のネットワーク側デバイスによってＵＥに送信されたダウンリンク・データ・パケットを受信するように構成された第１の受信ユニット１０３と、
判定ユニット１０１がＵＥのデータ・サービス・スイッチがオフになっていると判定した場合に、第１の受信ユニット１０３が、第２のネットワーク側デバイスによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信ユニット１０４とをさらに備えることができる。
【０１１０】
さらに、第１の送信ユニット１０２はさらに、判定ユニット１０１がＵＥのデータ・サービス・スイッチがオフになっていると判定した場合、第２の通知メッセージを第２のネットワーク側デバイスに送信するように構成することができ、第２の通知メッセージは第２の命令情報及びＵＥの識別情報を含み、第２の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【０１１１】
さらに、第１の送信ユニット１０２はさらに、第１の通知メッセージを第２のネットワーク側デバイスに送信した後に、判定ユニット１０１がＵＥのデータ・サービス・スイッチがオンになっていると判定した場合、第３の通知メッセージを第２のネットワーク側デバイスに送信するように構成することができ、第３の通知メッセージは第３の命令情報及びＵＥの識別情報を含み、第３の命令情報は、第２のネットワーク側デバイスを通って流れるＵＥのデータ・パケットに対して課金するように第２のネットワーク側デバイスに命令するために使用される。
【０１１２】
さらに、第２の送信ユニット１０４はさらに、ＩＰ管理に使用されるダウンリンク・データ・パケットをＵＥに送信し、ＩＰ管理に使用されるダウンリンク・データ・パケット以外のダウンリンク・データ・パケットを破棄した後、判定ユニット１０１がＵＥのデータ・サービス・スイッチがオンになっていると判定した場合に、第１の受信ユニット１０３が第２のネットワーク側デバイスによってＵＥに送信されたダウンリンク・データ・パケットを受信すると、そのダウンリンク・データ・パケットをＵＥに送信するように構成することができる。
【０１１３】
さらに、第１の送信ユニット１０２はさらに、第２の通知メッセージを第２のネットワーク側デバイスに送信した後に、判定ユニット１０１がＵＥのデータ・サービス・スイッチがオンになっていると判定した場合、第４の通知メッセージを第２のネットワーク側デバイスに送信するように構成することができ、第４の通知メッセージは第４の命令情報及びＵＥの識別情報を含み、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【０１１４】
さらに、第１のネットワーク側デバイス１０は、
ＵＥによって送信されたアップリンク・データ・パケットを受信するように構成された第２の受信ユニット１０５、をさらに含むことができ、
判定ユニット１０１は具体的には、さらに、
第２の受信ユニット１０５が、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信ユニット１０５が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信ユニット１０５がＵＥによって送信されたアップリンク・データ・パケットを受信した場合、ＵＥのデータ・サービス・スイッチがオンになっていると判定する、ように構成することができる。
【０１１５】
さらに、図２を参照すると、第１のネットワーク側デバイス１０は計時ユニット１０６をさらに含むことができ、計時ユニット１０６は、
第２の受信ユニット１０５がＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信ユニット１０５がＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【０１１６】
計時ユニット１０６はタイマであってよいことに留意されたい。計時ユニット１０６の種類は本発明では限定されず、実際の要件に応じて決定されてよい。
【０１１７】
本発明のこの実装形態は、第１のネットワーク側デバイス１０を提供する。第１のネットワーク側デバイス１０は、ＵＥのデータ・サービス・スイッチの状態を判定し、ＵＥのデータ・サービス・スイッチがオフになっている場合、第１の通知メッセージを第２のネットワーク側デバイスに送信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。第１のネットワーク側デバイス１０は、ＵＥのデータ・サービス・スイッチがオフになっていると判定し、第１の通知メッセージを第２のネットワーク側デバイスに送信して、第２のネットワーク側デバイスを通って流れるＵＥのデータ・パケットに対する課金を省略するように第２のネットワーク側デバイスに命令する。したがって、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態２
【０１１８】
本発明の実装形態２は、第２のネットワーク側デバイス３０を提供する。第２のネットワーク側デバイスは、ＵＥにサービスするＰＧＷであってよい。図３を参照すると、第２のネットワーク側デバイス３０は、
第１のネットワーク側デバイスによって送信された第１の通知メッセージを受信するように構成された受信ユニット３０１であって、第１の通知メッセージは、第１のネットワーク側デバイスがＵＥのデータ・サービス・スイッチがオフになっていると判定すると第２のネットワーク側デバイス３０に送信され、第１の通知メッセージは、第１の命令情報及びＵＥの識別情報を含み、第１の命令情報は、第２のネットワーク側デバイス３０を通って流れるＵＥのデータ・パケットに対する課金を省略するように第２のネットワーク側デバイス３０に命令するために使用され、ＵＥのデータ・パケットは、ダウンリンク・データ・パケット、又はアップリンク・データ・パケット及びダウンリンク・データ・パケットを含む、受信ユニット３０１と、
受信ユニット３０１によって受信された第１の通知メッセージに従って、第２のネットワーク側デバイス３０を通って流れるＵＥのデータ・パケットに対する課金を省略するように構成された課金ユニット３０２と、を含むことができる。
【０１１９】
さらに、課金ユニット３０２は、具体的には、
受信ユニット３０１によって受信された第１の通知メッセージに従ってＰＣＣポリシーを無視し、第２のネットワーク側デバイス３０を通って流れるＵＥのデータ・パケットに対する課金を直接省略するように構成することができ、又は、
図４を参照すると、第２のネットワーク側デバイス３０は送信ユニット３０３をさらに含むことができ、送信ユニット３０３は、受信ユニット３０１によって受信された第１の通知メッセージに従って第２の通知メッセージをＰＣＲＦに送信するように構成され、第２の通知メッセージは第２の命令情報及びＵＥの識別情報を含み、第２の命令情報は、事前に設定された非課金ＰＣＣポリシーをＵＥに使用するようにＰＣＲＦに命令するために使用される。
【０１２０】
さらに、受信ユニット３０１はさらに、
第１のネットワーク側デバイスによって送信された第３の通知メッセージを受信するように構成することができ、第３の通知メッセージは、第１のネットワーク側デバイスがＵＥのデータ・サービス・スイッチがオフになっていると判定すると、第２のネットワーク側デバイスに送信され、第３の通知メッセージは第３の命令情報及びＵＥの識別情報を含み、第３の命令情報は、データ・サービスを提供するサーバにＵＥへのダウンリンク・データ・パケットの送信を中止するようにＰＣＲＦを使用して通知することを、第２のネットワーク側デバイスに命令するために使用され、
それに対応して、送信ユニット３０３はさらに、受信ユニット３０１によって受信された第３の通知メッセージに従って第４の通知メッセージをＰＣＲＦに送信するように構成することができ、第４の通知メッセージは第４の命令情報及びＵＥの識別情報を含み、第４の命令情報は、データ・サービスを提供するサーバに、UEへのダウンリンク・データ・パケットの送信を中止するように通知することを、ＰＣＲＦに命令するために使用される。
【０１２１】
さらに、受信ユニット３０１はさらに、
第１のネットワーク側デバイスによって送信された第５の通知メッセージを受信するように構成することができ、第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイス３０に送信され、第５の通知メッセージは第５の命令情報及びＵＥの識別情報を含み、第５の命令情報は、第２のネットワーク側デバイス３０を通って流れるＵＥのデータ・パケットに対して課金するように第２のネットワーク側デバイス３０に命令するために使用され、
課金ユニット３０２はさらに、受信ユニット３０１によって受信された第５の通知メッセージに従って、第２のネットワーク側デバイス３０を通って流れるＵＥのデータ・パケットに対して課金するように構成することができる。
【０１２２】
さらに、課金ユニット３０２は具体的には、
無視したＰＣＣポリシーを使用して、受信ユニット３０１によって受信された第５の通知メッセージに従って、第２のネットワーク側デバイス３０を通って流れるＵＥのデータ・パケットに対して課金するように構成されるか、又は
送信ユニット３０３はさらに、受信ユニット３０１によって受信された第５の通知メッセージに従って第６の通知メッセージをＰＣＲＦに送信するように構成することができ、第６の通知メッセージは第６の命令情報及びＵＥの識別情報を含み、第６の命令情報は、事前に設定された課金ＰＣＣポリシーをＵＥに使用するようにＰＣＲＦに命令するために使用される。
【０１２３】
さらに、受信ユニット３０１はさらに、
第１のネットワーク側デバイスによって送信された第７の通知メッセージを受信するように構成することができ、第７の通知メッセージは、第１のネットワーク側デバイスが第３の通知メッセージを送信した後に、第１のネットワーク側デバイスがＵＥのデータ・サービス・スイッチがオンになっていると判定した場合に、第２のネットワーク側デバイス３０に送信され、第７の通知メッセージは第７の命令情報及びＵＥの識別情報を含み、第７の命令情報は、データ・サービスを提供するサーバにＵＥへのダウンリンク・データ・パケットの送信を再開するようにＰＣＲＦを使用して通知することを、第２のネットワーク側デバイス３０に命令するために使用され、
それに対応して、送信ユニット３０３はさらに、受信ユニット３０１によって受信された第７の通知メッセージに従って第８の通知メッセージをＰＣＲＦに送信するように構成することができ、第８の通知メッセージは第８の命令情報及びＵＥの識別情報を含み、第８の命令情報は、データ・サービスを提供するサーバにＵＥへのダウンリンク・データ・パケットの送信を再開するように通知することを、ＰＣＲＦに命令するために使用される。
【０１２４】
本発明のこの実装形態は、第２のネットワーク側デバイス３０を提供する。第２のネットワーク側デバイス３０は、第１のネットワーク側デバイスによって送信された第１の通知メッセージを受信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、第２のネットワーク側デバイス３０は、第１の通知メッセージの命令に従って、第２のネットワーク側デバイスを通って流れるＵＥのデータ・パケットに対する課金を省略する。第１の通知メッセージは、第１のネットワーク側デバイスがＵＥのデータ・サービス・スイッチがオフになっていると判定すると送信されるので、ＵＥは、ＵＥのデータ・サービス・スイッチがオフにされた後は課金されない。これにより、ＵＥに対する不必要なデータ使用料の発生を回避し、さらにデータ使用の無駄を回避し、また、ＵＥのデータ・サービス・スイッチがオフにされた後にＵＥに対して不必要なデータ使用料が発生する可能性があるためにデータ使用の無駄があるという、従来技術の問題を解決する。
実装形態３
【０１２５】
本発明の実装形態３は、第３のネットワーク側デバイス５０を提供する。第３のネットワーク側デバイスは、ＵＥにサービスするＰＧＷであってよい。図５を参照すると、第３のネットワーク側デバイス５０は、
ＵＥのデータ・サービス・スイッチの状態を判定するように構成された判定ユニット５０１であって、ＵＥは、すでにネットワークに登録されたユーザ機器であり、データ・サービス・スイッチの状態は、データ・サービス・スイッチがオンになっていること、又はデータ・サービス・スイッチがオフになっていることを含む、判定ユニット５０１と、
判定ユニット５０１がＵＥのデータ・サービスがオフになっていると判定した場合、第３のネットワーク側デバイス５０を通って流れるＵＥのデータ・パケットに対する課金を省略するように構成された課金ユニット５０２と、を含むことができる。
【０１２６】
選択的に、課金ユニット５０２は具体的には、
ＰＣＣポリシーを無視し、第３のネットワーク側デバイス５０を通って流れるＵＥのデータ・パケットに対する課金を直接省略するように構成することができ、又は
図６に示すように、第３のネットワーク側デバイス５０は第１の送信ユニット５０３をさらに備えることができ、第１の送信ユニット５０３は、判定ユニット５０１がＵＥのデータ・サービスがオフになっていると判定した場合、第１の通知メッセージをＰＣＲＦに送信するように構成され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【０１２７】
さらに、図６を参照すると、第３のネットワーク側デバイス５０は、
データ・サービスを提供するサーバによってＵＥに送信されたダウンリンク・データ・パケットを受信するように構成された第１の受信ユニット５０４と、
判定ユニット５０１がＵＥのデータ・サービス・スイッチがオフになっていると判定した場合に、第１の受信ユニット５０４が、データ・サービスを提供するサーバによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信ユニット５０５と、をさらに備えることができる。
【０１２８】
さらに、第１の送信ユニット５０３はさらに、判定ユニット５０１がＵＥのデータ・サービスがオフになっていると判定した場合、第２の通知メッセージをＰＣＲＦに送信するように構成することができ、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される。
【０１２９】
さらに、課金ユニット５０２はさらに、
第３のネットワーク側デバイス５０を通って流れるＵＥのデータ・パケットに対する課金を省略した後、判定ユニット５０１がＵＥのデータ・サービス・スイッチがオンになっていると判定した場合、第３のネットワーク側デバイス５０を通って流れるＵＥのデータ・パケットに対して課金する、ように構成することができる。
【０１３０】
選択的に、課金ユニット５０２は具体的には、
無視したＰＣＣポリシーを使用して、第３のネットワーク側デバイス５０を通って流れるＵＥのデータ・パケットに対して課金するように構成することができ、又は、
第１の送信ユニット５０３はさらに、第３の通知メッセージをＰＣＲＦに送信するように構成することができ、第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【０１３１】
さらに、第２の送信ユニット５０５はさらに、
ＩＰ管理に使用されるダウンリンク・データ・パケットをＵＥに送信し、ＩＰ管理に使用されるダウンリンク・データ・パケット以外のダウンリンク・データ・パケットを破棄した後、判定ユニット５０１がＵＥのデータ・サービス・スイッチがオンになっていると判定した場合に、第１の受信ユニット５０４が、データ・サービスを提供するサーバによってＵＥに送信されたダウンリンク・データ・パケットを受信すると、そのダウンリンク・データ・パケットをＵＥに送信するように構成することができる。
【０１３２】
さらに、第１の送信ユニット５０３はさらに、
第２の通知メッセージをＰＣＲＦに送信した後に、判定ユニット５０１がＵＥのデータ・サービス・スイッチがオンになっていると判定した場合、第４の通知メッセージをＰＣＲＦに送信するように構成することができ、第４の通知メッセージは第４の命令情報及びＵＥの識別情報を含み、第４の命令情報は、データ・サービスを提供するサーバにＵＥへのダウンリンク・データ・パケットの送信を再開するように通知することをＰＣＲＦに命令するために使用される。
【０１３３】
さらに、第３のネットワーク側デバイス５０は、
ＵＥによって送信されたアップリンク・データ・パケットを受信するように構成された第２の受信ユニット５０６をさらに備え、
それに対応して、判定ユニット５０１は具体的には
第２の受信ユニット５０６が、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信ユニット５０６が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信ユニット５０６がＵＥによって送信されたアップリンク・データ・パケットを受信した場合、ＵＥのデータ・サービス・スイッチがオンになっていると判定する、ように構成される。
【０１３４】
さらに、図６を参照すると、第３のネットワーク側デバイス５０は計時ユニット５０７をさらに備えることができ、計時ユニット５０７は、
第２の受信ユニット５０６がＵＥによって送信されたアップリンク・データ・パケットを事前に設定された継続時間内に受信した場合、事前に設定された継続時間の計時が終了した後に、事前に設定された継続時間の計時を再度開始し、又は、
第２の受信ユニット５０６がＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成される。
【０１３５】
計時ユニット５０７はタイマであってよいことに留意されたい。計時ユニット５０７の種類は本発明では限定されず、実際の要件に応じて決定されてよい。
【０１３６】
本発明のこの実装形態は、第３のネットワーク側デバイス５０を提供する。第３のネットワーク側デバイス５０は、ＵＥのデータ・サービス・スイッチの状態を判定し、ＵＥのデータ・サービス・スイッチがオフになっている場合は、第３のネットワーク側デバイスを通って流れるＵＥのデータ・パケットに対する課金を省略する。したがって、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態４
【０１３７】
本発明の実装形態４は、ポリシー及び課金規則機能ユニット７０を提供する。図７を参照すると、ポリシー及び課金規則機能ユニット７０は、
第２のネットワーク側デバイス又は第３のネットワーク側デバイスによって送信された第１の通知メッセージを受信するように構成された受信ユニット７０１であって、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定すると、ＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＵＥのデータ・パケットは、ダウンリンク・データ・パケット、又はアップリンク・データ・パケット及びダウンリンク・データ・パケットを含む、受信ユニット７０１と、
受信ユニット７０１によって受信された第１の通知メッセージに従って、事前に設定された非課金ＰＣＣポリシーをＵＥに使用するように構成されたポリシー・ユニット７０２と、
事前に設定された非課金ＰＣＣポリシーを第２のネットワーク側デバイス又は第３のネットワーク側デバイスに送信するように構成された第１の送信ユニット７０３とを含むことができる。
【０１３８】
さらに、受信ユニット７０１はさらに、
第２のネットワーク側デバイス又は第３のネットワーク側デバイスによって送信された第２の通知メッセージを受信するように構成することができ、第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定すると、ＰＣＲＦに送信され、第２の通知メッセージは第２の命令情報及びＵＥの識別情報を含み、第２の命令情報は、データ・サービスを提供するサーバに、UEへのダウンリンク・データ・パケットの送信を中止するように通知することをＰＣＲＦに命令するために使用され、
さらに、図８に示すように、ポリシー及び課金規則機能ユニット７０は、第２の送信ユニット７０４をさらに備えることができ、第２の送信ユニット７０４は、受信ユニット７０１によって受信された第２の通知メッセージに従って第３の通知メッセージを、データ・サービスを提供するサーバに送信するように構成され、第３の通知メッセージは第３の命令情報及びＵＥの識別情報を含み、第３の命令情報は、データ・サービスを提供するサーバにＵＥへのダウンリンク・データ・パケットの送信を中止するように命令するために使用される。
【０１３９】
さらに、受信ユニット７０１はさらに、
第２のネットワーク側デバイス又は第３のネットワーク側デバイスによって送信された第４の通知メッセージを受信するように構成することができ、第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第４の通知メッセージは第４の命令情報及びＵＥの識別情報を含み、第４の命令情報は、事前に設定された課金ＰＣＣポリシーをＵＥに使用するようにＰＣＲＦに命令するために使用され、事前に設定された課金ＰＣＣポリシーは、第２のネットワーク側デバイス又は第３のネットワーク側デバイスを通って流れるＵＥのデータ・パケットに対して課金するポリシーであり、
ポリシー・ユニット７０２はさらに、受信ユニット７０１によって受信された第４の通知メッセージに従って、事前に設定された課金ＰＣＣポリシーをＵＥに使用するように構成することができ、
第１の送信ユニット７０３はさらに、事前に設定された課金ＰＣＣポリシーを第２のネットワーク側デバイス又は第３のネットワーク側デバイスに送信するように構成することができる。
【０１４０】
さらに、受信ユニット７０１はさらに、
第２のネットワーク側デバイス又は第３のネットワーク側デバイスによって送信された第５の通知メッセージを受信するように構成することができ、第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第５の通知メッセージは第５の命令情報及びＵＥの識別情報を含み、第５の命令情報は、データ・サービスを提供するサーバにＵＥへのダウンリンク・データ・パケットの送信を再開するように通知することをＰＣＲＦに命令するために使用され、
第２の送信ユニット７０４はさらに、受信ユニット７０１によって受信された第５の通知メッセージに従って第６の通知メッセージを、データ・サービスを提供するサーバに送信するように構成することができ、第６の通知メッセージは第６の命令情報及びＵＥの識別情報を含み、第６の命令情報は、データ・サービスを提供するサーバに、UEへのダウンリンク・データ・パケットの送信を中止するように通知するために使用される。
【０１４１】
本発明のこの実装形態はポリシー及び課金規則機能ユニット７０を提供する。ポリシー及び課金規則機能ユニット７０は、第２のネットワーク側デバイス又は第３のネットワーク側デバイスによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定すると、ＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ポリシー及び課金規則機能ユニット７０は、第１の通知メッセージに従って、事前に設定された非課金ＰＣＣポリシーをＵＥに使用し、ポリシー及び課金規則機能ユニット７０は、事前に設定された非課金ＰＣＣポリシーを、第２のネットワーク側デバイス又は第３のネットワーク側デバイスに送信する。第１の通知メッセージは、第１のネットワーク側デバイスがＵＥのデータ・サービス・スイッチがオフになっていると判定した場合に、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信されるので、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態５
【０１４２】
本発明の実装形態５は、サーバ９０を提供する。サーバ９０は、ＵＥにデータ・サービスを提供するように構成される。図９を参照すると、サーバ９０は、
ＰＣＲＦによって送信された第１の通知メッセージを受信するように構成された受信ユニット９０１であって、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、サーバ９０に、ＵＥへのダウンリンク・データ・パケットの送信を中止するように命令するために使用される、受信ユニット９０１と、
受信ユニット９０１によって受信された第１の通知メッセージに従って、ＵＥへのダウンリンク・データ・パケットの送信を中止するように構成された送信ユニット９０２とを含むことができる。
【０１４３】
さらに、受信ユニット９０１はさらに、
ＰＣＲＦによって送信された第２の通知メッセージを受信するように構成することができ、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の通知メッセージは第２の命令情報及びＵＥの識別情報を含み、第２の命令情報は、サーバに、ＵＥへのダウンリンク・データ・パケットの送信を再開するように命令するために使用され、
送信ユニット９０２はさらに、受信ユニット９０１によって受信された第２の通知メッセージに従って、ＵＥへのダウンリンク・データ・パケットの送信を再開するように構成することができる。
【０１４４】
本発明のこの実装形態は、サーバ９０を提供する。サーバ９０は、ＰＣＲＦによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、サーバに、ＵＥへのダウンリンク・データ・パケットの送信を中止するように命令するために使用され、サーバ９０は、第１の通知メッセージに従って、ＵＥへのダウンリンク・データ・パケットの送信を中止する。第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信されるので、サーバは、ＵＥのデータ・サービス・スイッチがオフにされた後は、ＵＥへのダウンリンク・データ・パケットの送信を中止する。サーバは、ＵＥのデータ・サービス・スイッチがオフにされた後は、ＵＥへのダウンリンク・データ・パケットの送信を中止するので、これにより、ＵＥに対する不必要なデータ使用料の発生を回避し、さらにデータ使用の無駄を回避し、また、ＵＥのデータ・サービス・スイッチがオフにされた後にＵＥに対して不必要なデータ使用料が発生する可能性があるためにデータ使用の無駄があるという、従来技術の問題を解決する。
実装形態６
【０１４５】
本発明の実装形態６は、データ・サービスを実装する方法を提供し、この方法は第１のネットワーク側デバイスに適用され、第１のネットワーク側デバイスは、ｅＮＢであっても、又はＳＧＷであってもよい。図１０に示すように、方法は以下のステップを含むことができる。
【０１４６】
Ｓ１００１。ＵＥのデータ・サービス・スイッチの状態を判定する。
【０１４７】
ＵＥは、すでにネットワークに登録されたユーザ機器であり、データ・サービス・スイッチの状態は、データ・サービス・スイッチがオンになっていること、又はデータ・サービス・スイッチがオフになっていることを含むことができる。
【０１４８】
好ましくは、ＵＥのデータ・サービス・スイッチの状態を判定することは、具体的には以下のステップＡ〜Ｃを含むことができる。
【０１４９】
Ａ。ＵＥによって送信されたアップリンク・データ・パケットが、事前に設定された継続時間内に受信されるかどうかを判定する。
【０１５０】
アップリンク・データ・パケットは、ＵＥからネットワーク側に送信されるデータ・パケットであり、これらに限定されないが、アップリンクのサービス・データ・パケット、ハートビート・パケット、又はＩＭＳ登録シグナリングを含む可能性がある。アップリンク・データ・パケットの形態は本発明では特に限定されない。
【０１５１】
アップリンクのサービス・データ・パケットは、ＵＥがデータ・サービスを開始する時に、ＵＥからネットワーク側に送信されるデータ・パケットである（例えばブラウザを開くことを要求する、又はファイルのダウンロードを要求する）。
【０１５２】
ハートビート・パケットは、２つの通信関係者のどちらかが相手に自分の状態を周期的に通知するために使用され、ある間隔で相手に送信される種類のデータ・パケットである。本発明におけるハートビート・パケットは、ネットワーク側との通信のプロセス中に周期的にＵＥからネットワーク側に送信されて、ＵＥの状態をネットワーク側に通知するデータ・パケットである。状態が、ＵＥのデータ・サービス・スイッチがオンになっているという状態であるとき、ＵＥは、事前に設定されたハートビート・パケット間隔でハートビート・パケットをネットワーク側に送信する。状態が、ＵＥのデータ・サービス・スイッチがオフになっているという状態であるとき、ＵＥはアップリンク・データ・パケットを送信せず、したがってネットワーク側へのハートビート・パケットの送信は中止される。
【０１５３】
ＩＭＳ登録シグナリングは、登録に使用されるシグナリングであり、ＵＥがＩＰマルチメディア・サブシステム（ＩＰ  Ｍｕｌｔｉｍｅｄｉａ  Ｓｕｂｓｙｓｔｅｍ，ＩＭＳ）へのサービス要求を開始する前に、ＵＥからＩＭＳに送信される。このシグナリングは、ＩＰデータ・パケットの形態でＵＥとＩＭＳの間で交換される。
【０１５４】
好ましくは、事前に設定された継続時間は、ＵＥのハートビート・パケット間隔の継続時間以上である。ハートビート・パケット間隔の継続時間は、デフォルトでシステムによって設定されても、又は種々の要件に従って設定されてもよく、本発明では特に限定されない。
【０１５５】
事前に設定された継続時間は、規定された固定の継続時間であり、事前に設定された継続時間はＵＥのハートビート・パケット間隔の継続時間以上であることに留意されたい。事前に設定された継続時間は、本発明では特に限定されない。実際の応用例では、事前に設定された継続時間は、特定のサービス要件に応じて設定することができる。具体的には、事前に設定された継続時間がより短く設定されると、ＵＥのデータ・サービス・スイッチの状態が、時間的により適切に判定される。
【０１５６】
事前に設定された継続時間は計時により実現可能であることにも留意されたい。具体的には、事前に設定された継続時間は、タイマによって実現することができる。事前に設定された継続時間の実現方式は、本発明では特に限定されない。
【０１５７】
さらに、事前に設定された継続時間の開始時間は任意の時であってよく、本発明では特に限定されない。例えば、事前に設定された継続時間の計時は、ＵＥの登録が完了した時から開始することができ、又は事前に設定された時点から開始することができる。
【０１５８】
選択的に、事前に設定された継続時間は周期的でも又は非周期的でもよく、具体的には次の２つの方式のいずれかを含むことができる。
【０１５９】
第１の方式では、事前に設定された継続時間は周期的である。
【０１６０】
ＵＥによって送信されたアップリンク・データ・パケットが事前に設定された継続時間以内に受信された場合、事前に設定された継続時間の計時は、事前に設定された継続時間の計時が終了した後に再度開始される。
【０１６１】
第１の方式で説明したように事前に設定された継続時間が周期的であるとき、ＵＥによって送信されたアップリンク・データ・パケットが事前に設定された継続時間以内に受信された場合、事前に設定された継続時間の計時は、事前に設定された継続時間の計時が終了した後に再度開始することができ、又は、ＵＥによって送信されたアップリンク・データ・パケットが事前に設定された継続時間以内に受信された場合、次の事前に設定された継続時間の計時は、事前に設定された継続時間の計時が終了した後に開始できることに留意されたい。すべての事前設定された継続時間（事前設定された継続時間及び／又は次の設定された継続時間）の時間長は同じである。周期的な事前設定された継続時間を実現する方式は、本発明では特に限定されない。
【０１６２】
第２の方式では、事前設定された継続時間は非周期的である。
【０１６３】
ＵＥによって送信されたアップリンク・データ・パケットが、事前に設定された継続時間以内に受信された場合、事前に設定された継続時間の計時は、ＵＥによって送信されたアップリンク・データ・パケットを受信した時に再度開始される。
【０１６４】
すなわち、ＵＥによって送信されたアップリンク・データ・パケットが、事前に設定された継続時間以内に受信された場合には、事前に設定された継続時間が繰り上げて終了し、事前に設定された継続時間の計時は、ＵＥによって送信されたアップリンク・データ・パケットを受信した時に再度開始される。
【０１６５】
例えば、事前に設定された継続時間は１０秒であり、事前に設定された継続時間の計時は００：００：００から開始される。
【０１６６】
ＵＥから送信されたアップリンク・データ・パケットが００：００：０２に受信されると、事前に設定された継続時間が繰り上げて終了し、事前に設定された継続時間の計時は００：００：０２から再度開始される。
【０１６７】
Ｂ。ＵＥによって送信されたアップリンク・データ・パケットが事前に設定された継続時間以内に受信されない場合は、ＵＥのデータ・サービス・スイッチがオフになっていると判定する。
【０１６８】
具体的には、状態がＵＥのデータ・サービス・スイッチがオンになっているという状態である場合には、ＵＥがデータ・サービスを使用しているかどうかに関係なく、ＵＥは、ハートビート・パケットを周期的にネットワーク側デバイスに送信する。したがって、事前に設定された継続時間がＵＥのハートビート・パケット間隔の継続時間以上であるときに、ＵＥによって送信されたアップリンク・データ・パケット（上述のハートビート・パケットを含む）が事前に設定された継続時間以内に受信されない場合は、ＵＥのデータ・サービス・スイッチがすでにオフになっていると判定することができる。ＵＥによって送信されたアップリンク・データ・パケットが事前に設定された継続時間以内に受信された場合は、ＵＥのデータ・サービス・スイッチがオフにされていないと判定することができる。
【０１６９】
例えば、システムのデフォルト設定は、ＵＥがハートビート・パケットをネットワーク側に１０秒の間隔で送信するというものである。この場合、事前に設定された継続時間は１０秒であっても又は１０秒より長くてもよい。例えば、事前に設定された継続時間は１２秒である。ＵＥによって送信されたアップリンク・データ・パケットが１２秒以内に受信されない場合は、ＵＥのデータ・サービス・スイッチがすでにオフになっていると判定される。ＵＥによって送信されたアップリンク・データ・パケットが１２秒以内に受信される場合は、ＵＥのデータ・サービス・スイッチがオフにされていないと判定される。
【０１７０】
Ｃ。ＵＥのデータ・サービス・スイッチがオフになっていると判定した後に、ＵＥによって送信されたアップリンク・データ・パケットが受信された場合は、ＵＥのデータ・サービス・スイッチがオンになっていると判定する。
【０１７１】
ＵＥのデータ・サービス・スイッチの状態を判定するには、上述のステップＡ〜Ｃに記載した方法に加えて、他の方式も使用できることに留意されたい。例えば、ＵＥは、ＵＥがデータ・サービス・スイッチをオン又はオフにしたことを通知するために使用される通知シグナリングを送信し、そのシグナリングが、ネットワーク内のデバイス（例えば移動性管理エンティティ（Ｍｏｂｉｌｉｔｙ  Ｍａｎａｇｅｍｅｎｔ  Ｅｎｔｉｔｙ，ＭＭＥ））によって第１のネットワーク側デバイスに転送される。第１のネットワーク側デバイスは、そのシグナリングに従って、ＵＥのデータ・サービス・スイッチの状態を判定する。ＵＥのデータ・サービス・スイッチの状態を判定するために使用される具体的な方法は本発明では限定されない。
【０１７２】
Ｓ１００２。ＵＥのデータ・サービス・スイッチがオフになっている場合、第１の通知メッセージを第２のネットワーク側デバイスに送信する。
【０１７３】
第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。
【０１７４】
選択的に、第２のネットワーク側デバイスは、ＵＥにサービスするＰＧＷであってよい。
【０１７５】
選択的に、ＵＥのデータ・パケットは、ダウンリンク・データ・パケット、又はアップリンク・データ・パケット及びダウンリンク・データ・パケットを含むことができる。
【０１７６】
本発明のすべての実装形態における通知メッセージは、実際の応用例ではシグナリングの形態であってよく、又は勿論他の形態であってもよいことに留意されたい。これは、本発明のこの実装形態では特に限定されない。
【０１７７】
さらに、通知メッセージがシグナリングの形態である場合、通知メッセージは、シグナリングの一部である場合も、又はすべてである場合もある。
【０１７８】
さらに、通知メッセージがシグナリングの形態である場合、既存のシグナリングを実装に使用しても、又は新しいシグナリングを定義してもよい。これも本発明では特に限定されない。
【０１７９】
さらに、通知メッセージがシグナリングの形態である場合、シグナリング内の通知メッセージの具体的な場所も実際の要件に従って決定することができる。これも本発明では特に限定されない。
【０１８０】
具体的には、第１の命令情報を使用して、第２のネットワーク側デバイスを通って流れるＵＥのデータ・パケットに対する課金を省略するように第２のネットワーク側デバイスに命令する。第１の命令情報の形態及び第１の命令情報に対応する意味は、前もって通信関係者（すなわち第１のネットワーク側デバイスと第２のネットワーク側デバイス）によって取り決めておくことができる。
【０１８１】
例えば、第１の命令情報は、コードの形態、例えば「０」又は「１」とすることができる。第１の命令情報は、文字列の形態、例えば「ＹＥＳ」又は「ＮＯ」であってもよい。勿論、第１の命令情報は他の形態で指示されてもよい。これは本発明では特に限定されない。
【０１８２】
第１の命令情報は、コンピュータ言語の形態でデバイスに記憶できることに留意されたい。
【０１８３】
選択的に、第１の命令情報及び第１の命令情報に対応する意味は、通信関係者のデバイスに記憶することができ、例えば、第１のネットワーク側デバイス及び第２のネットワーク側デバイスに記憶される。
【０１８４】
例えば、表１を参照すると、表１は、第１の命令情報と第１の命令情報に対応する意味の対応関係を示している。この対応関係を、表の形態で、第１のネットワーク側デバイス及び第２のネットワーク側デバイスのデバイスに記憶することができる。勿論、第１の命令情報と第１の命令情報に対応する意味の対応関係は、他の形態で第１のネットワーク側デバイス及び第２のネットワーク側デバイスのデバイスに記憶されてもよい。これは本発明では特に限定されない。
【０１８５】
【表１】
0006514321.tif 000002
【０１８６】
表１は、説明のために単に例を使用して第１の命令情報と第１の命令情報に対応する意味の対応関係を説明しており、第１の命令情報の形態及び内容を特に限定するものではないことに留意されたい。
【０１８７】
具体的には、ＵＥの識別情報は、ＵＥの一意の識別情報である。ＵＥは、ＵＥの識別情報に従って、一意且つ正確に特定されることが可能である。
【０１８８】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０１８９】
例えば、ＵＥ１の識別情報がＩＰアドレス１であるとすると、第１のネットワーク側デバイスと第２のネットワーク側デバイスは、「０」が第１の命令情報として使用されて、第２のネットワーク側デバイスを通って流れるＵＥのデータ・パケットに対する課金を省略するように第２のネットワーク側デバイスに命令することを取り決める。第１のネットワーク側デバイスが、ＵＥ１のデータ・サービス・スイッチがオフになっていると判定すると、第１のネットワーク側デバイスは、通知メッセージＡ、＜ＩＰアドレス１，０＞を第２のネットワーク側デバイスに送信し、この通知メッセージＡが使用されて、第２のネットワーク側デバイスを通って流れるＵＥ１のデータ・パケットに対する課金を省略するように第２のネットワーク側デバイスに命令し、その結果、第２のネットワーク側デバイスは、第２のネットワーク側デバイスを通って流れるＵＥ１のデータ・パケットに対する課金を省略する。
【０１９０】
通知メッセージ内の命令情報とＵＥの識別情報の順序は、本発明のすべての実装形態で限定されず、受信側と送信側によって通知メッセージが取り決められ、規定されることが保証される限り、実際の要件に応じて決定されてよいことに留意されたい。
【０１９１】
選択的に、第２のネットワーク側デバイスを通って流れるＵＥのデータ・パケットに対する課金を省略するように第２のネットワーク側デバイスに命令するために第１の命令情報が使用される方式は、これらに限定されないが、以下の２つの場合を含むことができる。
【０１９２】
第１の場合、第１の命令情報は、第２のネットワーク側デバイスを通って流れるＵＥのデータ・パケットに対する課金を省略するように第２のネットワーク側デバイスに通知するだけであり、第２のネットワーク側デバイスが課金を省略する具体的な方法は指示しない。
【０１９３】
第２の場合、第１の命令情報は、第２のネットワーク側デバイスを通って流れるＵＥのデータ・パケットについてどのように課金を省略するかを、具体的に第２のネットワーク側デバイスに命令する。以下の２つの方式が含まれる可能性がある。
【０１９４】
第１の方式では、第１の命令情報が使用されて、第２のネットワーク側デバイスを通って流れるＵＥのデータ・パケットについてＰＣＣポリシーを無視し、直接課金を省略するように第２のネットワーク側デバイスに命令する。
【０１９５】
ＰＣＣポリシーは、第２のネットワーク側デバイスを通って流れるＵＥのデータ・パケットに関して、ＰＣＲＦのためにカスタマイズされた課金方法である。
【０１９６】
第１の命令情報が使用されて、第２のネットワーク側デバイスを通って流れるＵＥのデータ・パケットについてＰＣＣポリシーを無視し、直接課金を省略するように第２のネットワーク側デバイスに命令するとき、第１の通知メッセージを受信した第２のネットワーク側デバイスは、ＰＣＣポリシーを参照せず、第２のネットワーク側デバイスを通って流れるＵＥのデータ・パケットに対する課金を直接省略し、ＵＥは、第１の通知メッセージに含まれるＵＥの識別情報に対応するユーザ機器である。
【０１９７】
好ましくは、ＵＥのデータ・サービス・スイッチがオフになっている時には、ＵＥはアップリンク・データ・パケットを送信しないので、第２のネットワーク側デバイスを通って流れるＵＥのダウンリンク・データ・パケットについてＰＣＣポリシーを無視し、直接課金を省略するように第２のネットワーク側デバイスに命令するために第１の命令情報が使用される可能性がある場合、第１の通知メッセージを受信した第２のネットワーク側デバイスは、以後ＰＣＣポリシーを参照せず、第２のネットワーク側デバイスを通って流れるＵＥのダウンリンク・データ・パケットに対する課金を直接省略し、ＵＥは、第１の通知メッセージに含まれるＵＥの識別情報に対応するユーザ機器である。
【０１９８】
第２の方式では、第１の命令情報が使用されて、事前に設定された非課金ＰＣＣポリシーをＵＥに使用するようにＰＣＲＦに通知することを第２のネットワーク側デバイスに命令し、事前に設定された非課金ＰＣＣポリシーは、第２のネットワーク側デバイスを通って流れるＵＥのデータ・パケットに対する課金を省略するポリシーである。
【０１９９】
ＰＣＲＦは、サービス・データ・フローとＩＰベアラ・リソースに関するポリシー及び課金制御ポリシー決定点である。ＰＣＲＦは、ポリシー及び課金実装機能ユニット（Ｐｏｌｏｃｙ  ａｎｄ  Ｃｈａｒｇｉｎｇ  Ｅｎｆｏｒｃｅｍｅｎｔ  Ｆｕｎｃｔｉｏｎ，ＰＣＥＦ）のために、利用可能なポリシー及び課金制御の決定を選択して提供する。
【０２００】
本発明のすべての実装形態における事前に設定された非課金ＰＣＣポリシーは、あらかじめＰＣＲＦの中に事前設定しておくことができ、又は第１の通知メッセージに従ってカスタマイズできることに留意されたい。事前に設定された非課金ＰＣＣポリシー及び具体的な内容を生成する時間は、本発明では限定されない。
【０２０１】
第１の命令情報が使用されて、事前に設定された非課金ＰＣＣポリシーをＵＥに使用するようにＰＣＲＦに通知することを第２のネットワーク側デバイスに命令すると、第１の通知メッセージを受信した第２のネットワーク側デバイスは、通知メッセージの形で、事前に設定された非課金ＰＣＣポリシーをＵＥに使用するようにＰＣＲＦに通知することができ、ＵＥは、通知メッセージに含まれるＵＥの識別情報に対応するＵＥである。第１の通知メッセージを受信した第２のネットワーク側デバイスは、ＰＣＣポリシーに従って引き続きＵＥに課金し、すなわち、事前に設定された非課金ＰＣＣポリシーに従ってＵＥに課金する。したがって、ＵＥには料金が発生しない。
【０２０２】
事前に設定された非課金ＰＣＣポリシーは、第２のネットワーク側デバイスを通って流れるＵＥのデータ・パケットに対する課金を省略するポリシーであるので、第１の通知メッセージを受信した第２のネットワーク側デバイスが、事前に設定された非課金ＰＣＣポリシーに従ってＵＥに課金する時、ＵＥに料金は発生しない。第２のネットワーク側デバイスは、第２のネットワーク側デバイスを通って流れるＵＥのデータ・パケットに対する課金を省略する。
【０２０３】
選択的に、第２のネットワーク側デバイスは、通知メッセージの形で、事前に設定された非課金ＰＣＣポリシーをＵＥに使用するようにＰＣＲＦに通知することができる。使用される通知メッセージの形態については、第１の通知メッセージを参照することができる。勿論、他の形態の通知も使用することができる。これは本発明では特に限定されない。
【０２０４】
本発明のこの実装形態は、データ・サービスを実装する方法を提供し、この方法は第１のネットワーク側デバイスに適用される。第１のネットワーク側デバイスは、ＵＥのデータ・サービス・スイッチの状態を判定し、ＵＥのデータ・サービス・スイッチがオフになっている場合、第１の通知メッセージを第２のネットワーク側デバイスに送信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。第１のネットワーク側デバイスは、ＵＥのデータ・サービス・スイッチの状態を判定し、ＵＥのデータ・サービス・スイッチがオフになっている場合、第１の通知メッセージを第２のネットワーク側デバイスに送信して、第２のネットワーク側デバイスを通って流れるＵＥのデータ・パケットに対する課金を省略するように第２のネットワーク側デバイスに命令する。したがって、ＵＥのデータ・サービス・スイッチがオフにされた後、ＵＥのデータ・パケットに対して課金は行われない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態７
【０２０５】
本発明の実装形態７は、データ・サービスを実装する別の方法を提供し、この方法は第１のネットワーク側デバイスに適用され、第１のネットワーク側デバイスは、ｅＮＢであっても、又はＳＧＷであってもよい。図１１に示すように、この方法は以下のステップを含むことができる。
【０２０６】
Ｓ１１０１。第１のネットワーク側デバイスがＵＥのデータ・サービス・スイッチの状態を判定する。
【０２０７】
ＵＥは、すでにネットワークに登録されたユーザ機器であり、データ・サービス・スイッチの状態は、データ・サービス・スイッチがオンになっていること、又はデータ・サービス・スイッチがオフになっていることを含むことができる。
【０２０８】
ＵＥのデータ・サービス・スイッチの状態の判定については、すでにステップＳ１００１で詳細に説明しており、ここでは繰り返し説明しないことに留意されたい。
【０２０９】
第１のネットワーク側デバイスが、ＵＥのデータ・サービス・スイッチの状態が、データ・サービス・スイッチがオフになっている状態であると判定した場合、第１のネットワーク側デバイスは、ステップＳ１１０２を行う。
【０２１０】
第１のネットワーク側デバイスがステップＳ１１０１でＵＥのデータ・サービス・スイッチの状態が、データ・サービス・スイッチがオンになっている状態であると判定した場合は、第２のネットワーク側デバイスは引き続き、第２のネットワーク側デバイスを通って流れるＵＥのデータ・パケットに課金することに留意されたい。これは従来技術と同じであり、ここでは繰り返し説明しない。
【０２１１】
Ｓ１１０２。ＵＥのデータ・サービス・スイッチがオフになっている場合、第１のネットワーク側デバイスは第１の通知メッセージを第２のネットワーク側デバイスに送信し、その結果、第２のネットワーク側デバイスは、第２のネットワーク側デバイスを通って流れるＵＥのデータ・パケットに対する課金を省略する。
【０２１２】
第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。
【０２１３】
このステップの内容は、ステップＳ１００２の内容と同じであり、ここでは繰り返し説明しない。
【０２１４】
第１のネットワーク側デバイスがＵＥのデータ・サービス・スイッチがオフになっていると判定すると、ステップＳ１１０２を行ってＵＥの課金を省略するのに加えて、第１のネットワーク側デバイスはさらにステップＳ１１０３及び／又はＳ１１０４を行ってＵＥに対する使用料の発生をさらに回避してもよいことに留意されたい。
【０２１５】
Ｓ１１０３。ＵＥのデータ・サービス・スイッチがオフになっている場合に、第１のネットワーク側デバイスが、第２のネットワーク側デバイスからＵＥに送信されたダウンリンク・データ・パケットを受信すると、第１のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄する。
【０２１６】
ダウンリンク・データ・パケットは、ネットワーク側からＵＥに送信されるデータ・パケットであり、一般にはダウンリンクのサービス・データ・パケット及びＩＰ管理に使用されるダウンリンク・データ・パケットを含むことができる。ダウンリンク・データ・パケットの種類は本発明では特に限定されない。
【０２１７】
ダウンリンクのサービス・データ・パケットは、ＵＥがデータ・サービスを開始した後に、ＵＥの要求に応答して、例えばウェブ・ページ要求に応答して、又はダウンロード要求に応答して、ネットワーク側からＵＥに送信されるデータ・パケットである（例えばブラウザを開くことを要求する、又はファイルのダウンロードを要求する）。
【０２１８】
ＩＰ管理に使用されるダウンリンク・データ・パケットは、ＩＰアドレスの管理、ＩＰアドレスの割り当てなどに使用されるデータ・パケットであり、例えば、自動的にＩＰアドレスを割り当てるために使用される動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ，ＤＨＣＰ）データ・パケットである可能性がある。
【０２１９】
具体的には、データ・パケットがＩＰ管理に使用されるデータ・パケットであるかどうかは、データ・パケットを解析することにより、ポート番号や何らかの特別なフィールドなどの情報に従って判定することができる。勿論、判定は他の方式に従って行われてもよく、本発明では特に限定されない。
【０２２０】
例えば、第１のネットワーク側デバイスが第２のネットワーク側デバイスによってＵＥに送信されたデータ・パケット１を受信し、データ・パケット１の解析により、データ・パケット１に対応するポート番号ＵＤＰ６７／６８を得た場合、データ・パケット１はＤＨＣＰデータ・パケットであると判定することができる。
【０２２１】
Ｓ１１０４。ＵＥのデータ・サービス・スイッチがオフになっている場合、第１のネットワーク側デバイスは第２の通知メッセージを第２のネットワーク側デバイスに送信し、その結果、第２のネットワーク側デバイスはＰＣＲＦを使用して、データ・サービスを提供するサーバに、UEへのダウンリンク・データ・パケットの送信を中止するように通知する。
【０２２２】
第２の通知メッセージは第２の命令情報及びＵＥの識別情報を含み、第２の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【０２２３】
具体的には、第２の命令情報の形態及び第２の命令情報に対応する意味は、通信関係者（すなわち第１のネットワーク側デバイスと第２のネットワーク側デバイス）によって取り決めておくことができる。
【０２２４】
例えば、第２の命令情報は、コードの形態、例えば「０」又は「１」とすることができる。第２の命令情報は、文字列の形態、例えば「ＹＥＳ」又は「ＮＯ」であってもよい。勿論、第２の命令情報は他の形態で指示されてもよい。これは本発明では特に限定されない。
【０２２５】
第２の命令情報は、コンピュータ言語の形態でデバイスに記憶できることに留意されたい。
【０２２６】
選択的に、第２の命令情報及び第２の命令情報に対応する意味は、通信関係者のデバイスに記憶することができ、例えば、第１のネットワーク側デバイス及び第２のネットワーク側デバイスに記憶される。
【０２２７】
例えば、表２を参照すると、表２は、第２の命令情報と第２の命令情報に対応する意味の対応関係を示している。この対応関係を、表の形態で、第１のネットワーク側デバイス及び第２のネットワーク側デバイスのデバイスに記憶することができる。勿論、第２の命令情報と第２の命令情報に対応する意味の対応関係は、他の形態で第１のネットワーク側デバイス及び第２のネットワーク側デバイスのデバイスに記憶されてもよい。これは本発明では特に限定されない。
【０２２８】
【表２】
0006514321.tif 000003
【０２２９】
表２は、説明のために単に例を使用して第２の命令情報と第２の命令情報に対応する意味の対応関係を説明しており、第２の命令情報の形態及び内容を特に限定するものではないことに留意されたい。
【０２３０】
具体的には、ＵＥの識別情報は、ＵＥの一意の識別情報である。ＵＥは、ＵＥの識別情報に従って、一意且つ正確に特定されることが可能である。
【０２３１】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０２３２】
例えば、ＵＥ２の識別情報がＩＰアドレス２であるとすると、第１のネットワーク側デバイスと第２のネットワーク側デバイスは、「ＳＴＯＰ」が第２の命令情報として使用されて、データ・サービスを提供するサーバにＵＥへのダウンリンク・データ・パケットの送信を中止するようにＰＣＲＦを使用して通知することを第２のネットワーク側デバイスに命令することを取り決める。第１のネットワーク側デバイスが、ＵＥ２のデータ・サービス・スイッチがオフになっていると判定すると、第１のネットワーク側デバイスは、通知メッセージＢ、＜ＩＰアドレス  ２，ＳＴＯＰ＞を第２のネットワーク側デバイスに送信し、この通知メッセージＢが使用されて、データ・サービスを提供するサーバにＵＥ２へのダウンリンク・データ・パケットの送信を中止するようにＰＣＲＦを使用して通知することを第２のネットワーク側デバイスに命令し、その結果、第２のネットワーク側デバイスはＰＣＲＦを使用して、データ・サービスを提供するサーバにＵＥ２へのダウンリンク・データ・パケットの送信を中止するように通知する。
【０２３３】
第２のネットワーク側デバイスがＰＣＲＦを使用して、データ・サービスを提供するサーバに、UEへのダウンリンク・データ・パケットの送信を中止するように通知する時には、ある形態の通知メッセージが使用されて、データ・サービスを提供するサーバに通知を行うことができる。通知メッセージの形態については、ステップＳ１１０４の第２の通知メッセージを参照することができる。勿論、他の形態の通知メッセージがデータ・サービスを提供するサーバへの通知に使用されてもよい。これは本発明では特に限定されない。
【０２３４】
実際の応用例では、ステップＳ１１０２で第１のネットワーク側デバイスから第２のネットワーク側デバイスに送信される第１の通知メッセージと、ステップＳ１１０４で第１のネットワーク側デバイスから第２のネットワーク側デバイスに送信される第２の通知メッセージは、１つの通知メッセージを使用して実現できることに留意されたい。通知メッセージは、第２のネットワーク側デバイスを通って流れるＵＥのデータ・パケットに対する課金を省略するように第２のネットワーク側デバイスに命令するために使用される命令情報と、データ・サービスを提供するサーバにＵＥへのダウンリンク・データ・パケットの送信を中止するようにＰＣＲＦを使用して通知することを第２のネットワーク側デバイスに命令するために使用される命令情報と、ＵＥの識別情報とを含む。勿論、第２のネットワーク側デバイスを通って流れるＵＥのデータ・パケットに対する課金を省略するように第２のネットワーク側デバイスに命令するために使用される命令情報と、データ・サービスを提供するサーバにＵＥへのダウンリンク・データ・パケットの送信を中止するようにＰＣＲＦを使用して通知することを第２のネットワーク側デバイスに命令するために使用される命令情報も、１つの命令情報を使用して実現することができる。これは本発明では特に限定されない。
【０２３５】
例えば、ＵＥ３の識別情報がＩＰアドレス３であるとすると、第１のネットワーク側デバイスと第２のネットワーク側デバイスは、「０」が使用されて、第２のネットワーク側デバイスを通って流れるＵＥのデータ・パケットに対する課金を省略するように第２のネットワーク側デバイスに命令し、「１」が使用されて、データ・サービスを提供するサーバにＵＥへのダウンリンク・データ・パケットの送信を中止するようにＰＣＲＦを使用して通知することを第２のネットワーク側デバイスに命令することを取り決める。第１のネットワーク側デバイスが、ＵＥ３のデータ・サービス・スイッチがオフになっていると判定した場合、第１のネットワーク側デバイスは、通知メッセージＣ、＜ＩＰアドレス  ３，０，１＞を第２のネットワーク側デバイスに送信し、その結果、第２のネットワーク側デバイスは、第２のネットワーク側デバイスを通って流れるＵＥのデータ・パケットに対する課金を省略し、また、データ・サービスを提供するサーバにＵＥへのダウンリンク・データ・パケットの送信を中止するように、ＰＣＲＦを使用して通知する。それに代えて、第１のネットワーク側デバイスがＵＥ３のデータ・サービス・スイッチがオフになっていると判定した場合、第１のネットワーク側デバイスは通知メッセージＣ、＜ＩＰアドレス  ３，０１＞を第２のネットワーク側デバイスに送信し、その結果、第２のネットワーク側デバイスは、第２のネットワーク側デバイスを通って流れるＵＥのデータ・パケットに対する課金を省略し、またＰＣＲＦを使用して、データ・サービスを提供するサーバに、UEへのダウンリンク・データ・パケットの送信を中止するように通知する。
【０２３６】
上記では１つの通知メッセージを使用して第１の通知メッセージと第２の通知メッセージを実現する方式を説明するために単なる例を例示し、１つの通知メッセージを使用して第１の通知メッセージと第２の通知メッセージを実現する方式は特にそれに限定されないことに留意されたい。
【０２３７】
１つの通知メッセージに含まれる複数の命令情報及びＵＥの識別情報の順序は本発明のすべての実装形態で限定されず、受信側と送信側によって通知メッセージが取り決められ、決定されることが保証される限り、実際の要件に応じて決定されてよいことに留意されたい。
【０２３８】
また、ステップＳ１１０２、Ｓ１１０３、及びＳ１１０４は、実際の応用例のプロセスでは、同時に行われても、又は順次行われてもよいことにも留意されたい。これは本発明では特に限定されない。図１１には、ステップＳ１１０２、Ｓ１１０３、及びＳ１１０４が同時に行われる場合のみを示すが、ステップＳ１１０２、Ｓ１１０３、及びＳ１１０４を行う順序を特に限定するものではない。
【０２３９】
ステップＳ１１０２の後、ＵＥがデータ・サービス・スイッチをオンにすると、第１のネットワーク側デバイスは、ＵＥのデータ・サービス・スイッチの状態がデータ・サービス・スイッチがオンになっている状態であると判定し、それは、ＵＥを使用しているユーザがデータ・サービスを要求していることを示唆する。その場合、第１のネットワーク側デバイスはステップＳ１１０５を行う必要がある。
【０２４０】
Ｓ１１０５。ＵＥのデータ・サービス・スイッチがオンになっている場合、第１のネットワーク側デバイスは第３の通知メッセージを第２のネットワーク側デバイスに送信し、その結果、第２のネットワーク側デバイスは、第２のネットワーク側デバイスを通って流れるＵＥのデータ・パケットに対して課金する。
【０２４１】
第３の通知メッセージは第３の命令情報及びＵＥの識別情報を含む。
【０２４２】
具体的には、第３の命令情報は、第２のネットワーク側デバイスを通って流れるＵＥのデータ・パケットに対して課金するように第２のネットワーク側デバイスに命令するために使用される。第３の命令情報の形態及び第３の命令情報に対応する意味は、前もって通信関係者（すなわち第１のネットワーク側デバイスと第２のネットワーク側デバイス）によって取り決めておくことができる。
【０２４３】
例えば、第３の命令情報は、コードの形態、例えば「０」又は「１」とすることができる。第３の命令情報は、文字列の形態、例えば「ＹＥＳ」又は「ＮＯ」であってもよい。勿論、第３の命令情報は他の形態で指示されてもよい。これは本発明では特に限定されない。
【０２４４】
第３の命令情報は、コンピュータ言語の形態でデバイスに記憶できることに留意されたい。
【０２４５】
選択的に、第３の命令情報及び第３の命令情報に対応する意味は、通信関係者のデバイスに記憶することができ、例えば、第１のネットワーク側デバイス及び第２のネットワーク側デバイスに記憶される。
【０２４６】
例えば、表３を参照すると、表３は、第３の命令情報と第３の命令情報に対応する意味の対応関係を示している。この対応関係を、表の形態で、第１のネットワーク側デバイス及び第２のネットワーク側デバイスのデバイスに記憶することができる。勿論、第３の命令情報と第３の命令情報に対応する意味の対応関係は、他の形態で第１のネットワーク側デバイス及び第２のネットワーク側デバイスのデバイスに記憶されてもよい。これは本発明では特に限定されない。
【０２４７】
【表３】
0006514321.tif 000004
【０２４８】
表３は、説明のために単に例を使用して第３の命令情報と第３の命令情報に対応する意味の対応関係を説明しており、第３の命令情報の形態及び内容を特に限定するものではないことに留意されたい。
【０２４９】
具体的には、ＵＥの識別情報は、ＵＥの一意の識別情報である。ＵＥは、ＵＥの識別情報に従って、一意且つ正確に特定されることが可能である。
【０２５０】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０２５１】
例えば、ＵＥ４の識別情報がＩＰアドレス４であるとすると、第１のネットワーク側デバイスと第２のネットワーク側デバイスは、「１」が第１の命令情報として使用されて、第２のネットワーク側デバイスを通って流れるＵＥのデータ・パケットに対して課金するように第２のネットワーク側デバイスに命令することを取り決める。第１のネットワーク側デバイスがＵＥ４のデータ・サービス・スイッチがオフになっていると判定した場合、第１のネットワーク側デバイスは、通知メッセージＤ、＜ＩＰアドレス  ４，１＞を第２のネットワーク側デバイスに送信し、この通知メッセージＤが使用されて、第２のネットワーク側デバイスを通って流れるＵＥ４のデータ・パケットに対して課金するように第２のネットワーク側デバイスに命令し、その結果、第２のネットワーク側デバイスは、第２のネットワーク側デバイスを通って流れるＵＥ４のデータ・パケットに対して課金する。
【０２５２】
選択的に、第３の命令メッセージが、第２のネットワーク側デバイスを通って流れるＵＥのデータ・パケットに対して課金するように第２のネットワーク側デバイスに命令することは、以下の２つの場合のどちらかを含んでもよい。
【０２５３】
第１の場合、第３の命令情報は、第２のネットワーク側デバイスを通って流れるＵＥのデータ・パケットに対して課金するように第２のネットワーク側デバイスに命令するだけであり、課金の具体的な方式は指示しない。
【０２５４】
第１の場合、第３の命令情報は、第２のネットワーク側デバイスを通って流れるＵＥのデータ・パケットに対して課金するように第２のネットワーク側デバイスに命令するだけである。課金の具体的な方式は、ステップＳ１１０２で第２のネットワーク側デバイスを通って流れるＵＥのデータ・パケットに対する課金を省略するように第２のネットワーク側デバイスに命令する方式に対応する。
【０２５５】
例えば、ステップＳ１１０２で、第１の命令情報が第２のネットワーク側デバイスに、ＰＣＣポリシーを無視し、第２のネットワーク側デバイスを通って流れるＵＥのデータ・パケットに対する課金を直接省略するように命令する場合に、第２のネットワーク側デバイスが第３の通知メッセージを受信すると、無視したＰＣＣポリシーを参照して、第２のネットワーク側デバイスを通って流れるＵＥのデータ・パケットに対して課金が行われる。
【０２５６】
第２の場合は、第１の命令情報が第２のネットワーク側デバイスに、第２のネットワーク側デバイスを通って流れるＵＥのデータ・パケットに対する課金を省略するように命令する方式が少なくとも２つある。第３の命令情報が、第２のネットワーク側デバイスを通って流れるＵＥのデータ・パケットに対して課金するように第２のネットワーク側デバイスに命令することも、それに対応して以下の２つの方式のどちらかを含む可能性がある。
【０２５７】
第１の方式では、第２のネットワーク側デバイスに送信された第１の通知メッセージが、第２のネットワーク側デバイスに、ＰＣＣポリシーを無視し、第２のネットワーク側デバイスを通って流れるＵＥのデータ・パケットに対する課金を直接省略するように命令する場合、第１の通知メッセージが送信された後に、第１のネットワーク側デバイスがＵＥのデータ・サービス・スイッチがオンになっていると判定すると、第２のネットワーク側デバイスに送信される第３の通知メッセージは、第２のネットワーク側デバイスに、第２のネットワーク側デバイスを通って流れるＵＥのデータ・パケットに対して再度課金するように、すなわち、無視したＰＣＣポリシーを参照して、第２のネットワーク側デバイスを通って流れるＵＥのデータ・パケットに対して課金を行うように命令する。
【０２５８】
第２の方式では、第２のネットワーク側デバイスに送信された第１の通知メッセージが、事前に設定された非課金ＰＣＣポリシーをＵＥに使用するようにＰＣＲＦに通知することを第２のネットワーク側デバイスに命令する場合、ここで、事前に設定された非課金ＰＣＣポリシーは、第２のネットワーク側デバイスを通って流れるＵＥのデータ・パケットに対する課金を省略するポリシーであり、その場合に、第１の通知メッセージが送信された後に、第１のネットワーク側デバイスがＵＥのデータ・サービス・スイッチがオンになっていると判定すると、第２のネットワーク側デバイスに送信される第３の通知メッセージは、事前に設定された課金ＰＣＣポリシーをＵＥに使用するようにＰＣＲＦに通知することを第２のネットワーク側デバイスに命令し、事前に設定された課金ＰＣＣポリシーは、第２のネットワーク側デバイスを通って流れるＵＥのデータ・パケットに対して課金するポリシーである。
【０２５９】
本発明のすべての実装形態における事前に設定された課金ＰＣＣポリシーは、あらかじめＰＣＲＦの中に事前設定しておくことができ、又は第３の通知メッセージに従ってカスタマイズできることに留意されたい。事前に設定された課金ＰＣＣポリシー及び具体的な内容を生成する時間は、本発明では限定されない。
【０２６０】
ステップＳ１１０３の後、ＵＥがデータ・サービス・スイッチをオンにすると、第１のネットワーク側デバイスはＵＥのデータ・サービス・スイッチがオンになっていると判定し、それは、ＵＥを使用しているユーザがデータ・サービスを要求していることを示唆する。その場合、第１のネットワーク側デバイスはステップＳ１１０６を行う必要がある。
【０２６１】
Ｓ１１０６。ＵＥのデータ・サービス・スイッチがオンになっている場合に、第１のネットワーク側デバイスが、第２のネットワーク側デバイスからＵＥに送信されたダウンリンク・データ・パケットを受信すると、第１のネットワーク側デバイスはそのダウンリンク・データ・パケットをＵＥに送信する。
【０２６２】
ステップＳ１１０４の後、ＵＥがデータ・サービス・スイッチをオンにすると、第１のネットワーク側デバイスはＵＥのデータ・サービス・スイッチがオンになっていると判定し、それは、ＵＥを使用しているユーザがデータ・サービスを要求していることを示唆する。その場合、第１のネットワーク側デバイスはさらにステップＳ１１０７を行う必要がある。
【０２６３】
Ｓ１１０７。ＵＥのデータ・サービス・スイッチがオンになっている場合、第１のネットワーク側デバイスは、第４の通知メッセージを第２のネットワーク側デバイスに送信し、その結果、第２のネットワーク側デバイスは、ＰＣＲＦを使用して、データ・サービスを提供するサーバにＵＥへのダウンリンク・データ・パケットの送信を再開するように通知する。
【０２６４】
第４の通知メッセージは第４の命令情報及びＵＥの識別情報を含む。
【０２６５】
具体的には、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。第４の命令情報の形態及び第４の命令情報に対応する意味は、前もって通信関係者（すなわち第１のネットワーク側デバイスと第２のネットワーク側デバイス）によって取り決めておくことができる。
【０２６６】
例えば、第４の命令情報は、コードの形態、例えば「０」又は「１」とすることができる。第４の命令情報は、文字列の形態、例えば「ＹＥＳ」又は「ＮＯ」であってもよい。勿論、第４の命令情報は他の形態で指示されてもよい。これは本発明では特に限定されない。
【０２６７】
第４の命令情報は、コンピュータ言語の形態でデバイスに記憶できることに留意されたい。
【０２６８】
選択的に、第４の命令情報及び第４の命令情報に対応する意味は、通信関係者のデバイスに記憶することができ、例えば、第１のネットワーク側デバイス及び第２のネットワーク側デバイスに記憶される。
【０２６９】
例えば、表４を参照すると、表４は、第４の命令情報と第４の命令情報に対応する意味の対応関係を示している。この対応関係を、表の形態で、第１のネットワーク側デバイス及び第２のネットワーク側デバイスのデバイスに記憶することができる。勿論、第４の命令情報と第４の命令情報に対応する意味の対応関係は、他の形態で第１のネットワーク側デバイス及び第２のネットワーク側デバイスのデバイスに記憶されてもよい。これは本発明では特に限定されない。
【０２７０】
【表４】
0006514321.tif 000005
【０２７１】
表４は、説明のために単に例を使用して第４の命令情報と第４の命令情報に対応する意味の対応関係を説明しており、第４の命令情報の形態及び内容を特に限定するものではないことに留意されたい。
【０２７２】
具体的には、ＵＥの識別情報は、ＵＥの一意の識別情報である。ＵＥは、ＵＥの識別情報に従って、一意且つ正確に特定されることが可能である。
【０２７３】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０２７４】
例えば、ＵＥ５の識別情報がＩＰアドレス５であるとすると、第１のネットワーク側デバイスと第２のネットワーク側デバイスは、「ＢＥＧＩＮ」が第１の命令情報として使用されて、データ・サービスを提供するサーバにＵＥへのダウンリンク・データ・パケットの送信を再開するようにＰＣＲＦを使用して通知することを第２のネットワーク側デバイスに命令することを取り決める。第１のネットワーク側デバイスがＵＥ５のデータ・サービス・スイッチがオンになっていると判定した場合、第１のネットワーク側デバイスは、通知メッセージＥ、＜ＩＰアドレス  ５，ＢＥＧＩＮ＞を第２のネットワーク側デバイスに送信し、この通知メッセージＥが使用されて、データ・サービスを提供するサーバにＵＥ５へのダウンリンク・データ・パケットの送信を再開するようにＰＣＲＦを使用して通知することを第２のネットワーク側デバイスに命令し、その結果、第２のネットワーク側デバイスはＰＣＲＦを使用して、データ・サービスを提供するサーバにＵＥ５へのダウンリンク・データ・パケットの送信を再開するように通知する。
【０２７５】
実際の応用例では、ステップＳ１１０５で第１のネットワーク側デバイスから第２のネットワーク側デバイスに送信される第３の通知メッセージと、ステップＳ１１０７で第１のネットワーク側デバイスから第２のネットワーク側デバイスに送信される第４の通知メッセージは、１つの通知メッセージを使用して実現できることに留意されたい。通知メッセージは、第２のネットワーク側デバイスを通って流れるＵＥのデータ・パケットに対して課金するように第２のネットワーク側デバイスに命令するために使用される命令情報と、データ・サービスを提供するサーバにＵＥへのダウンリンク・データ・パケットの送信を再開するようにＰＣＲＦを使用して通知することを第２のネットワーク側デバイスに命令するために使用される命令情報と、ＵＥの識別情報とを含む。勿論、第２のネットワーク側デバイスを通って流れるＵＥのデータ・パケットに対して課金するように第２のネットワーク側デバイスに命令するために使用される命令情報と、データ・サービスを提供するサーバにＵＥへのダウンリンク・データ・パケットの送信を再開するようにＰＣＲＦを使用して通知することを第２のネットワーク側デバイスに命令するために使用される命令情報も、１つの命令情報を使用して実現することができる。これは本発明では特に限定されない。
【０２７６】
ステップＳ１１０５、Ｓ１１０６、及びＳ１１０７は、実際の応用例のプロセスでは、同時に行われても、又は順次行われてもよいことに留意されたい。これは本発明では特に限定されない。図１１には、ステップＳ１１０５、Ｓ１１０６、及びＳ１１０７が同時に行われる場合のみを示すが、ステップＳ１１０５、Ｓ１１０６、及びＳ１１０７を行う順序を特に限定するものではない。
【０２７７】
本発明のこの実装形態は、データ・サービスを実装する方法を提供する。第１のネットワーク側デバイスが、ＵＥのデータ・サービス・スイッチの状態を判定し、ＵＥのデータ・サービス・スイッチがオフになっている場合、第１の通知メッセージを第２のネットワーク側デバイスに送信する。第１のネットワーク側デバイスが、第２のネットワーク側デバイスによってＵＥに送信されたダウンリンク・データ・パケットを受信すると、第１のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄する。そして、第１のネットワーク側デバイスは、第２の通知メッセージを第２のネットワーク側デバイスに送信する。ＵＥは、すでにネットワークに登録されたユーザ機器であり、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。第２の通知メッセージは、第２の命令情報及びＵＥの識別情報を含み、第２の命令情報は、データ・サービスを提供するサーバにＵＥへのダウンリンク・データ・パケットの送信を中止するようにＰＣＲＦを使用して通知することを第２のネットワーク側デバイスに命令するために使用される。第１のネットワーク側デバイスは、ＵＥのデータ・サービス・スイッチの状態を判定し、ＵＥのデータ・サービス・スイッチがオフになっている場合、第２のネットワーク側デバイスを通って流れるＵＥのデータ・パケットに対する課金を省略するように第２のネットワーク側デバイスに命令する。第１のネットワーク側デバイスが、第２のネットワーク側デバイスからＵＥに送信されたダウンリンク・データ・パケットを受信すると、第１のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄する。第１のネットワーク側デバイスはまた、データ・サービスを提供するサーバにＵＥへのダウンリンク・データ・パケットの送信を中止するようにＰＣＲＦを使用して通知することを、第２のネットワーク側デバイスに命令する。課金を省略し、ＩＰ管理に使用されるダウンリンク・データ・パケット以外のダウンリンク・データ・パケットを破棄するように命令し、データ・サービスを提供するサーバにＵＥにダウンリンク・データ・パケットを送信しないように命令することにより、この実装形態は、ＵＥのデータ・サービス・スイッチがオフにされた後にＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態８
【０２７８】
本発明の実装形態８は、データ・サービスを実装するさらに別の方法を提供し、この方法は第２のネットワーク側デバイスに適用される。図１２に示すように、方法は以下のステップを含むことができる。
【０２７９】
Ｓ１２０１。第２のネットワーク側デバイスが、第１のネットワーク側デバイスによって送信された第１の通知メッセージを受信する。
【０２８０】
第１の通知メッセージは、第１の命令情報及びＵＥの識別情報を含む。第１の通知メッセージは、第１のネットワーク側デバイスがＵＥのデータ・サービス・スイッチがオフになっていると判定すると、第２のネットワーク側デバイスに送信される。第１の命令情報は、第２のネットワーク側デバイスを通って流れるＵＥのデータ・パケットに対する課金を省略するように第２のネットワーク側デバイスに命令するために使用される。
【０２８１】
選択的に、第２のネットワーク側デバイスは、ＵＥにサービスするＰＧＷであってよい。
【０２８２】
具体的には、第１の通知メッセージの形態及び内容は、ステップＳ１００１の第１の通知メッセージと同じであり、ここでは繰り返し説明しない。
【０２８３】
Ｓ１２０２。第２のネットワーク側デバイスは、第１の通知メッセージに従って、第２のネットワーク側デバイスを通って流れるＵＥのデータ・パケットに対する課金を省略する。
【０２８４】
ＵＥのデータ・パケットは、ダウンリンク・データ・パケット、又はアップリンク・データ・パケット及びダウンリンク・データ・パケットを含むことができる。
【０２８５】
選択的に、第２のネットワーク側デバイスが第１の通知メッセージに従って、第２のネットワーク側デバイスを通って流れるＵＥのデータ・パケットに対する課金を省略する方式は、第１の通知メッセージの命令内容に関係し、具体的には次の２つの場合を含む可能性がある。
【０２８６】
第１の場合、第１の通知メッセージは、第２のネットワーク側デバイスを通って流れるＵＥのデータ・パケットに対する課金を省略するように第２のネットワーク側デバイスに通知するだけであり、課金を省略する具体的な方法は指示しない。第１の通知メッセージを受信した第２のネットワーク側デバイスは、第２のネットワーク側デバイスを通って流れるＵＥのデータ・パケットに対する課金を省略する具体的な方式を自身で決定する。
【０２８７】
第２の場合、第１の通知メッセージは、第２のネットワーク側デバイスを通って流れるＵＥのデータ・パケットに対する課金を省略するように第２のネットワーク側デバイスに通知し、課金を省略する具体的な方法を指示する。第１の通知メッセージを受信した第２のネットワーク側デバイスは、第１の通知メッセージに指示される方式に従って、第２のネットワーク側デバイスを通って流れるＵＥのデータ・パケットに対する課金を省略する。
【０２８８】
上述の２つの場合のいずれでも、第２のネットワーク側デバイスは、次の２つの方式を使用して、第２のネットワーク側デバイスを通って流れるＵＥのデータ・パケットに対する課金を省略することができる。
【０２８９】
第１の方式では、第２のネットワーク側デバイスは、第１の通知メッセージに従ってＰＣＣポリシーを無視し、第２のネットワーク側デバイスを通って流れるＵＥのデータ・パケットに対する課金を直接省略し、ＵＥは、第１の通知メッセージに含まれるＵＥの識別情報に対応するユーザ機器である。
【０２９０】
好ましくは、ＵＥは、ＵＥのデータ・サービス・スイッチがオフになっている時にはアップリンク・データ・パケットを送信しないので、第１の命令情報が使用されて、第２のネットワーク側デバイスを通って流れるＵＥのダウンリンク・データ・パケットについてＰＣＣポリシーを無視し、直接課金を省略するように第２のネットワーク側デバイスに命令することができ、第１の通知メッセージを受信した第２のネットワーク側デバイスは、以後ＰＣＣポリシーを参照せず、第２のネットワーク側デバイスを通って流れるＵＥのダウンリンク・データ・パケットに対する課金を直接省略する。
【０２９１】
第２の方式では、第２のネットワーク側デバイスが、第１の通知メッセージに従って第２の通知メッセージをＰＣＲＦに送信する。
【０２９２】
第２の通知メッセージは、第２の命令情報及びＵＥの識別情報を含む。
【０２９３】
具体的には、第２の命令情報は、事前に設定された非課金ＰＣＣポリシーをＵＥに使用するようにＰＣＲＦに命令するために使用される。第２の命令情報の形態及び第２の命令情報に対応する意味は、前もって通信関係者（すなわち第２のネットワーク側デバイスとＰＣＲＦ）によって取り決めておくことができる。
【０２９４】
例えば、第２の命令情報は、コードの形態、例えば「０」又は「１」とすることができる。第２の命令情報は、文字列の形態、例えば「ＹＥＳ」又は「ＮＯ」であってもよい。勿論、第２の命令情報は他の形態で指示されてもよい。これは本発明では特に限定されない。
【０２９５】
第２の命令情報は、コンピュータ言語の形態でデバイスに記憶できることに留意されたい。
【０２９６】
選択的に、第２の命令情報及び第２の命令情報に対応する意味は、通信関係者のデバイスに記憶することができ、例えば、第２のネットワーク側デバイス及びＰＣＲＦに記憶される。
【０２９７】
例えば、表５を参照すると、表５は、第２の命令情報と第２の命令情報に対応する意味の対応関係を示している。この対応関係を、表の形態で、第２のネットワーク側デバイス及びＰＣＲＦのデバイスに記憶することができる。勿論、第２の命令情報と第２の命令情報に対応する意味の対応関係は、他の形態で第２のネットワーク側デバイス及びＰＣＲＦのデバイスに記憶されてもよい。これは本発明では特に限定されない。
【０２９８】
【表５】
0006514321.tif 000006
【０２９９】
表５は、説明のために単に例を使用して第２の命令情報と第２の命令情報に対応する意味の対応関係を説明しており、第２の命令情報の形態及び内容を特に限定するものではないことに留意されたい。
【０３００】
具体的には、ＵＥの識別情報は、ＵＥの一意の識別情報である。ＵＥは、ＵＥの識別情報に従って、一意且つ正確に特定されることが可能である。
【０３０１】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０３０２】
例えば、ＵＥ６の識別情報がＩＰアドレス６であるとすると、第２のネットワーク側デバイスとＰＣＲＦは、「０」が第２の命令情報として使用されて、事前に設定された非課金ＰＣＣポリシーをＵＥに使用するようにＰＣＲＦに命令することを取り決め、事前に設定された非課金ＰＣＣポリシーは、第２のネットワーク側デバイスを通って流れるＵＥのデータ・パケットに対する課金を省略するポリシーである。第１のネットワーク側デバイスがＵＥ６のデータ・サービス・スイッチがオフになっていると判定した場合、第２のネットワーク側デバイスは、第１のネットワーク側デバイスから送信された通知メッセージを受信し、この通知メッセージが使用されて、事前に設定された非課金ＰＣＣポリシーをＵＥ６に使用するようにＰＣＲＦに通知することを第２のネットワーク側デバイスに命令する。第２のネットワーク側デバイスは、通知メッセージに従って、通知メッセージＦ、＜ＩＰアドレス  ６，０＞をＰＣＲＦに送信し、この通知メッセージＦが使用されて、事前に設定された非課金ＰＣＣポリシーをＵＥ６に使用するようにＰＣＲＦに命令し、事前に設定された非課金ＰＣＣポリシーは、第２のネットワーク側デバイスを通って流れるＵＥ６のデータ・パケットに対する課金を省略するポリシーであり、そのため、第２のネットワーク側デバイスは、第２のネットワーク側デバイスを通って流れるＵＥ６のデータ・パケットに対する課金を省略する。
【０３０３】
本発明のこの実装形態は、データ・サービスを実装する方法を提供し、この方法は第２のネットワーク側デバイスに適用される。第２のネットワーク側デバイスは、第１のネットワーク側デバイスによって送信された第１の通知メッセージを受信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、第２のネットワーク側デバイスは、第１の通知メッセージの命令に従って、第２のネットワーク側デバイスを通って流れるＵＥのデータ・パケットに対する課金を省略する。第１の通知メッセージは、第１のネットワーク側デバイスがＵＥのデータ・サービス・スイッチがオフになっていると判定すると送信されるので、これにより、ＵＥのデータ・サービス・スイッチがオフにされた後にＵＥに対する不必要なデータ使用料の発生を回避し、さらにデータ使用の無駄を回避し、また、ＵＥのデータ・サービス・スイッチがオフにされた後にＵＥに対して不必要なデータ使用料が発生する可能性があるためにデータ使用の無駄があるという、従来技術の問題を解決する。
実装形態９
【０３０４】
本発明の実装形態９は、データ・サービスを実装するさらに別の方法を提供し、この方法は第２のネットワーク側デバイスに適用され、第２のネットワーク側デバイスは、ＵＥにサービスするＰＧＷであってよい。図１３に示すように、方法は以下のステップを含むことができる。
【０３０５】
Ｓ１３０１。第２のネットワーク側デバイスが、第１のネットワーク側デバイスによって送信された第１の通知メッセージを受信する。
【０３０６】
第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。
【０３０７】
このステップの内容はステップＳ１２０１の内容と同じであり、ここでは繰り返し説明しない。
【０３０８】
Ｓ１３０２。第２のネットワーク側デバイスが、第１の通知メッセージに従って、第２のネットワーク側デバイスを通って流れるＵＥのデータ・パケットに対する課金を省略する
【０３０９】
選択的に、第２のネットワーク側デバイスが第１の通知メッセージに従って、第２のネットワーク側デバイスを通って流れるＵＥのデータ・パケットに対する課金を省略する方式は、第１の通知メッセージの命令内容に関係し、具体的には次の２つの場合を含む可能性がある。
【０３１０】
第１の場合、第１の通知メッセージは、第２のネットワーク側デバイスを通って流れるＵＥのデータ・パケットに対する課金を省略するように第２のネットワーク側デバイスに通知するだけであり、課金を省略する具体的な方式は指示しない。第１の通知メッセージを受信した第２のネットワーク側デバイスは、第２のネットワーク側デバイスを通って流れるＵＥのデータ・パケットに対する課金を省略する具体的な方式を自身で決定する。
【０３１１】
第２の場合、第１の通知メッセージは、第２のネットワーク側デバイスを通って流れるＵＥのデータ・パケットに対する課金を省略するように第２のネットワーク側デバイスに通知し、課金を省略する具体的な方式を指示する。第１の通知メッセージを受信した第２のネットワーク側デバイスは、第１の通知メッセージに指示される方式に従って、第２のネットワーク側デバイスを通って流れるＵＥのデータ・パケットに対する課金を省略する。
【０３１２】
上述の２つの場合のいずれでも、第２のネットワーク側デバイスは、次の２つの方式を使用して、第２のネットワーク側デバイスを通って流れるＵＥのデータ・パケットに対する課金を省略することができる。
【０３１３】
第１の方式では、第２のネットワーク側デバイスは、第１の通知メッセージに従ってＰＣＣポリシーを無視し、第２のネットワーク側デバイスを通って流れるＵＥのデータ・パケットに対する課金を直接省略し、ＵＥは、第１の通知メッセージに含まれるＵＥの識別情報に対応するユーザ機器である。
【０３１４】
好ましくは、ＵＥは、ＵＥのデータ・サービス・スイッチがオフになっている時にはアップリンク・データ・パケットを送信しないので、第１の命令情報が使用されて、第２のネットワーク側デバイスを通って流れるＵＥのダウンリンク・データ・パケットについてＰＣＣポリシーを無視し、直接課金を省略するように第２のネットワーク側デバイスに命令することができ、第１の通知メッセージを受信した第２のネットワーク側デバイスは、以後ＰＣＣポリシーを参照せず、第２のネットワーク側デバイスを通って流れるＵＥのダウンリンク・データ・パケットに対する課金を直接省略する。
【０３１５】
第２の方式では、第２のネットワーク側デバイスが、第１の通知メッセージに従って第２の通知メッセージをＰＣＲＦに送信する。
【０３１６】
第２の通知メッセージは、第２の命令情報及びＵＥの識別情報を含む。第２の命令情報は、事前に設定された非課金ＰＣＣポリシーをＵＥに使用するようにＰＣＲＦに命令するために使用される。
【０３１７】
Ｓ１３０３。第２のネットワーク側デバイスが、第１のネットワーク側デバイスによって送信された第３の通知メッセージを受信する。
【０３１８】
第３の通知メッセージは、第３の命令情報及びＵＥの識別情報を含む。第３の通知メッセージは、第１のネットワーク側デバイスがＵＥのデータ・サービス・スイッチがオフになっていると判定すると、第２のネットワーク側デバイスに送信される。第３の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【０３１９】
具体的には、第３の通知メッセージの形態及び内容は、ステップＳ１１０４の第２の通知メッセージと同じであり、ここでは繰り返して説明しない。
【０３２０】
ステップＳ１３０１とＳ１３０３は同時に行われても、又は順次行われてもよいことに留意されたい。これは、第１のネットワーク側デバイスが第１の通知メッセージ及び第３の通知メッセージを送信する方式に応じて決まる。図１３には、ステップＳ１３０１とＳ１３０３が順次行われる場合のみを示すが、第２のネットワーク側デバイスが第１の通知メッセージと第３の通知メッセージを受信する順序を特に限定するものではない。
【０３２１】
また、実際の応用例では、ステップＳ１３０１で第１のネットワーク側デバイスから第２のネットワーク側デバイスに送信される第１の通知メッセージと、ステップＳ１３０３で第１のネットワーク側デバイスから第２のネットワーク側デバイスに送信される第３の通知メッセージは１つの通知メッセージを使用して実現できることにも留意されたい。通知メッセージは、第２のネットワーク側デバイスを通って流れるＵＥのデータ・パケットに対する課金を省略するように第２のネットワーク側デバイスに命令するために使用される命令情報と、データ・サービスを提供するサーバにＵＥへのダウンリンク・データ・パケットの送信を中止するようにＰＣＲＦを使用して通知することを第２のネットワーク側デバイスに命令するために使用される命令情報と、ＵＥの識別情報とを含む。勿論、第２のネットワーク側デバイスを通って流れるＵＥのデータ・パケットに対する課金を省略するように第２のネットワーク側デバイスに命令するために使用される命令情報と、データ・サービスを提供するサーバにＵＥへのダウンリンク・データ・パケットの送信を中止するようにＰＣＲＦを使用して通知することを第２のネットワーク側デバイスに命令するために使用される命令情報も、１つの命令情報を使用して実現することができる。これは本発明では特に限定されない。
【０３２２】
Ｓ１３０４。第２のネットワーク側デバイスは、第３の通知メッセージに従って、第４の通知メッセージをＰＣＲＦに送信し、その結果、ＰＣＲＦが、データ・サービスを提供するサーバに、UEへのダウンリンク・データ・パケットの送信を中止するように通知する。
【０３２３】
第４の通知メッセージは第４の命令情報及びＵＥの識別情報を含む。
【０３２４】
具体的には、第４の命令情報は、データ・サービスを提供するサーバに、UEへのダウンリンク・データ・パケットの送信を中止するように通知することを、ＰＣＲＦに命令するために使用される。第４の命令情報の形態及び第４の命令情報に対応する意味は、前もって通信関係者（すなわち第２のネットワーク側デバイスとＰＣＲＦ）によって取り決めておくことができる。
【０３２５】
例えば、第４の命令情報は、コードの形態、例えば「０」又は「１」とすることができる。第４の命令情報は、文字列の形態、例えば「ＹＥＳ」又は「ＮＯ」であってもよい。勿論、第４の命令情報は他の形態で指示されてもよい。これは本発明では特に限定されない。
【０３２６】
第４の命令情報は、コンピュータ言語の形態でデバイスに記憶できることに留意されたい。
【０３２７】
選択的に、第４の命令情報及び第４の命令情報に対応する意味は、通信関係者のデバイスに記憶することができ、例えば、第２のネットワーク側デバイス及びＰＣＲＦに記憶される。
【０３２８】
例えば、表６を参照すると、表６は、第４の命令情報と第４の命令情報に対応する意味の対応関係を示している。この対応関係を、表の形態で、第２のネットワーク側デバイス及びＰＣＲＦのデバイスに記憶することができる。勿論、第４の命令情報と第４の命令情報に対応する意味の対応関係は、他の形態で第２のネットワーク側デバイス及びＰＣＲＦのデバイスに記憶されてもよい。これは本発明では特に限定されない。
【０３２９】
【表６】
0006514321.tif 000007
【０３３０】
表６は、説明のために単に例を使用して第４の命令情報と第４の命令情報に対応する意味の対応関係を説明しており、第４の命令情報の形態及び内容を特に限定するものではないことに留意されたい。
【０３３１】
具体的には、ＵＥの識別情報は、ＵＥの一意の識別情報である。ＵＥは、ＵＥの識別情報に従って、一意且つ正確に特定されることが可能である。
【０３３２】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０３３３】
例えば、ＵＥ７の識別情報がＩＰアドレス７であるとすると、第２のネットワーク側デバイスとＰＣＲＦは、「ＳＴＯＰ」が第４の命令情報として使用されて、データ・サービスを提供するサーバにＵＥへのダウンリンク・データ・パケットの送信を中止するよう通知することをＰＣＲＦに命令することを取り決める。第１のネットワーク側デバイスが、ＵＥ７のデータ・サービス・スイッチがオフになっていると判定した場合、第２のネットワーク側デバイスは、第１のネットワーク側デバイスから送信される通知メッセージを受信し、この通知メッセージが使用されて、データ・サービスを提供するサーバにＵＥ７へのダウンリンク・データ・パケットの送信を中止するようにＰＣＲＦを使用して通知することを、第２のネットワーク側デバイスに命令する。第２のネットワーク側デバイスは、通知メッセージに従って、通知メッセージＧ、＜ＩＰアドレス  ７，ＳＴＯＰ＞をＰＣＲＦに送信し、この通知メッセージＧが使用されて、データ・サービスを提供するサーバにＵＥ７へのダウンリンク・データ・パケットの送信を中止するように通知することをＰＣＲＦに命令し、そのため、第２のネットワーク側デバイスはＰＣＲＦを使用して、データ・サービスを提供するサーバにＵＥ７へのダウンリンク・データ・パケットの送信を中止するように通知する。
【０３３４】
ステップＳ１３０２とＳ１３０４は同時に行われても、又は順次行われてもよいことに留意されたい。これは本発明では特に限定されない。図１３には、ステップＳ１３０２とＳ１３０４が順次行われる場合のみを示すが、具体的な実装方式を限定するものではない。
【０３３５】
実際の応用例では、ステップＳ１３０２の第２の方式で第２のネットワーク側デバイスからＰＣＲＦに送信される第２の通知メッセージと、ステップＳ１３０４で第２のネットワーク側デバイスからＰＣＲＦに送信される第４の通知メッセージは、１つの通知メッセージを使用して実現できることに留意されたい。通知メッセージは、事前に設定された非課金ＰＣＣポリシーをＵＥに使用するようにＰＣＲＦに命令するために使用される命令情報と、データ・サービスを提供するサーバに、UEへのダウンリンク・データ・パケットの送信を中止するように通知することをＰＣＲＦに命令するために使用される命令情報と、ＵＥの識別情報とを含む。勿論、事前に設定された非課金ＰＣＣポリシーをＵＥに使用するようにＰＣＲＦに命令するために使用される命令情報と、データ・サービスを提供するサーバに、UEへのダウンリンク・データ・パケットの送信を中止するように通知することをＰＣＲＦに命令するために使用される命令情報も、１つの命令情報を使用して実現することができる。これは本発明では特に限定されない。
【０３３６】
ステップＳ１３０１の後、ＵＥがデータ・サービス・スイッチをオンにした場合、第１のネットワーク側デバイスは、ＵＥのデータ・サービス・スイッチがオンになっていると判定し、それは、ＵＥを使用しているユーザがデータ・サービスを要求していることを示唆する。その場合、第１のネットワーク側デバイスは、第２のネットワーク側デバイスに、第２のネットワーク側デバイスを通って流れるＵＥのデータ・パケットに対して課金するように通知することができる。その場合、第２のネットワーク側デバイスはステップＳ１３０５を行う必要がある。
【０３３７】
Ｓ１３０５。第２のネットワーク側デバイスは、第１のネットワーク側デバイスによって送信された第５の通知メッセージを受信する。
【０３３８】
第５の通知メッセージは、第５の命令情報及びＵＥの識別情報を含む。第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイスに送信される。第５の命令情報は、第２のネットワーク側デバイスを通って流れるＵＥのデータ・パケットに対して課金するように第２のネットワーク側デバイスに命令するために使用される。
【０３３９】
具体的には、第５の通知メッセージの形態及び内容は、ステップＳ１１０５の第３の通知メッセージと同じであり、ここでは繰り返して説明しない。
【０３４０】
選択的に、第５の命令情報が、第２のネットワーク側デバイスを通って流れるＵＥのデータ・パケットに対して課金するように第２のネットワーク側デバイスに命令することは、これらに限定されないが、次の２つの場合を含むことができる。
【０３４１】
第１の場合、第５の命令情報は、第２のネットワーク側デバイスを通って流れるＵＥのデータ・パケットに対して課金するように第２のネットワーク側デバイスに通知するだけであり、第２のネットワーク側デバイスによる課金の具体的な方法は指示しない。
【０３４２】
第２の場合、第５の命令情報は、第２のネットワーク側デバイスを通って流れるＵＥのデータ・パケットについてどのように課金するかを具体的に第２のネットワーク側デバイスに命令する。次の２つの方式が含まれる可能性がある。
【０３４３】
第１の方式では、第５の命令情報は、無視したＰＣＣポリシーを使用して、第２のネットワーク側デバイスを通って流れるＵＥのデータ・パケットに対して課金するように第２のネットワーク側デバイスに命令する。
【０３４４】
第２の方式では、第５の命令情報は、事前に設定された課金ＰＣＣポリシーをＵＥに使用するようにＰＣＲＦに通知することを第２のネットワーク側デバイスに命令し、事前に設定された課金ＰＣＣポリシーは、第２のネットワーク側デバイスを通って流れるＵＥのデータ・パケットに対して課金するポリシーである。
【０３４５】
Ｓ１３０６。第２のネットワーク側デバイスが、第５の通知メッセージに従って、第２のネットワーク側デバイスを通って流れるＵＥのデータ・パケットに対して課金する。
【０３４６】
選択的に、第２のネットワーク側デバイスが、第５の通知メッセージに従って第２のネットワーク側デバイスを通って流れるＵＥのデータ・パケットに対して課金する方式は、第５の通知メッセージの命令内容に関係し、具体的には次の２つの場合を含む可能性がある。
【０３４７】
第１の場合、第５の通知メッセージは、第２のネットワーク側デバイスを通って流れるＵＥのデータ・パケットに対して課金するように第２のネットワーク側デバイスに通知するだけであり、課金の具体的な方式は指示しない。第５の通知メッセージを受信した第２のネットワーク側デバイスは、第２のネットワーク側デバイスを通って流れるＵＥのデータ・パケットに対して課金する具体的な方式を自身で決定する。
【０３４８】
第２の場合、第５の通知メッセージは、第２のネットワーク側デバイスを通って流れるＵＥのデータ・パケットに対して課金するように第２のネットワーク側デバイスに通知し、課金の具体的な方式を指示する。第５の通知メッセージを受信した第２のネットワーク側デバイスは、第５の通知メッセージに指示される方式に従って、第２のネットワーク側デバイスを通って流れるＵＥのデータ・パケットに対して課金する。
【０３４９】
上述の２つの場合のいずれでも、第２のネットワーク側デバイスは、次の２つの方式を使用して、第２のネットワーク側デバイスを通って流れるＵＥのデータ・パケットに対して課金することができる。
【０３５０】
第１の方式では、第２のネットワーク側デバイスは、無視したＰＣＣポリシーを使用し、第５の通知メッセージに従って、第２のネットワーク側デバイスを通って流れるＵＥのデータ・パケットに対して課金し、ＵＥは、第５の通知メッセージに含まれるＵＥの識別情報に対応するユーザ機器である。
【０３５１】
第２の方式では、第２のネットワーク側デバイスは、第５の通知メッセージに従って第６の通知メッセージをＰＣＲＦに送信する。
【０３５２】
第６の通知メッセージは、第６の命令情報及びＵＥの識別情報を含む。
【０３５３】
具体的には、第６の命令情報は、事前に設定された課金ＰＣＣポリシーをＵＥに使用するようにＰＣＲＦに命令するために使用される。第６の命令情報の形態及び第６の命令情報に対応する意味は、前もって通信関係者（すなわち第２のネットワーク側デバイスとＰＣＲＦ）によって取り決めておくことができる。
【０３５４】
例えば、第６の命令情報は、コードの形態、例えば「０」又は「１」とすることができる。第６の命令情報は、文字列の形態、例えば「ＹＥＳ」又は「ＮＯ」であってもよい。勿論、第６の命令情報は他の形態で指示されてもよい。これは本発明では特に限定されない。
【０３５５】
第６の命令情報は、コンピュータ言語の形態でデバイスに記憶できることに留意されたい。
【０３５６】
選択的に、第６の命令情報及び第６の命令情報に対応する意味は、通信関係者のデバイスに記憶することができ、例えば、第２のネットワーク側デバイス及びＰＣＲＦに記憶される。
【０３５７】
例えば、表７を参照すると、表７は、第６の命令情報と第６の命令情報に対応する意味の対応関係を示している。この対応関係を、表の形態で、第２のネットワーク側デバイス及びＰＣＲＦのデバイスに記憶することができる。勿論、第６の命令情報と第６の命令情報に対応する意味の対応関係は、他の形態で第２のネットワーク側デバイス及びＰＣＲＦのデバイスに記憶されてもよい。これは本発明では特に限定されない。
【０３５８】
【表７】
0006514321.tif 000008
【０３５９】
表７は、説明のために単に例を使用して第６の命令情報と第６の命令情報に対応する意味の対応関係を説明しており、第６の命令情報の形態及び内容を特に限定するものではないことに留意されたい。
【０３６０】
具体的には、ＵＥの識別情報は、ＵＥの一意の識別情報である。ＵＥは、ＵＥの識別情報に従って、一意且つ正確に特定されることが可能である。
【０３６１】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０３６２】
例えば、ＵＥ８の識別情報がＩＰアドレス８であるとすると、第２のネットワーク側デバイスとＰＣＲＦは、「１」が第６の命令情報として使用されて、事前に設定された課金ＰＣＣポリシーをＵＥ  に使用するようにＰＣＲＦに命令すると取り決める。第１のネットワーク側デバイスが、ＵＥ８のデータ・サービス・スイッチがオフになっていると判定した後に、第１のネットワーク側デバイスがＵＥ８のデータ・サービス・スイッチがオンになっていると判定した場合、第２のネットワーク側デバイスは、第１のネットワーク側デバイスによって送信される通知メッセージを受信し、その通知メッセージが使用されて、事前に設定された課金ＰＣＣポリシーをＵＥ８に使用するようにＰＣＲＦに通知することを、第２のネットワーク側デバイスに命令する。第２のネットワーク側デバイスは、通知メッセージに従って、通知メッセージＨ、＜ＩＰアドレス  ８，１＞をＰＣＲＦに送信し、この通知メッセージＨが使用されて、事前に設定された課金ＰＣＣポリシーをＵＥ８に使用するようにＰＣＲＦに命令し、その結果、第２のネットワーク側デバイスは、第２のネットワーク側デバイスを通って流れるＵＥ８のデータ・パケットに対して課金する。
【０３６３】
ステップＳ１３０３の後、ＵＥがデータ・サービス・スイッチをオンにした場合、第１のネットワーク側デバイスは、ＵＥのデータ・サービス・スイッチがオンになっていると判定し、それは、ＵＥを使用しているユーザがデータ・サービスを要求していることを示唆する。その場合、第１のネットワーク側デバイスは、データ・サービスを提供するサーバにＵＥへのダウンリンク・データ・パケットの送信を再開するようにＰＣＲＦを使用して通知することを、第２のネットワーク側デバイスに通知することができる。その場合、第２のネットワーク側デバイスはステップＳ１３０７を行う必要がある。
【０３６４】
Ｓ１３０７。第２のネットワーク側デバイスが、第１のネットワーク側デバイスによって送信された第７の通知メッセージを受信する。
【０３６５】
第７の通知メッセージは第７の命令情報及びＵＥの識別情報を含む。第７の通知メッセージは、第１のネットワーク側デバイスが第３の通知メッセージを送信した後に、第１のネットワーク側デバイスがＵＥのデータ・サービス・スイッチがオンになっていると判定した場合に第２のネットワーク側デバイスに送信される。第７の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【０３６６】
具体的には、第７の通知メッセージの形態及び内容は、ステップＳ１１０７の第４の通知メッセージと同じであり、ここでは繰り返し説明しない。
【０３６７】
ステップＳ１３０５とＳ１３０７は同時に行われても、又は順次行われてもよいことに留意されたい。これは、第１のネットワーク側デバイスが第５の通知メッセージと第７の通知メッセージを送信する方式に応じて決まる。図１３は、ステップＳ１３０５とＳ１３０７が順次行われる場合のみを示すが、第２のネットワーク側デバイスが第５の通知メッセージ及び第７の通知メッセージを受信する順序を特に限定するものではない。
【０３６８】
実際の応用例では、ステップＳ１３０５で第１のネットワーク側デバイスから第２のネットワーク側デバイスに送信される第５の通知メッセージと、ステップＳ１３０７で第１のネットワーク側デバイスから第２のネットワーク側デバイスに送信される第７の通知メッセージは、１つの通知メッセージを使用して実現できることに留意されたい。通知メッセージは、第２のネットワーク側デバイスを通って流れるＵＥのデータ・パケットに対して課金するように第２のネットワーク側デバイスに命令するために使用される命令情報と、データ・サービスを提供するサーバにＵＥへのダウンリンク・データ・パケットの送信を再開するようにＰＣＲＦを使用して通知することを第２のネットワーク側デバイスに命令するために使用される命令情報と、ＵＥの識別情報とを含む。勿論、第２のネットワーク側デバイスを通って流れるＵＥのデータ・パケットに対して課金するように第２のネットワーク側デバイスに命令するために使用される命令情報と、データ・サービスを提供するサーバに、ＵＥへのダウンリンク・データ・パケットの送信を再開するようにＰＣＲＦを使用して通知することを第２のネットワーク側デバイスに命令するために使用される命令情報も、１つの命令情報を使用して実現することができる。これは本発明では特に限定されない。
【０３６９】
Ｓ１３０８。第２のネットワーク側デバイスが、第７の通知メッセージに従って第８の通知メッセージをＰＣＲＦに送信し、その結果、ＰＣＲＦは、データ・サービスを提供するサーバにＵＥへのダウンリンク・データ・パケットの送信を再開するように通知する。
【０３７０】
第８の通知メッセージは第８の命令情報及びＵＥの識別情報を含む。
【０３７１】
具体的には、第８の命令情報は、データ・サービスを提供するサーバにＵＥへのダウンリンク・データ・パケットの送信を再開するように通知することを、ＰＣＲＦに命令するために使用される。第８の命令情報の形態及び第８の命令情報に対応する意味は、前もって通信関係者（すなわち第２のネットワーク側デバイスとＰＣＲＦ）によって取り決めておくことができる。
【０３７２】
例えば、第８の命令情報は、コードの形態、例えば「０」又は「１」とすることができる。第８の命令情報は、文字列の形態、例えば「ＹＥＳ」又は「ＮＯ」であってもよい。勿論、第８の命令情報は他の形態で指示されてもよい。これは本発明では特に限定されない。
【０３７３】
第８の命令情報は、コンピュータ言語の形態でデバイスに記憶できることに留意されたい。
【０３７４】
選択的に、第８の命令情報及び第８の命令情報に対応する意味は、通信関係者のデバイスに記憶することができ、例えば、第２のネットワーク側デバイス及びＰＣＲＦに記憶される。
【０３７５】
例えば、表８を参照すると、表８は、第８の命令情報と第８の命令情報に対応する意味の対応関係を示している。この対応関係を、表の形態で、第２のネットワーク側デバイス及びＰＣＲＦのデバイスに記憶することができる。勿論、第８の命令情報と第８の命令情報に対応する意味の対応関係は、他の形態で第２のネットワーク側デバイス及びＰＣＲＦのデバイスに記憶されてもよい。これは本発明では特に限定されない。
【０３７６】
【表８】
0006514321.tif 000009
【０３７７】
表８は、説明のために単に例を使用して第８の命令情報と第８の命令情報に対応する意味の対応関係を説明しており、第８の命令情報の形態及び内容を特に限定するものではないことに留意されたい。
【０３７８】
具体的には、ＵＥの識別情報は、ＵＥの一意の識別情報である。ＵＥは、ＵＥの識別情報に従って、一意且つ正確に特定されることが可能である。
【０３７９】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０３８０】
例えば、ＵＥ９の識別情報がＩＰアドレス９であるとすると、第２のネットワーク側デバイスとＰＣＲＦは、「ＢＥＧＩＮ」が第８の命令情報として使用されて、データ・サービスを提供するサーバにＵＥへのダウンリンク・データ・パケットの送信を再開するように通知することをＰＣＲＦに命令すると取り決める。第１のネットワーク側デバイスがＵＥ９のデータ・サービス・スイッチがオフになっていると判定した後に、第１のネットワーク側デバイスがＵＥ９のデータ・サービス・スイッチがオンになっていると判定した場合、第２のネットワーク側デバイスは、第１のネットワーク側デバイスによって送信される通知メッセージを受信し、その通知メッセージが使用されて、データ・サービスを提供するサーバにＵＥ９へのダウンリンク・データ・パケットの送信を再開するようにＰＣＲＦを使用して通知することを、第２のネットワーク側デバイスに命令する。第２のネットワーク側デバイスは、通知メッセージに従って、通知メッセージＩ、＜ＩＰアドレス  ９，ＢＥＧＩＮ＞をＰＣＲＦに送信し、この通知メッセージＩが使用されて、データ・サービスを提供するサーバにＵＥ９へのダウンリンク・データ・パケットの送信を再開するように通知することをＰＣＲＦに命令し、その結果、第２のネットワーク側デバイスはＰＣＲＦを使用して、データ・サービスを提供するサーバにＵＥ９へのダウンリンク・データ・パケットの送信を再開するように通知する。
【０３８１】
実際の応用例では、ステップＳ１３０６で第２のネットワーク側デバイスからＰＣＲＦに送信される第６の通知メッセージと、ステップＳ１３０８で第２のネットワーク側デバイスからＰＣＲＦに送信される第８の通知メッセージは、１つの通知メッセージを使用して実現できることに留意されたい。通知メッセージは、事前に設定された課金ＰＣＣポリシーをＵＥに使用するようにＰＣＲＦに命令するために使用される命令情報と、データ・サービスを提供するサーバにＵＥへのダウンリンク・データ・パケットの送信を再開するように通知することをＰＣＲＦに命令するために使用される命令情報と、ＵＥの識別情報とを含む。勿論、事前に設定された課金ＰＣＣポリシーをＵＥに使用するようにＰＣＲＦに命令するために使用される命令情報と、データ・サービスを提供するサーバにＵＥへのダウンリンク・データ・パケットの送信を再開するように通知することをＰＣＲＦに命令するために使用される命令情報も、１つの命令情報を使用して実現することができる。これは本発明では特に限定されない。
【０３８２】
本発明のこの実装形態は、データ・サービスを実装する方法を提供し、この方法は第２のネットワーク側デバイスに適用される。第２のネットワーク側デバイスは、第１のネットワーク側デバイスによって送信される第１の通知メッセージ及び第３の通知メッセージを受信し、第１の通知メッセージは、第１のネットワーク側デバイスがＵＥのデータ・サービス・スイッチがオフになっていると判定すると、第２のネットワーク側デバイスに送信され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、第３の通知メッセージは、第１のネットワーク側デバイスがＵＥのデータ・サービス・スイッチがオフになっていると判定すると、第２のネットワーク側デバイスに送信され、第３の通知メッセージは第３の命令情報及びＵＥの識別情報を含み、第３の命令情報は、ＵＥのデータ・サービス・スイッチがオフになっていると判定されたときに、データ・サービスを提供するサーバにＵＥへのダウンリンク・データ・パケットの送信を中止するようにＰＣＲＦを使用して通知することを命令するために使用される。第２のネットワーク側デバイスは、第１の通知メッセージの命令に従って、第２のネットワーク側デバイスを通って流れるＵＥのデータ・パケットに対する課金を省略し、また、第３の通知メッセージの命令に従って、ＰＣＲＦを使用して、データ・サービスを提供するサーバに、UEへのダウンリンク・データ・パケットの送信を中止するように通知する。第１の通知メッセージと第３の通知メッセージは、第１のネットワーク側デバイスがＵＥのデータ・サービス・スイッチがオフになっていると判定すると第２のネットワーク側デバイスに送信されるので、ＵＥのデータ・サービス・スイッチがオフにされた後、ＵＥは課金されず、データ・サービスを提供するサーバは、ＵＥへのダウンリンク・データ・パケットの送信を中止するように通知される。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１０
【０３８３】
本発明の実装形態１０は、データ・サービスを実装するさらに別の方法を提供し、この方法は第３のネットワーク側デバイスに適用され、第３のネットワーク側デバイスは、ＵＥにサービスするＰＧＷであってよい。図１４を参照すると、方法は以下のステップを含むことができる。
【０３８４】
Ｓ１４０１。ＵＥのデータ・サービス・スイッチの状態を判定する。
【０３８５】
ＵＥは、すでにネットワークに登録されたユーザ機器であり、データ・サービス・スイッチの状態は、データ・サービス・スイッチがオンになっていること、又はデータ・サービス・スイッチがオフになっていることを含む。
【０３８６】
ＵＥのデータ・サービス・スイッチの状態を判定する具体的な方式についてはすでに実装形態６で詳細に説明しており、実装形態６のステップＳ１００１で説明したＵＥのデータ・サービス・スイッチの状態を判定する方法と同じであることに留意されたい。したがって、詳細はここでは繰り返して説明しない。
【０３８７】
Ｓ１４０２。ＵＥのデータ・サービスがオフになっている場合、第３のネットワーク側デバイスを通って流れるＵＥのデータ・パケットに対する課金を省略する。
【０３８８】
具体的には、第３のネットワーク側デバイスを通って流れるＵＥのデータ・パケットに対する課金を省略することは、次の２つの方式のいずれかを含むことができる。
【０３８９】
第１の方式は、ＰＣＣポリシーを無視し、第３のネットワーク側デバイスを通って流れるＵＥのデータ・パケットに対する課金を直接省略するものである。
【０３９０】
第２の方式は、第１の通知メッセージをＰＣＲＦに送信するものであり、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【０３９１】
ステップＳ１４０２の第１の通知メッセージの形態及び内容は、ステップＳ１２０２の第２の通知メッセージと同じであり、ここでは繰り返し説明しないことに留意されたい。
【０３９２】
本発明のこの実装形態は、データ・サービスを実装する方法を提供し、この方法は第３のネットワーク側デバイスに適用される。第３のネットワーク側デバイスは、ＵＥのデータ・サービス・スイッチの状態を判定し、ＵＥのデータ・サービスがオフになっている場合には、第３のネットワーク側デバイスを通って流れるＵＥのデータ・パケットに対する課金を省略する。したがって、ＵＥのデータ・サービス・スイッチがオフにされた後、ＵＥのデータ・パケットに課金は行われない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１１
【０３９３】
本発明の実装形態１１は、データ・サービスを実装するさらに別の方法を提供し、この方法は第３のネットワーク側デバイスに適用され、第３のネットワーク側デバイスは、ＵＥにサービスするＰＧＷであってよい。図１５を参照すると、方法は以下のステップを含むことができる。
【０３９４】
Ｓ１５０１。第３のネットワーク側デバイスが、ＵＥのデータ・サービス・スイッチの状態を判定する。
【０３９５】
ＵＥは、すでにネットワークに登録されたユーザ機器であり、データ・サービス・スイッチの状態は、データ・サービス・スイッチがオンになっていること、又はデータ・サービス・スイッチがオフになっていることを含む。
【０３９６】
ステップＳ１５０１はステップＳ１４０１と同じであり、ここでは繰り返し説明しないことに留意されたい。
【０３９７】
Ｓ１５０２。ＵＥのデータ・サービス・スイッチがオフになっている場合、第３のネットワーク側デバイスは、第３のネットワーク側デバイスを通って流れるＵＥのデータ・パケットに対する課金を省略する。
【０３９８】
選択的に、第３のネットワーク側デバイスを通って流れるＵＥのデータ・パケットに対する課金を省略することは、以下の２つの方式のどちらかを含むことができる。
【０３９９】
第１の方式は、ＰＣＣポリシーを無視し、第３のネットワーク側デバイスを通って流れるＵＥのデータ・パケットに対する課金を直接省略するものである。
【０４００】
第２の方式は、第１の通知メッセージをＰＣＲＦに送信するものである。
【０４０１】
第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【０４０２】
第３のネットワーク側デバイスがＵＥのデータ・サービス・スイッチがオフになっていると判定した場合、ステップＳ１５０２を行ってＵＥの課金を省略するのに加えて、第３のネットワーク側デバイスはさらにステップＳ１５０３及び／又はＳ１５０４を行って、ＵＥに対する使用料の発生をさらに回避してもよいことに留意されたい。
【０４０３】
Ｓ１５０３。ＵＥのデータ・サービス・スイッチがオフになっている場合に、第３のネットワーク側デバイスがデータ・サービスを提供するサーバによってＵＥに送信されたダウンリンク・データ・パケットを受信すると、第３のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄する。
【０４０４】
ダウンリンク・データ・パケットについてはすでに実装形態７のステップＳ１１０３で詳細に説明しており、ここでは繰り返し説明しないことに留意されたい。
【０４０５】
Ｓ１５０４。ＵＥのデータ・サービス・スイッチがオフになっている場合、第３のネットワーク側デバイスは第２の通知メッセージをＰＣＲＦに送信し、その結果、ＰＣＲＦは、ＵＥへのダウンリンク・データ・パケットの送信を中止するようにデータ・サービスを提供するサーバに通知する。
【０４０６】
第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される。
【０４０７】
ステップＳ１５０４の第２の通知メッセージの形態及び内容は、実装形態９のステップＳ１３０４で説明した第４の通知メッセージと同じであり、ここでは繰り返し説明しないことに留意されたい。
【０４０８】
また、ステップＳ１５０２、Ｓ１５０３、及びＳ１５０４は、実際の応用例のプロセスでは、同時に行われても、又は順次行われてもよいことにも留意されたい。これは本発明では特に限定されない。図１５には、ステップＳ１５０２、Ｓ１５０３、及びＳ１５０４が同時に行われる場合のみを示すが、ステップＳ１５０２、Ｓ１５０３、及びＳ１５０４を行う順序を特に限定するものではない。
【０４０９】
ステップＳ１５０２の後、ＵＥがデータ・サービス・スイッチをオンにすると、第３のネットワーク側デバイスは、ＵＥのデータ・サービス・スイッチの状態が、データ・サービス・スイッチがオンになっているものと判定し、それは、ＵＥを使用しているユーザがデータ・サービスを要求していることを示唆する。その場合、第３のネットワーク側デバイスはステップＳ１５０５を行う必要がある。
【０４１０】
Ｓ１５０５。ＵＥのデータ・サービス・スイッチがオンになっている場合、第３のネットワーク側デバイスは、第３のネットワーク側デバイスを通って流れるＵＥのデータ・パケットに対して課金する。
【０４１１】
選択的に、第３のネットワーク側デバイスが第３のネットワーク側デバイスを通って流れるＵＥのデータ・パケットに対して課金することは、以下の２つの方式のどちらかを含むことができる。
【０４１２】
第１の方式では、第３のネットワーク側デバイスが、無視したＰＣＣポリシーを使用して、第３のネットワーク側デバイスを通って流れるＵＥのデータ・パケットに対して課金する。
【０４１３】
第２の方式では、第３のネットワーク側デバイスが第３の通知メッセージをＰＣＲＦに送信する。
【０４１４】
第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【０４１５】
ステップＳ１５０５の第３の通知メッセージの形態及び内容は、実装形態９のステップＳ１３０６で説明した第６の通知メッセージと同じであり、ここでは繰り返し説明しないことに留意されたい。
【０４１６】
ステップＳ１５０３の後、ＵＥがデータ・サービス・スイッチをオンにした場合、第３のネットワーク側デバイスはＵＥのデータ・サービス・スイッチがオンになっていると判定し、それは、ＵＥを使用しているユーザがデータ・サービスを要求していることを示唆する。その場合、第３のネットワーク側デバイスはステップＳ１５０６を行う必要がある。
【０４１７】
Ｓ１５０６。ＵＥのデータ・サービス・スイッチがオンになっている場合に、第３のネットワーク側デバイスが、データ・サービスを提供するサーバによってＵＥに送信されたダウンリンク・データ・パケットを受信すると、第３のネットワーク側デバイスは、ダウンリンク・データ・パケットをＵＥに送信する。
【０４１８】
ステップＳ１５０４の後、ＵＥがデータ・サービス・スイッチをオンにすると、第３のネットワーク側デバイスはＵＥのデータ・サービス・スイッチがオンになっていると判定し、それは、ＵＥを使用しているユーザがデータ・サービスを要求していることを示唆する。その場合、第３のネットワーク側デバイスはさらにステップＳ１５０７を行う必要がある。
【０４１９】
Ｓ１５０７。ＵＥのデータ・サービス・スイッチがオンになっている場合、第３のネットワーク側デバイスは第４の通知メッセージをＰＣＲＦに送信し、その結果、ＰＣＲＦは、データ・サービスを提供するサーバにＵＥへのダウンリンク・データ・パケットの送信を再開するように通知する。
【０４２０】
第４の通知メッセージは第４の命令情報及びＵＥの識別情報を含み、第４の命令情報は、データ・サービスを提供するサーバにＵＥへのダウンリンク・データ・パケットの送信を再開するように通知することを、ＰＣＲＦに命令するために使用される。
【０４２１】
ステップＳ１５０７の第４の通知メッセージの形態及び内容は、実装形態９のステップＳ１３０８で説明した第８の通知メッセージと同じであり、ここでは繰り返し説明しないことに留意されたい。
【０４２２】
本発明のこの実装形態は、データ・サービスを実装する方法を提供し、この方法は第３のネットワーク側デバイスに適用される。第３のネットワーク側デバイスは、ＵＥのデータ・サービス・スイッチの状態を判定し、ＵＥのデータ・サービス・スイッチがオフになっている場合、第３のネットワーク側デバイスは、第３のネットワーク側デバイスを通って流れるＵＥのデータ・パケットに対する課金を省略し、第３のネットワーク側デバイスが、データ・サービスを提供するサーバによってＵＥに送信されたダウンリンク・データ・パケットを受信すると、第３のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄し、第１の通知メッセージをＰＣＲＦに送信し、ＵＥは、すでにネットワークに登録されたユーザ機器であり、第１の通知メッセージは、第１の命令情報及びＵＥの識別情報を含み、第１の命令情報は、データ・サービスを提供するサーバに、UEへのダウンリンク・データ・パケットの送信を中止するように通知することをＰＣＲＦに命令するために使用される。ＵＥのデータ・サービス・スイッチがオフになっていると判定された場合、第３のネットワーク側デバイスは、第３のネットワーク側デバイスを通って流れるＵＥのデータ・パケットに対する課金を省略し、第３のネットワーク側デバイスがＵＥに送信されたダウンリンク・データ・パケットを受信すると、第３のネットワーク側デバイスは、ＩＰ管理に使用されるダウンリンク・データ・パケットをＵＥに送信し、ＩＰ管理に使用されるダウンリンク・データ・パケット以外のダウンリンク・データ・パケットを破棄し、データ・サービスを提供するサーバに、UEへのダウンリンク・データ・パケットの送信を中止するように通知することをＰＣＲＦに命令する。課金を省略し、ＩＰ管理に使用されるダウンリンク・データ・パケット以外のダウンリンク・データ・パケットを破棄し、データ・サービスを提供するサーバにＵＥにダウンリンク・データ・パケットを送信しないように命令することにより、この実装形態は、ＵＥのデータ・サービス・スイッチがオフにされた後にＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１２
【０４２３】
本発明の実装形態１２は、データ・サービスを実装するさらに別の方法を提供し、この方法はＰＣＲＦに適用される。図１６に示すように、方法は以下のステップを含むことができる。
【０４２４】
Ｓ１６０１。ＰＣＲＦが、第２のネットワーク側デバイス又は第３のネットワーク側デバイスによって送信された第１の通知メッセージを受信する。
【０４２５】
第１の通知メッセージは、第１の命令情報及びＵＥの識別情報を含む。第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信される。
【０４２６】
第１の通知メッセージは、第１の命令情報及びＵＥの識別情報を含む。第１の命令情報は、事前に設定された非課金ＰＣＣポリシーをＵＥに使用するようにＰＣＲＦに命令するために使用される。事前に設定された非課金ＰＣＣポリシーは、第２のネットワーク側デバイス又は第３のネットワーク側デバイスを通って流れるＵＥのデータ・パケットに対する課金を省略するポリシーである。ＵＥのデータ・パケットは、ダウンリンク・データ・パケット、又はアップリンク・データ・パケット及びダウンリンク・データ・パケットを含む。
【０４２７】
具体的には、第１の通知メッセージの形態及び内容はステップＳ１２０２の第２の通知メッセージと同じであり、ここでは繰り返し説明しない。
【０４２８】
選択的に、第２のネットワーク側デバイスは、ＵＥにサービスするＰＧＷであってよく、第３のネットワーク側デバイスも、ＵＥにサービスするＰＧＷであってよい。
【０４２９】
Ｓ１６０２。ＰＣＲＦが、第１の通知メッセージに従って、事前に設定された非課金ＰＣＣポリシーをＵＥに使用する。
【０４３０】
事前に設定された非課金ＰＣＣポリシーの内容は実際の要件に応じて決定されてよいことに留意されたい。ポリシーの内容は本発明では特に限定されない。
【０４３１】
Ｓ１６０３。ＰＣＲＦが、事前に設定された非課金ＰＣＣポリシーを第２のネットワーク側デバイス又は第３のネットワーク側デバイスに送信する。
【０４３２】
本発明のこの実装形態は、データ・サービスを実装する方法を提供し、この方法はＰＣＲＦに適用される。ＰＣＲＦが、第２のネットワーク側デバイス又は第３のネットワーク側デバイスによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＰＣＲＦは、第１の通知メッセージに従って、事前に設定された非課金ＰＣＣポリシーをＵＥに使用し、ＰＣＲＦは、事前に設定された非課金ＰＣＣポリシーを第２のネットワーク側デバイス又は第３のネットワーク側デバイスに送信する。第１の通知メッセージは、第１のネットワーク側デバイスがＵＥのデータ・サービス・スイッチがオフになっていると判定した場合に、第１のネットワーク側デバイスに命令された第２のネットワーク側デバイスによって送信されるか、又は、第１の通知メッセージは、第３のネットワーク側デバイスがＵＥのデータ・サービス・スイッチがオフになっていると判定すると送信されるので、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１３
【０４３３】
本発明の実装形態１３は、データ・サービスを実装するさらに別の方法を提供し、この方法はＰＣＲＦに適用される。図１７に示すように、この方法は以下のステップを含むことができる。
【０４３４】
Ｓ１７０１。ＰＣＲＦが、第２のネットワーク側デバイス又は第３のネットワーク側デバイスによって送信された第１の通知メッセージを受信する。
【０４３５】
ステップＳ１７０１はステップＳ１６０１と同じであり、ここでは繰り返し説明しないことに留意されたい。
【０４３６】
Ｓ１７０２。ＰＣＲＦが、第１の通知メッセージに従って、事前に設定された非課金ＰＣＣポリシーをＵＥに使用する。
【０４３７】
ステップＳ１７０２はステップＳ１６０２と同じであり、ここでは繰り返し説明しないことに留意されたい。
【０４３８】
Ｓ１７０３。ＰＣＲＦが、事前に設定された非課金ＰＣＣポリシーを第２のネットワーク側デバイス又は第３のネットワーク側デバイスに送信する。
【０４３９】
Ｓ１７０４。ＰＣＲＦが、第２のネットワーク側デバイス又は第３のネットワーク側デバイスによって送信された第２の通知メッセージを受信する。
【０４４０】
第２の通知メッセージは第２の命令情報及びＵＥの識別情報を含む。第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定するとＰＣＲＦに送信される。第２の命令情報は、データ・サービスを提供するサーバに、UEへのダウンリンク・データ・パケットの送信を中止するように通知することをＰＣＲＦに命令するために使用される。
【０４４１】
具体的には、第２の通知メッセージの形態及び内容は、ステップＳ１３０４の第４の通知メッセージと同じであり、ここでは繰り返し説明しない。
【０４４２】
ステップＳ１７０１及びＳ１７０４は、同時に行われても、又は順次行われてもよいことに留意されたい。これは、第２のネットワーク側デバイス又は第３のネットワーク側デバイスが第１の通知メッセージ及び第２の通知メッセージを送信する方式に応じて決まる。図１７は、ステップＳ１７０１及びＳ１７０４が順次行われる場合のみを示すが、これは、ＰＣＲＦが第１の通知メッセージ及び第２の通知メッセージを受信する順序を特に限定するものではない。
【０４４３】
実際の応用例では、ステップＳ１７０１で第２のネットワーク側デバイス又は第３のネットワーク側デバイスによって送信され、ＰＣＲＦに受信される第１の通知メッセージと、ステップＳ１７０４で第２のネットワーク側デバイス又は第３のネットワーク側デバイスによって送信され、ＰＣＲＦに受信される第２の通知メッセージは、１つの通知メッセージを使用して実現できることに留意されたい。通知メッセージは、事前に設定された非課金ＰＣＣポリシーをＵＥに使用するようにＰＣＲＦに命令するために使用される命令情報と、データ・サービスを提供するサーバに、UEへのダウンリンク・データ・パケットの送信を中止するように通知することをＰＣＲＦに命令するために使用される命令情報と、ＵＥの識別情報とを含む。勿論、事前に設定された非課金ＰＣＣポリシーをＵＥに使用するようにＰＣＲＦに命令するために使用される命令情報と、データ・サービスを提供するサーバに、UEへのダウンリンク・データ・パケットの送信を中止するように通知することをＰＣＲＦに命令するために使用される命令情報も、１つの命令情報を使用して実現することができる。これは本発明では特に限定されない。
【０４４４】
Ｓ１７０５。ＰＣＲＦが、第２の通知メッセージに従って、データ・サービスを提供するサーバに第３の通知メッセージを送信し、その結果、データ・サービスを提供するサーバは、ＵＥへのダウンリンク・データ・パケットの送信を中止する。
【０４４５】
第３の通知メッセージは第３の命令情報及びＵＥの識別情報を含む。
【０４４６】
具体的には、第３の命令情報は、データ・サービスを提供するサーバにＵＥへのダウンリンク・データ・パケットの送信を中止するように命令するために使用される。第３の命令情報の形態及び第３の命令情報に対応する意味は、前もって通信関係者（すなわちＰＣＲＦとデータ・サービスを提供するサーバ）によって取り決めておくことができる。
【０４４７】
例えば、第３の命令情報は、コードの形態、例えば「０」又は「１」とすることができる。第３の命令情報は、文字列の形態、例えば「ＹＥＳ」又は「ＮＯ」であってもよい。勿論、第３の命令情報は他の形態で指示されてもよい。これは本発明では特に限定されない。
【０４４８】
第３の命令情報は、コンピュータ言語の形態でデバイスに記憶できることに留意されたい。
【０４４９】
選択的に、第３の命令情報及び第３の命令情報に対応する意味は、通信関係者のデバイスに記憶することができ、例えば、ＰＣＲＦ及びデータ・サービスを提供するサーバに記憶される。
【０４５０】
例えば、表９を参照すると、表９は、第３の命令情報と第３の命令情報に対応する意味の対応関係を示している。この対応関係を、表の形態で、ＰＣＲＦ及びデータ・サービスを提供するサーバに記憶することができる。勿論、第３の命令情報と第３の命令情報に対応する意味の対応関係は、他の形態でＰＣＲＦ及びデータ・サービスを提供するサーバに記憶されてもよい。これは本発明では特に限定されない。
【０４５１】
【表９】
0006514321.tif 000010
【０４５２】
表９は、説明のために単に例を使用して第３の命令情報と第３の命令情報に対応する意味の対応関係を説明しており、第３の命令情報の形態及び内容を特に限定するものではないことに留意されたい。
【０４５３】
具体的には、ＵＥの識別情報は、ＵＥの一意の識別情報である。ＵＥは、ＵＥの識別情報に従って、一意且つ正確に特定されることが可能である。
【０４５４】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０４５５】
例えば、ＵＥ１０の識別情報がＩＰアドレス１０であるとすると、第２のネットワーク側デバイスとＰＣＲＦは、「ＳＴＯＰ」が第３の命令情報として使用されて、データ・サービスを提供するサーバに、ＵＥへのダウンリンク・データ・パケットの送信を中止するように命令することを取り決める。第１のネットワーク側デバイスが、ＵＥ１０のデータ・サービス・スイッチがオフになっていると判定すると、第１のネットワーク側デバイスは、データ・サービスを提供するサーバにＵＥ１０へのダウンリンク・データ・パケットの送信を中止するようにＰＣＲＦを使用して通知することを、第２のネットワーク側デバイスに通知する。ＰＣＲＦは、第２のネットワーク側デバイスによって送信される通知メッセージを受信し、この通知メッセージが使用されて、データ・サービスを提供するサーバにＵＥ１０へのダウンリンク・データ・パケットの送信を中止するように通知することをＰＣＲＦに命令する。ＰＣＲＦは、通知メッセージに従って、通知メッセージＪ、＜ＩＰアドレス１０，ＳＴＯＰ＞を、データ・サービスを提供するサーバに送信し、この通知メッセージＪが使用されて、データ・サービスを提供するサーバにＵＥ１０へのダウンリンク・データ・パケットの送信を中止するように命令する。
【０４５６】
ステップＳ１７０１の後、ＵＥがデータ・サービス・スイッチをオンにした場合、第１のネットワーク側デバイス又は第３のネットワーク側デバイスは、ＵＥのデータ・サービス・スイッチがオンになっていると判定し、それは、ＵＥを使用しているユーザがデータ・サービスを要求していることを示唆する。第１のネットワーク側デバイスは、事前に設定された課金ＰＣＣポリシーをＵＥに使用するようにＰＣＲＦに通知することを第２のネットワーク側デバイスに命令するか、又は第３のネットワーク側デバイスは、事前に設定された課金ＰＣＣポリシーをＵＥに使用するようにＰＣＲＦに通知する。この場合、ＰＣＲＦはさらにステップＳ１７０６を行う必要がある。
【０４５７】
Ｓ１７０６。ＰＣＲＦが、第２のネットワーク側デバイス又は第３のネットワーク側デバイスによって送信された第４の通知メッセージを受信する。
【０４５８】
第４の通知メッセージは第４の命令情報及びＵＥの識別情報を含む。第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信される。第４の命令情報は、事前に設定された課金ＰＣＣポリシーをＵＥに使用するようにＰＣＲＦに命令するために使用される。事前に設定された課金ＰＣＣポリシーは、第２のネットワーク側デバイス又は第３のネットワーク側デバイスを通って流れるＵＥのデータ・パケットに対して課金するポリシーである。
【０４５９】
具体的には、第４の通知メッセージの形態及び内容は、ステップＳ１３０６の第６の通知メッセージと同じである。
【０４６０】
Ｓ１７０７。ＰＣＲＦが、第４の通知メッセージに従って、事前に設定された課金ＰＣＣポリシーをＵＥに使用する。
【０４６１】
事前に設定された課金ＰＣＣポリシー及びその内容を生成する時間は実際の要件に応じて決定されてよいことに留意されたい。ポリシー及びその内容を生成する時間は、本発明では特に限定されない。
【０４６２】
Ｓ１７０８。ＰＣＲＦが、事前に設定された課金ＰＣＣポリシーを第２のネットワーク側デバイス又は第３のネットワーク側デバイスに送信する。
【０４６３】
ステップＳ１７０４の後、ＵＥがデータ・サービス・スイッチをオンにすると、第１のネットワーク側デバイス又は第３のネットワーク側デバイスは、ＵＥのデータ・サービス・スイッチがオンになっていると判定し、それは、ＵＥを使用しているユーザがデータ・サービスを要求していることを示唆する。第１のネットワーク側デバイスは、データ・サービスを提供するサーバにＵＥへのダウンリンク・データ・パケットの送信を再開するようにＰＣＲＦを使用して通知することを第２のネットワーク側デバイスに命令することができ、又は、第３のネットワーク側デバイスは、ＰＣＲＦを使用して、データ・サービスを提供するサーバにＵＥへのダウンリンク・データ・パケットの送信を再開するように通知することができる。この場合、ＰＣＲＦはさらにステップＳ１７０９を行う必要がある。
【０４６４】
Ｓ１７０９。ＰＣＲＦが、第２のネットワーク側デバイス又は第３のネットワーク側デバイスによって送信された第５の通知メッセージを受信する。
【０４６５】
第５の通知メッセージは第５の命令情報及びＵＥの識別情報を含む。第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信される。第５の命令情報は、データ・サービスを提供するサーバにＵＥへのダウンリンク・データ・パケットの送信を再開するように通知することをＰＣＲＦに命令するために使用される。
【０４６６】
具体的には、第５の通知メッセージの形態及び内容は、ステップＳ１３０８の第８の通知メッセージと同じであり、ここでは繰り返して説明しない。
【０４６７】
ステップＳ１７０６とＳ１７０９は同時に行われても、又は順次行われてもよいことに留意されたい。これは、第２のネットワーク側デバイス又は第３のネットワーク側デバイスが第４の通知メッセージ及び第５の通知メッセージを送信する方式に応じて決まる。図１７は、ステップＳ１７０６とＳ１７０９が順次行われる場合のみを示すが、これは、ＰＣＲＦが第４の通知メッセージ及び第５の通知メッセージを受信する順序を特に限定するものではない。
【０４６８】
実際の応用例では、ステップＳ１７０６で第２のネットワーク側デバイス又は第３のネットワーク側デバイスによって送信され、ＰＣＲＦによって受信される第４の通知メッセージと、ステップＳ１７０９で第２のネットワーク側デバイス又は第３のネットワーク側デバイスによって送信され、ＰＣＲＦによって受信される第５の通知メッセージは、１つの通知メッセージを使用して実現できることに留意されたい。通知メッセージは、事前に設定された課金ＰＣＣポリシーをＵＥに使用するようにＰＣＲＦに命令するために使用される命令情報と、データ・サービスを提供するサーバにＵＥへのダウンリンク・データ・パケットの送信を再開するように通知することをＰＣＲＦに命令するために使用される命令情報と、ＵＥの識別情報とを含む。勿論、事前に設定された課金ＰＣＣポリシーをＵＥに使用するようにＰＣＲＦに命令するために使用される命令情報と、データ・サービスを提供するサーバにＵＥへのダウンリンク・データ・パケットの送信を再開するように通知することをＰＣＲＦに命令するために使用される命令情報も、１つの命令情報を使用して実現することができる。これは本発明では特に限定されない。
【０４６９】
Ｓ１７１０。ＰＣＲＦが、第５の通知メッセージに従って、データ・サービスを提供するサーバに第６の通知メッセージを送信し、その結果、データ・サービスを提供するサーバがＵＥへのダウンリンク・データ・パケットの送信を再開する。
【０４７０】
第６の通知メッセージは第６の命令情報及びＵＥの識別情報を含む。
【０４７１】
具体的には、第６の命令情報は、データ・サービスを提供するサーバにＵＥへのダウンリンク・データ・パケットの送信を再開するように命令するために使用される。第６の命令情報の形態及び第６の命令情報に対応する意味は、前もって通信関係者（すなわちＰＣＲＦとサーバ）によって取り決めておくことができる。
【０４７２】
例えば、第６の命令情報は、コードの形態、例えば「０」又は「１」とすることができる。第６の命令情報は、文字列の形態、例えば「ＹＥＳ」又は「ＮＯ」であってもよい。勿論、第６の命令情報は他の形態で指示されてもよい。これは本発明では特に限定されない。
【０４７３】
第６の命令情報は、コンピュータ言語の形態でデバイスに記憶できることに留意されたい。
【０４７４】
選択的に、第６の命令情報及び第６の命令情報に対応する意味は、通信関係者のデバイスに記憶することができ、例えば、ＰＣＲＦ及びデータ・サービスを提供するサーバに記憶される。
【０４７５】
例えば、表１０を参照すると、表１０は、第６の命令情報と第６の命令情報に対応する意味の対応関係を示している。この対応関係を、表の形態で、ＰＣＲＦ及びデータ・サービスを提供するサーバに記憶することができる。勿論、第６の命令情報と第６の命令情報に対応する意味の対応関係は、他の形態でＰＣＲＦ及びデータ・サービスを提供するサーバに記憶されてもよい。これは本発明では特に限定されない。
【０４７６】
【表１０】
0006514321.tif 000011
【０４７７】
表１０は、説明のために単に例を使用して第６の命令情報と第６の命令情報に対応する意味の対応関係を説明しており、第６の命令情報の形態及び内容を特に限定するものではないことに留意されたい。
【０４７８】
具体的には、ＵＥの識別情報は、ＵＥの一意の識別情報である。ＵＥは、ＵＥの識別情報に従って、一意且つ正確に特定されることが可能である。
【０４７９】
例えば、ＵＥの識別情報は、ＵＥのＩＰアドレスとすることができ、又は、勿論、ＵＥの番号若しくはＵＥを一意に特定可能な別の識別情報であってもよい。これは本発明では特に限定されない。
【０４８０】
例えば、ＵＥ１１の識別情報がＩＰアドレス１１であるとすると、ＰＣＲＦとデータ・サービスを提供するサーバは、「ＢＥＧＩＮ」が第６の命令情報として使用されて、データ・サービスを提供するサーバにＵＥへのダウンリンク・データ・パケットの送信を再開するように命令することを取り決める。第１のネットワーク側デバイスがＵＥ１１のデータ・サービス・スイッチがオフになっていると判定した後に、第１のネットワーク側デバイスがＵＥ１１のデータ・サービス・スイッチがオンになっていると判定した場合、第１のネットワーク側デバイスは、データ・サービスを提供するサーバにＵＥ１１へのダウンリンク・データ・パケットの送信を再開するようにＰＣＲＦを使用して通知することを、第２のネットワーク側デバイスに通知する。ＰＣＲＦは、第２のネットワーク側デバイスによって送信される通知メッセージを受信し、この通知メッセージが使用されて、データ・サービスを提供するサーバにＵＥ１１へのダウンリンク・データ・パケットの送信を再開するように通知することをＰＣＲＦに命令する。ＰＣＲＦは、通知メッセージに従って、通知メッセージＫ、＜ＩＰアドレス１１，ＢＥＧＩＮ＞を、データ・サービスを提供するサーバに送信し、この通知メッセージＫが使用されて、データ・サービスを提供するサーバにＵＥ１１へのダウンリンク・データ・パケットの送信を再開するように命令する。
【０４８１】
本発明のこの実装形態は、データ・サービスを実装する方法を提供し、この方法はＰＣＲＦに適用される。ＰＣＲＦは、第２のネットワーク側デバイス又は第３のネットワーク側デバイスによって送信された第１の通知メッセージ及び第２の通知メッセージを受信し、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、第２の通知メッセージは第２の命令情報及びＵＥの識別情報を含み、第２の命令情報は、データ・サービスを提供するサーバに、UEへのダウンリンク・データ・パケットの送信を中止するように通知することをＰＣＲＦに命令するために使用され、ＰＣＲＦは、第１の通知メッセージに従って、事前に設定された非課金ＰＣＣポリシーをＵＥに使用し、ＰＣＲＦは、事前に設定された非課金ＰＣＣポリシーを第２のネットワーク側デバイス又は第３のネットワーク側デバイスに送信し、ＰＣＲＦは、第２の通知メッセージに従って、データ・サービスを提供するサーバに第３の通知メッセージを送信し、その結果、データ・サービスを提供するサーバは、ＵＥへのダウンリンク・データ・パケットの送信を中止する。第１の通知メッセージ及び第２の通知メッセージは、第１のネットワーク側デバイスがＵＥのデータ・サービス・スイッチがオフになっていると判定すると、第１のネットワーク側デバイスに命令された第２のネットワーク側デバイスによって送信されるか、又は、第３のネットワーク側デバイスがＵＥのデータ・サービス・スイッチがオフになっていると判定すると送信される。したがって、ＵＥのデータ・サービス・スイッチがオフにされた後、ＵＥは課金されず、データ・サービスを提供するサーバは、ＵＥへのダウンリンク・データ・パケットの送信を中止するように命令される。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１４
【０４８２】
本発明の実装形態１４は、データ・サービスを実装するさらに別の方法を提供し、この方法はサーバに適用され、サーバは、ＵＥにデータ・サービスを提供するように構成される。図１８に示すように、この方法は以下のステップを含むことができる。
【０４８３】
Ｓ１８０１。サーバが、ＰＣＲＦによって送信された第１の通知メッセージを受信する。
【０４８４】
第１の通知メッセージは、第１の命令情報及びＵＥの識別情報を含む。第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信される。第１の命令情報は、ＵＥへのダウンリンク・データ・パケットの送信を中止するようにサーバに命令するために使用される。
【０４８５】
具体的には、第１の通知メッセージの形態及び内容は、ステップＳ１７０５の第３の通知メッセージと同じであり、ここでは繰り返し説明しない。
【０４８６】
Ｓ１８０２。サーバが、第１の通知メッセージに従って、ＵＥへのダウンリンク・データ・パケットの送信を中止する。
【０４８７】
ＵＥへのダウンリンク・データ・パケットの送信を中止するとは、第１の通知メッセージが受信された後、第１の通知メッセージに含まれるＵＥの識別情報に対応するＵＥにダウンリンク・データ・パケットが送信されなくなることを意味する。
【０４８８】
例えば、ＵＥ１２が、１００Ｍのサイズのデータ・パケットのダウンロードを要求する。データ・パケットの一部（４０Ｍ）がＵＥ１２に送信されると、第１の通知メッセージが受信され、それ以上ＵＥ１２にダウンリンク・データ・パケットを送信しないようにサーバに命令する。この場合、残りの６０Ｍのデータ・パケットは、それ以上ＵＥ１２に送信されない。
【０４８９】
さらに、ステップＳ１８０２でＵＥへのダウンリンク・データ・パケットの送信を中止した後、上記方法は、ＰＣＲＦによって送信された第２の通知メッセージを受信することをさらに含むことができ、
第２の通知メッセージは、第２の命令情報及びＵＥの識別情報を含み、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の命令情報は、サーバにＵＥへのダウンリンク・データ・パケットの送信を再開するように命令するために使用され、方法は、第２の通知メッセージに従って、ＵＥへのダウンリンク・データ・パケットの送信を再開することを含む。
【０４９０】
具体的には、ＵＥへのダウンリンク・データ・パケットの送信を再開するとは、ＵＥの要求に従って通常通りにＵＥにダウンリンク・データ・パケットを配信することを意味する。
【０４９１】
具体的には、第２の通知メッセージの形態及び内容は、ステップＳ１７１０の第６の通知メッセージと同じであり、ここでは繰り返し説明しない。
【０４９２】
本発明のこの実装形態は、データ・サービスを実装する方法を提供し、この方法はサーバに適用される。サーバは、ＰＣＲＦによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、サーバにＵＥへのダウンリンク・データ・パケットの送信を中止するように命令するために使用され、サーバは、第１の通知メッセージに従って、ＵＥへのダウンリンク・データ・パケットの送信を中止する。第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信されるので、サーバは、ＵＥのデータ・サービス・スイッチがオフにされた後は、ＵＥへのダウンリンク・データ・パケットの送信を中止する。ＵＥのデータ・サービス・スイッチがオフにされた後は、サーバがＵＥへのダウンリンク・データ・パケットの送信を中止するので、これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１５
【０４９３】
本発明の実装形態１５は、データ・サービスを実装するさらに別の方法を提供する。ＥＰＳネットワーク内で、第１のネットワーク側デバイスがＳＧＷであり、ＵＥがユーザ機器Ａであり、第２のネットワーク側デバイスがユーザ機器ＡにサービスするＰＧＷであるとする。ＳＧＷ、ＰＧＷ、ＰＣＲＦ、及びデータ・サービスを提供するサーバの間の対話のプロセスを例として使用して、データ・サービスを実装する方法を詳細に説明する。図１９Ａ、図１９Ｂ、及び図１９Ｃに示すように、方法は以下のステップを含むことができる。
【０４９４】
Ｓ１９０１。ＳＧＷが、ユーザ機器Ａのデータ・サービス・スイッチの状態を判定する。
【０４９５】
例えば、ＳＧＷは、ユーザ機器Ａのデータ・サービス・スイッチの状態を、ユーザ機器Ａによって送信されたアップリンク・データ・パケットが事前に設定された継続時間以内に受信されるかどうかを判定することによって判定する。
【０４９６】
ＳＧＷが、ユーザ機器Ａによって送信されたアップリンク・データ・パケットを事前に設定された継続時間以内に受信しない場合、ＳＧＷは、ユーザ機器Ａのデータ・サービス・スイッチがオフになっていると判定し、ステップＳ１９０２、Ｓ１９０３、及びＳ１９０４を行う。
【０４９７】
Ｓ１９０２。ＳＧＷが、ユーザ機器ＡにサービスしているＰＧＷに通知メッセージ１を送信する。
【０４９８】
通知メッセージ１は、＜ユーザ機器ＡのＩＰ，０＞であり、通知メッセージ１中の「０」は命令情報である。
【０４９９】
例えば、表１１は、命令情報とその命令情報に対応する意味との対応関係であり、これはＳＧＷとＰＧＷによって取り決められている。
【０５００】
【表１１】
0006514321.tif 000012
【０５０１】
表１１から分かるように、通知メッセージ１が使用されて、ＰＧＷを通って流れるユーザ機器Ａのデータ・パケットに対する課金を省略するようにＰＧＷに命令する。
【０５０２】
Ｓ１９０３。ＳＧＷが、ＰＧＷによってユーザ機器Ａに送信されたダウンリンク・データ・パケットを受信すると、ＳＧＷは、ＩＰ管理に使用されるダウンリンク・データ・パケットをユーザ機器Ａに送信し、ＩＰ管理に使用されるダウンリンク・データ・パケット以外のダウンリンク・データ・パケットを破棄する。
【０５０３】
Ｓ１９０４。ＳＧＷが、ユーザ機器ＡにサービスしているＰＧＷに通知メッセージ２を送信する。
【０５０４】
通知メッセージ２は、＜ユーザ機器ＡのＩＰ，ＳＴＯＰ−１＞であり、通知メッセージ２中の「ＳＴＯＰ−１」は命令情報である。
【０５０５】
例えば、表１２は、命令情報とその命令情報に対応する意味との対応関係であり、これはＳＧＷとＰＧＷによって取り決められている。
【０５０６】
【表１２】
0006514321.tif 000013
【０５０７】
表１２から分かるように、通知メッセージ２が使用されて、データ・サービスを提供するサーバにユーザ機器Ａへのダウンリンク・データ・パケットの送信を中止するようにＰＣＲＦを使用して通知することを、ＰＧＷに命令する。
【０５０８】
ステップＳ１９０２、Ｓ１９０３、及びＳ１９０４を行う順序は限定されないことに留意されたい。
【０５０９】
Ｓ１９０５。ＰＧＷが、通知メッセージ１に従ってＰＣＣポリシーを無視し、ＰＧＷを通って流れるユーザ機器Ａのデータ・パケットに対する課金を直接省略する。
【０５１０】
Ｓ１９０６。ＰＧＷが通知メッセージ２に従って、ＰＣＲＦに通知メッセージ３を送信する。
【０５１１】
通知メッセージ３は、＜ユーザ機器ＡのＩＰ，ＳＴＯＰ−２＞であり、通知メッセージ３中の「ＳＴＯＰ−２」は命令情報である。
【０５１２】
例えば、表１３は、命令情報とその命令情報に対応する意味との対応関係であり、これはＰＧＷとＰＣＲＦによって取り決められている。
【０５１３】
【表１３】
0006514321.tif 000014
【０５１４】
表１３から分かるように、通知メッセージ３が使用されて、データ・サービスを提供するサーバにユーザ機器Ａへのダウンリンク・データ・パケットの送信を中止するように通知することを、ＰＣＲＦに命令する。
【０５１５】
Ｓ１９０７。ＰＣＲＦが、通知メッセージ３に従って、データ・サービスを提供するサーバに通知メッセージ４を送信する。
【０５１６】
通知メッセージ４は＜ユーザ機器ＡのＩＰ，ＳＴＯＰ−３＞であり、通知メッセージ４中の「ＳＴＯＰ−３」は命令情報である。
【０５１７】
例えば、表１４は、命令情報とその命令情報に対応する意味との対応関係であり、これはＲＣＲＦとデータ・サービスを提供するサーバによって取り決められている。
【０５１８】
【表１４】
0006514321.tif 000015
【０５１９】
表１４から分かるように、通知メッセージ４が使用されて、データ・サービスを提供するサーバに、ユーザ機器Ａへのダウンリンク・データ・パケットの送信を中止するように命令する。
【０５２０】
Ｓ１９０８。データ・サービスを提供するサーバが、通知メッセージ４に従って、ユーザ機器Ａへのダウンリンク・データ・パケットの送信を中止する。
【０５２１】
さらに、ステップＳ１９０２、Ｓ１９０３、及びＳ１９０４の後で、ＳＧＷが、ユーザ機器Ａによって送信されたアップリンク・データ・パケットを受信した場合、ＳＧＷは、ユーザ機器Ａのデータ・サービス・スイッチがオンになっていると判定する。この場合、方法はステップＳ１９０９〜Ｓ１９１４をさらに含むことができる。
【０５２２】
Ｓ１９０９。ＳＧＷが、ユーザ機器ＡにサービスしているＰＧＷに通知メッセージ５を送信する。
【０５２３】
通知メッセージ５は、＜ユーザ機器ＡのＩＰ，１＞であり、通知メッセージ５中の「１」は命令情報である。
【０５２４】
表１１から分かるように、通知メッセージ５が使用されて、ＰＧＷを通って流れるユーザ機器Ａのデータ・パケットに対して課金するようにＰＧＷに命令する。
【０５２５】
Ｓ１９１０。ＳＧＷが、ＰＧＷによってユーザ機器Ａに送信されたダウンリンク・データ・パケットを受信すると、ＳＧＷは、そのダウンリンク・データ・パケットをユーザ機器Ａに送信する。
【０５２６】
Ｓ１９１１。ＳＧＷが、ユーザ機器ＡにサービスしているＰＧＷに通知メッセージ６を送信する。
【０５２７】
通知メッセージ６は、＜ユーザ機器ＡのＩＰ，ＢＥＧＩＮ−１＞であり、通知メッセージ６中の「ＢＥＧＩＮ−１」は命令情報である。
【０５２８】
表１２から分かるように、通知メッセージ６が使用されて、データ・サービスを提供するサーバにユーザ機器Ａへのダウンリンク・データ・パケットの送信を再開するようにＰＣＲＦを使用して通知することを、ＰＧＷに命令する。
【０５２９】
ステップＳ１９０９、Ｓ１９１０、及びＳ１９１１を行う順序は限定されないことに留意されたい。
【０５３０】
Ｓ１９１２。ＰＧＷが、無視したＰＣＣポリシーを使用し、通知メッセージ５に従って、ＰＧＷを通って流れるユーザ機器Ａのデータ・パケットに対して課金する。
【０５３１】
Ｓ１９１３。ＰＧＷが、通知メッセージ６に従って、ＰＣＲＦに通知メッセージ７を送信する。
【０５３２】
通知メッセージ７は、＜ユーザ機器ＡのＩＰ，ＢＥＧＩＮ−２＞であり、通知メッセージ７中の「ＢＥＧＩＮ−２」は命令情報である。
【０５３３】
表１３から分かるように、通知メッセージ７が使用されて、データ・サービスを提供するサーバにユーザ機器Ａへのダウンリンク・データ・パケットの送信を再開するように通知することをＰＣＲＦに命令する。
【０５３４】
Ｓ１９１４。ＰＣＲＦが、通知メッセージ７に従って、データ・サービスを提供するサーバに通知メッセージ８を送信する。
【０５３５】
通知メッセージ８は、＜ユーザ機器ＡのＩＰ，ＢＥＧＩＮ−３＞であり、通知メッセージ８中の「ＢＥＧＩＮ−３」は命令情報である。
【０５３６】
表１４から分かるように、通知メッセージ８が使用されて、データ・サービスを提供するサーバに、ユーザ機器Ａへのダウンリンク・データ・パケットの送信を再開するように命令する。
【０５３７】
Ｓ１９１５。データ・サービスを提供するサーバが、通知メッセージ８に従って、ユーザ機器Ａへのダウンリンク・データ・パケットの送信を再開する。
【０５３８】
ステップＳ１９０１〜Ｓ１９１５が行われることによりデータ・サービスを実装する方法のプロセスが完了することに留意されたい。前述のステップＳ１９０１〜Ｓ１９１５は、この実装形態で説明されるデータ・サービスを実装する方式の例に過ぎず、それらのステップを行う順序はそれに限定されない。
【０５３９】
本発明のこの実装形態は、データ・サービスを実装する方法を提供する。ＳＧＷが、ＵＥのデータ・サービス・スイッチの状態を、ＵＥによって送信されたアップリンク・データ・パケットが事前に設定された継続時間以内に受信されるかどうかを判定することによって判定し、ＳＧＷが、ＵＥのデータ・サービス・スイッチがオフになっていると判定した場合、ＳＧＷは、ＵＥにサービスしているＰＧＷに第１の通知メッセージを送信し、ＳＧＷが、ＰＧＷによってＵＥに送信されたダウンリンク・データ・パケットを受信すると、ＳＧＷは、ＩＰ管理に使用されるダウンリンク・データ・パケットをＵＥに送信し、ＩＰ管理に使用されるダウンリンク・データ・パケット以外のダウンリンク・データ・パケットを破棄し、第２の通知メッセージをＰＧＷに送信し、ＵＥは、すでにネットワークに登録されたユーザ機器であり、第１の通知メッセージは、第１の命令情報及びＵＥの識別情報を含み、第１の命令情報は、ＰＧＷを通って流れるＵＥのデータ・パケットに対する課金を省略するようにＰＧＷに命令するために使用され、第２の通知メッセージは、第２の命令情報及びＵＥの識別情報を含み、第２の命令情報は、データ・サービスを提供するサーバにＵＥへのダウンリンク・データ・パケットの送信を中止するようにＰＣＲＦを使用して通知することを、ＰＧＷに命令するために使用される。ＳＧＷは、ＵＥによって送信されたアップリンク・データ・パケットが事前に設定された継続時間以内に受信されるかどうかを判定することによって、ＵＥのデータ・サービス・スイッチがオフになっているかどうかを判定し、ＵＥから送信されたアップリンク・データ・パケットが事前に設定された継続時間内に受信されない場合は、ＵＥのデータ・サービス・スイッチがすでにオフになっていると判定する。この場合、ＳＧＷは、ＵＥにサービスしているＰＧＷに、ＰＧＷを通って流れるＵＥのデータ・パケットに対する課金を省略するように命令する。ＰＧＷによってＵＥに送信されたダウンリンク・データ・パケットを受信すると、ＳＧＷは、ＩＰ管理に使用されるダウンリンク・データ・パケットをＵＥに送信し、ＩＰ管理に使用されるダウンリンク・データ・パケット以外のダウンリンク・データ・パケットを破棄し、データ・サービスを提供するサーバにＵＥへのダウンリンク・データ・パケットの送信を中止するようにＰＣＲＦを使用して通知することを、ＰＧＷに命令する。課金を省略し、ＩＰ管理に使用されるダウンリンク・データ・パケット以外のダウンリンク・データ・パケットを破棄するように命令し、データ・サービスを提供するサーバに、ＵＥにダウンリンク・データ・パケットを送信しないように命令することにより、この実装形態は、ＵＥのデータ・サービス・スイッチがオフにされた後にＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１６
【０５４０】
本発明の実装形態１６は、第１のネットワーク側デバイス１０を提供する。第１のネットワーク側デバイス１０は、ｅＮＢ又はＳＧＷとすることができる。図２０を参照すると、第１のネットワーク側デバイス１０は、
少なくとも１つのプロセッサ２００１と、装置間の接続及び相互通信を実現するように構成された少なくとも１つの通信バス２００２と、第１の送信器２００３とを含むことができる。
【０５４１】
通信バス２００２は、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺コンポーネント相互接続（Ｐｅｒｉｐｈｅｒａｌ  Ｃｏｍｐｏｎｅｎｔ，ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バス等とすることができる。バス２００２は、アドレス・バス、データ・バス、制御バスなどとして分類することができる。表現を容易にするために、バスは図２０では太線のみで示しているが、１つのバス又は１種類のバスだけが存在することを意味するものではない。
【０５４２】
プロセッサ２００１は、中央演算処理装置（Ｃｅｎｔｒａｌ  Ｐｒｏｃｅｓｓｉｎｇ  Ｕｎｉｔ，略してＣＰＵ）、若しくは特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）とすることができ、又は本発明のこの実装形態を実装するための１つ又は複数の集積回路として構成される。
【０５４３】
プロセッサ２００１は、ＵＥのデータ・サービス・スイッチの状態を判定するように構成され、ＵＥは、すでにネットワークに登録されたユーザ機器であり、データ・サービス・スイッチの状態は、データ・サービス・スイッチがオンになっていること、又はデータ・サービス・スイッチがオフになっていることを含む。
【０５４４】
第１の送信器２００３は、プロセッサ２００１がＵＥのデータ・サービス・スイッチがオフになっていると判定した場合、第１の通知メッセージを第２のネットワーク側デバイスに送信するように構成され、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、ＵＥのデータ・パケットは、ダウンリンク・データ・パケット、又はアップリンク・データ・パケット及びダウンリンク・データ・パケットを含む。
【０５４５】
さらに、図２１を参照すると、第１のネットワーク側デバイス１０は、
第２のネットワーク側デバイスによってＵＥに送信されたダウンリンク・データ・パケットを受信するように構成された第１の受信器２００４と、
プロセッサ２００１がＵＥのデータ・サービス・スイッチがオフになっていると判定した場合に、第１の受信器２００４が第２のネットワーク側デバイスによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信器２００５とをさらに備えることができる。
【０５４６】
さらに、第１の送信器２００３はさらに、プロセッサ２００１がＵＥのデータ・サービス・スイッチがオフになっていると判定した場合、第２の通知メッセージを第２のネットワーク側デバイスに送信するように構成することができ、第２の通知メッセージは第２の命令情報及びＵＥの識別情報を含み、第２の命令情報は、データ・サービスを提供するサーバにＵＥへのダウンリンク・データ・パケットの送信を中止するようにＰＣＲＦを使用して通知することを、第２のネットワーク側デバイスに命令するために使用される。
【０５４７】
さらに、第１の送信器２００３はさらに、第１の通知メッセージを第２のネットワーク側デバイスに送信した後に、プロセッサ２００１がＵＥのデータ・サービス・スイッチがオンになっていると判定した場合、第３の通知メッセージを第２のネットワーク側デバイスに送信するように構成することができ、第３の通知メッセージは第３の命令情報及びＵＥの識別情報を含み、第３の命令情報は、第２のネットワーク側デバイスを通って流れるＵＥのデータ・パケットに対して課金するように第２のネットワーク側デバイスに命令するために使用される。
【０５４８】
さらに、第２の送信器２００５はさらに、ＩＰ管理に使用されるダウンリンク・データ・パケットをＵＥに送信し、ＩＰ管理に使用されるダウンリンク・データ・パケット以外のダウンリンク・データ・パケットを破棄した後、プロセッサ２００１がＵＥのデータ・サービス・スイッチがオンになっていると判定した場合に、第１の受信器２００４が第２のネットワーク側デバイスによってＵＥに送信されたダウンリンク・データ・パケットを受信すると、そのダウンリンク・データ・パケットをＵＥに送信するように構成することができる。
【０５４９】
さらに、第１の送信器２００３はさらに、第２の通知メッセージを第２のネットワーク側デバイスに送信した後に、プロセッサ２００１がＵＥのデータ・サービス・スイッチがオンになっていると判定した場合、第４の通知メッセージを第２のネットワーク側デバイスに送信するように構成することができ、第４の通知メッセージは第４の命令情報及びＵＥの識別情報を含み、第４の命令情報は、データ・サービスを提供するサーバにＵＥへのダウンリンク・データ・パケットの送信を再開するようにＰＣＲＦを使用して通知することを、第２のネットワーク側デバイスに命令するために使用される。
【０５５０】
さらに、図２１を参照すると、第１のネットワーク側デバイス１０はさらに、
ＵＥによって送信されたアップリンク・データ・パケットを受信するように構成された第２の受信器２００６をさらに備えることができ、
プロセッサ２００１は具体的にはさらに、
第２の受信器２００６が、ＵＥによって送信されたアップリンク・データ・パケットを、事前に設定された継続時間内に受信するかどうかを判定し、事前に設定された継続時間は、ＵＥのハートビート・パケット間隔の継続時間以上であり、
第２の受信器２００６が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信器２００６がＵＥによって送信されたアップリンク・データ・パケットを受信した場合、ＵＥのデータ・サービス・スイッチがオンになっていると判定する、ように構成することができる。
【０５５１】
選択的に、プロセッサ２００１はさらに、
第２の受信器２００６が、ＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信器２００６が、ＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成することができる。
【０５５２】
本発明のこの実装形態は、第１のネットワーク側デバイス１０を提供する。第１のネットワーク側デバイス１０は、ＵＥのデータ・サービス・スイッチの状態を判定し、ＵＥのデータ・サービス・スイッチがオフになっている場合は、第１の通知メッセージを第２のネットワーク側デバイスに送信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用される。第１のネットワーク側デバイス１０は、ＵＥのデータ・サービス・スイッチがオフになっていると判定し、第１の通知メッセージを第２のネットワーク側デバイスに送信して、第２のネットワーク側デバイスを通って流れるＵＥのデータ・パケットに対する課金を省略するように第２のネットワーク側デバイスに命令する。したがって、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１７
【０５５３】
本発明の実装形態１７は、第２のネットワーク側デバイス３０を提供する。第２のネットワーク側デバイスは、ＵＥにサービスするＰＧＷであってよい。図２２を参照すると、第２のネットワーク側デバイス３０は、
少なくとも１つのプロセッサ２２０１と、装置間の接続及び相互通信を実現するように構成された少なくとも１つの通信バス２２０２と、受信器２２０３とを含むことができる。
【０５５４】
通信バス２２０２は、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺コンポーネント相互接続（Ｐｅｒｉｐｈｅｒａｌ  Ｃｏｍｐｏｎｅｎｔ，ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バス等とすることができる。バス２２０２は、アドレス・バス、データ・バス、制御バスなどとして分類することができる。表現を容易にするために、バスは図２２では太線のみで示しているが、１つのバス又は１種類のバスだけが存在することを意味するものではない。
【０５５５】
プロセッサ２２０１は、中央演算処理装置（Ｃｅｎｔｒａｌ  Ｐｒｏｃｅｓｓｉｎｇ  Ｕｎｉｔ，略してＣＰＵ）、若しくは特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）とすることができ、又は本発明のこの実装形態を実装するための１つ又は複数の集積回路として構成される。
【０５５６】
受信器２２０３は、第１のネットワーク側デバイスによって送信された第１の通知メッセージを受信するように構成され、第１の通知メッセージは、第１のネットワーク側デバイスがＵＥのデータ・サービス・スイッチがオフになっていると判定すると、第２のネットワーク側デバイス３０に送信され、第１の通知メッセージは、第１の命令情報及びＵＥの識別情報を含み、第１の命令情報は、第２のネットワーク側デバイス３０を通って流れるＵＥのデータ・パケットに対する課金を省略するように第２のネットワーク側デバイス３０に命令するために使用され、ＵＥのデータ・パケットは、ダウンリンク・データ・パケット、又はアップリンク・データ・パケット及びダウンリンク・データ・パケットを含む。
【０５５７】
プロセッサ２２０１は、受信器２２０３によって受信された第１の通知メッセージに従って、第２のネットワーク側デバイス３０を通って流れるＵＥのデータ・パケットに対する課金を省略するように構成される。
【０５５８】
選択的に、プロセッサ２２０１は、具体的には、
受信器２２０３によって受信された第１の通知メッセージに従ってＰＣＣポリシーを無視し、第２のネットワーク側デバイス３０を通って流れるＵＥのデータ・パケットに対する課金を直接省略するように構成されるか、又は、
図２３を参照すると、第２のネットワーク側デバイス３０は送信器２２０４をさらに備えることができ、この送信器２２０４は、受信器２２０３によって受信された第１の通知メッセージに従って第２の通知メッセージをＰＣＲＦに送信するように構成され、第２の通知メッセージは第２の命令情報及びＵＥの識別情報を含み、第２の命令情報は、事前に設定された非課金ＰＣＣポリシーをＵＥに使用するようにＰＣＲＦに命令するために使用される。
【０５５９】
さらに、受信器２２０３はさらに、
第１のネットワーク側デバイスによって送信された第３の通知メッセージを受信するように構成することができ、第３の通知メッセージは、第１のネットワーク側デバイスがＵＥのデータ・サービス・スイッチがオフになっていると判定すると第２のネットワーク側デバイスに送信され、第３の通知メッセージは第３の命令情報及びＵＥの識別情報を含み、第３の命令情報は、データ・サービスを提供するサーバにＵＥへのダウンリンク・データ・パケットの送信を中止するようにＰＣＲＦを使用して通知することを、第２のネットワーク側デバイスに命令するために使用され、
それに対応して、送信器２２０４はさらに、受信器２２０３によって受信された第３の通知メッセージに従って第４の通知メッセージをＰＣＲＦに送信するように構成することができ、第４の通知メッセージは第４の命令情報及びＵＥの識別情報を含み、第４の命令情報は、データ・サービスを提供するサーバに、UEへのダウンリンク・データ・パケットの送信を中止するように通知することを、ＰＣＲＦに命令するために使用される。
【０５６０】
さらに、受信器２２０３はさらに、
第１のネットワーク側デバイスによって送信された第５の通知メッセージを受信するように構成することができ、第５の通知メッセージは、第１のネットワーク側デバイスが第１の通知メッセージを送信した後に、第１のネットワーク側デバイスがＵＥのデータ・サービス・スイッチがオンになっていると判定した場合に、第２のネットワーク側デバイス３０に送信され、第５の通知メッセージは第５の命令情報及びＵＥの識別情報を含み、第５の命令情報は、第２のネットワーク側デバイス３０を通って流れるＵＥのデータ・パケットに対して課金するように第２のネットワーク側デバイス３０に命令するために使用され、
プロセッサ２２０１はさらに、受信器２２０３によって受信された第５の通知メッセージに従って、第２のネットワーク側デバイス３０を通って流れるＵＥのデータ・パケットに対して課金するように構成することができる。
【０５６１】
さらに、プロセッサ２２０１は具体的には、
無視したＰＣＣポリシーを使用し、受信器２２０３によって受信された第５の通知メッセージに従って、第２のネットワーク側デバイス３０を通って流れるＵＥのデータ・パケットに対して課金するように構成されるか、又は、
送信器２２０４はさらに、受信器２２０３によって受信された第５の通知メッセージに従って第６の通知メッセージをＰＣＲＦに送信するように構成され、第６の通知メッセージは第６の命令情報及びＵＥの識別情報を含み、第６の命令情報は、事前に設定された課金ＰＣＣポリシーをＵＥに使用するようにＰＣＲＦに命令するために使用される。
【０５６２】
さらに、受信器２２０３はさらに、
第１のネットワーク側デバイスによって送信された第７の通知メッセージを受信するように構成することができ、第７の通知メッセージは、第１のネットワーク側デバイスが第３の通知メッセージを送信した後に、第１のネットワーク側デバイスがＵＥのデータ・サービス・スイッチがオンになっていると判定した場合に、第２のネットワーク側デバイス３０に送信され、第７の通知メッセージは第７の命令情報及びＵＥの識別情報を含み、第７の命令情報は、データ・サービスを提供するサーバにＵＥへのダウンリンク・データ・パケットの送信を再開するようにＰＣＲＦを使用して通知することを、第２のネットワーク側デバイス３０に命令するために使用され、
それに対応して、送信器２２０４はさらに、受信器２２０３によって受信された第７の通知メッセージに従って第８の通知メッセージをＰＣＲＦに送信するように構成することができ、第８の通知メッセージは第８の命令情報及びＵＥの識別情報を含み、第８の命令情報は、データ・サービスを提供するサーバにＵＥへのダウンリンク・データ・パケットの送信を再開するように通知することを、ＰＣＲＦに命令するために使用される。
【０５６３】
本発明のこの実装形態は、第２のネットワーク側デバイス３０を提供する。第２のネットワーク側デバイス３０は、第１のネットワーク側デバイスによって送信された第１の通知メッセージを受信し、第１の通知メッセージは、第１の命令情報及びＵＥの識別情報を含み、第１の命令情報は、第２のネットワーク側デバイスを通って流れるＵＥのデータ・パケットに対する課金を省略するように第２のネットワーク側デバイスに命令するために使用され、第２のネットワーク側デバイス３０は、第１の通知メッセージの命令に従って、第２のネットワーク側デバイスを通って流れるＵＥのデータ・パケットに対する課金を省略する。第１の通知メッセージは、第１のネットワーク側デバイスがＵＥのデータ・サービス・スイッチがオフになっていると判定すると送信されるので、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後にＵＥに対して不必要なデータ使用料が発生する可能性があるためにデータ使用の無駄があるという、従来技術の問題を解決する。
実装形態１８
【０５６４】
本発明の実装形態１８は第３のネットワーク側デバイス５０を提供する。第３のネットワーク側デバイス５０は、ＵＥにサービスするＰＧＷであってよい。図２４を参照すると、第３のネットワーク側デバイス５０は、
少なくとも１つのプロセッサ２４０１と、装置間の接続及び相互通信を実現するように構成された少なくとも１つの通信バス２４０２とを含むことができる。
【０５６５】
通信バス２４０２は、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺コンポーネント相互接続（Ｐｅｒｉｐｈｅｒａｌ  Ｃｏｍｐｏｎｅｎｔ，ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バス等とすることができる。バス２４０２は、アドレス・バス、データ・バス、制御バスなどとして分類することができる。表現を容易にするために、バスは図２４では太線のみで示しているが、１つのバス又は１種類のバスだけが存在することを意味するものではない。
【０５６６】
プロセッサ２４０１は、中央演算処理装置（Ｃｅｎｔｒａｌ  Ｐｒｏｃｅｓｓｉｎｇ  Ｕｎｉｔ，略してＣＰＵ）、若しくは特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）とすることができ、又は本発明のこの実装形態を実装するための１つ又は複数の集積回路として構成される。
【０５６７】
プロセッサ２４０１は、ＵＥのデータ・サービス・スイッチの状態を判定するように構成され、ＵＥは、すでにネットワークに登録されたユーザ機器であり、データ・サービス・スイッチの状態は、データ・サービス・スイッチがオンになっていること、又はデータ・サービス・スイッチがオフになっていることを含む。
【０５６８】
プロセッサ２４０１はさらに、ＵＥのデータ・サービスがオフになっている場合、第３のネットワーク側デバイス５０を通って流れるＵＥのデータ・パケットに対する課金を省略するように構成することができる。
【０５６９】
選択的に、プロセッサ２４０１は具体的には、
ＰＣＣポリシーを無視し、第３のネットワーク側デバイス５０を通って流れるＵＥのデータ・パケットに対する課金を直接省略するように構成され、又は、
図２５に示すように、第３のネットワーク側デバイス５０が第１の送信器２４０３をさらに備えることができ、第１の送信器２４０３は、プロセッサ２４０１がＵＥのデータ・サービスがオフになっていると判定した場合、第１の通知メッセージをＰＣＲＦに送信するように構成され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用される。
【０５７０】
さらに、第３のネットワーク側デバイス５０はさらに、
データ・サービスを提供するサーバによってＵＥに送信されたダウンリンク・データ・パケットを受信するように構成された第１の受信器２４０４と、
プロセッサ２４０１がＵＥのデータ・サービス・スイッチがオフになっていると判定した場合に、第１の受信器２４０４が、データ・サービスを提供するサーバによってＵＥに送信されたダウンリンク・データ・パケットを受信すると、ＩＰ管理に使用されるダウンリンク・データ・パケットをＵＥに送信し、ＩＰ管理に使用されるダウンリンク・データ・パケット以外のダウンリンク・データ・パケットを破棄するように構成された第２の送信器２４０５とをさらに備えることができる。
【０５７１】
さらに、第１の送信器２４０３はさらに、プロセッサ２４０１がＵＥのデータ・サービスがオフになっていると判定した場合、第２の通知メッセージをＰＣＲＦに送信するように構成することができ、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用される。
【０５７２】
さらに、プロセッサ２４０１はさらに、
第３のネットワーク側デバイス５０を通って流れるＵＥのデータ・パケットに対する課金を省略した後、プロセッサ２４０１がＵＥのデータ・サービス・スイッチがオンになっていると判定した場合、第３のネットワーク側デバイス５０を通って流れるＵＥのデータ・パケットに対して課金する、ように構成することができる。
【０５７３】
選択的に、プロセッサ２４０１は具体的には、
無視したＰＣＣポリシーを使用して、第３のネットワーク側デバイス５０を通って流れるＵＥのデータ・パケットに対して課金するように構成することができ、又は、
第１の送信器２４０３はさらに、第３の通知メッセージをＰＣＲＦに送信するように構成することができ、第３の通知メッセージは第３の命令情報及びＵＥの識別情報を含み、第３の命令情報は、事前に設定された課金ＰＣＣポリシーをＵＥに使用するようにＰＣＲＦに命令するために使用される。
【０５７４】
さらに、第２の送信器２４０５はさらに、
ＩＰ管理に使用されるダウンリンク・データ・パケットをＵＥに送信し、ＩＰ管理に使用されるダウンリンク・データ・パケット以外のダウンリンク・データ・パケットを破棄した後、プロセッサ２４０１がＵＥのデータ・サービス・スイッチがオンになっていると判定した場合に、第１の受信器２４０４が、データ・サービスを提供するサーバによってＵＥに送信されたダウンリンク・データ・パケットを受信すると、そのダウンリンク・データ・パケットをＵＥに送信する、ように構成することができる。
【０５７５】
さらに、第１の送信器２４０３はさらに、
第２の通知メッセージをＰＣＲＦに送信した後に、プロセッサ２４０１がＵＥのデータ・サービス・スイッチがオンになっていると判定した場合、第４の通知メッセージをＰＣＲＦに送信するように構成することができ、第４の通知メッセージは第４の命令情報及びＵＥの識別情報を含み、第４の命令情報は、データ・サービスを提供するサーバにＵＥへのダウンリンク・データ・パケットの送信を再開するように通知することを、ＰＣＲＦに命令するために使用される。
【０５７６】
さらに、第３のネットワーク側デバイス５０は、
ＵＥによって送信されたアップリンク・データ・パケットを受信するように構成された第２の受信器２４０６をさらに備え、
それに対応して、プロセッサ２４０１は具体的には、
第２の受信器２４０６が、ＵＥによって送信されたアップリンク・データ・パケットを事前に設定された継続時間内に受信するかどうかを判定し、事前に設定された継続時間は、ＵＥのハートビート・パケット間隔の継続時間以上であり、
第２の受信器２４０６が、ＵＥによって送信されたアップリンク・データ・パケットを事前に設定された継続時間内に受信しない場合、ＵＥのデータ・サービス・スイッチがオフになっていると判定し、
ＵＥのデータ・サービス・スイッチがオフになっていると判定した後に、第２の受信器２４０６が、ＵＥによって送信されたアップリンク・データ・パケットを受信した場合、ＵＥのデータ・サービス・スイッチがオンになっていると判定する、ように構成される。
【０５７７】
さらに、プロセッサ２４０１はさらに、
第２の受信器２４０６が、ＵＥによって送信されたアップリンク・データ・パケットを事前に設定された継続時間内に受信した場合、事前に設定された継続時間の計時が終了した後に、事前に設定された継続時間の計時を再度開始するか、又は、
第２の受信器２４０６が、ＵＥによって送信されたアップリンク・データ・パケットを事前に設定された継続時間内に受信した場合、ＵＥによって送信されたアップリンク・データ・パケットを受信した時に、事前に設定された継続時間の計時を再度開始する、ように構成することができる。
【０５７８】
本発明のこの実装形態は、第３のネットワーク側デバイス５０を提供する。第３のネットワーク側デバイス５０は、ＵＥのデータ・サービス・スイッチの状態を判定し、ＵＥのデータ・サービス・スイッチがオフになっている場合は、第３のネットワーク側デバイスを通って流れるＵＥのデータ・パケットに対する課金を省略する。したがって、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態１９
【０５７９】
本発明の実装形態１９は、ポリシー及び課金規則機能ユニット７０を提供する。図２６を参照すると、ポリシー及び課金規則機能ユニット７０は、
少なくとも１つのプロセッサ２６０１と、装置間の接続及び相互通信を実現するように構成された少なくとも１つの通信バス２６０２と、受信器２６０３と、第１の送信器２６０４とを含むことができる。
【０５８０】
通信バス２６０２は、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺コンポーネント相互接続（Ｐｅｒｉｐｈｅｒａｌ  Ｃｏｍｐｏｎｅｎｔ，ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バス等とすることができる。バス２６０２は、アドレス・バス、データ・バス、制御バスなどとして分類することができる。表現を容易にするために、バスは図２６では太線のみで示しているが、１つのバス又は１種類のバスだけが存在することを意味するものではない。
【０５８１】
プロセッサ２６０１は、中央演算処理装置（Ｃｅｎｔｒａｌ  Ｐｒｏｃｅｓｓｉｎｇ  Ｕｎｉｔ，略してＣＰＵ）、若しくは特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）とすることができ、又は本発明のこの実装形態を実装するための１つ又は複数の集積回路として構成される。
【０５８２】
受信器２６０３は、第２のネットワーク側デバイス又は第３のネットワーク側デバイスによって送信された第１の通知メッセージを受信するように構成され、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定すると、ＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ＵＥのデータ・パケットは、ダウンリンク・データ・パケット、又はアップリンク・データ・パケット及びダウンリンク・データ・パケットを含む。
【０５８３】
プロセッサ２６０１は、受信器２６０３によって受信された第１の通知メッセージに従って、事前に設定された非課金ＰＣＣポリシーをＵＥに使用するように構成される。
【０５８４】
第１の送信器２６０４は、事前に設定された非課金ＰＣＣポリシーを第２のネットワーク側デバイス又は第３のネットワーク側デバイスに送信するように構成される。
【０５８５】
さらに、受信器２６０３はさらに、
第２のネットワーク側デバイス又は第３のネットワーク側デバイスによって送信された第２の通知メッセージを受信するように構成することができ、第２の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第２の通知メッセージは、第３のネットワーク側デバイスがＵＥのデータ・サービス・スイッチがオフになっていると判定すると、ＰＣＲＦに送信され、第２の通知メッセージは第２の命令情報及びＵＥの識別情報を含み、第２の命令情報は、データ・サービスを提供するサーバに、UEへのダウンリンク・データ・パケットの送信を中止するように通知することを、ＰＣＲＦに命令するために使用され、
さらに、図２７に示すように、ポリシー及び課金規則機能ユニット７０は第２の送信器２６０５をさらに備えることができ、第２の送信器２６０５は、受信器２６０３によって受信された第２の通知メッセージに従って第３の通知メッセージを、データ・サービスを提供するサーバに送信するように構成され、第３の通知メッセージは第３の命令情報及びＵＥの識別情報を含み、第３の命令情報は、データ・サービスを提供するサーバに、ＵＥへのダウンリンク・データ・パケットの送信を中止するように命令するために使用される。
【０５８６】
さらに、受信器２６０３はさらに、
第２のネットワーク側デバイス又は第３のネットワーク側デバイスによって送信された第４の通知メッセージを受信するように構成することができ、第４の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第４の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第４の通知メッセージは第４の命令情報及びＵＥの識別情報を含み、第４の命令情報は、事前に設定された課金ＰＣＣポリシーをＵＥに使用するようにＰＣＲＦに命令するために使用され、事前に設定された課金ＰＣＣポリシーは、第２のネットワーク側デバイス又は第３のネットワーク側デバイスを通って流れるＵＥのデータ・パケットに対して課金するポリシーである。
【０５８７】
さらに、プロセッサ２６０１はさらに、受信器２６０３によって受信された第４の通知メッセージに従って、事前に設定された課金ＰＣＣポリシーをＵＥに使用するように構成することができる。
【０５８８】
さらに、第１の送信器２６０４はさらに、事前に設定された課金ＰＣＣポリシーを第２のネットワーク側デバイス又は第３のネットワーク側デバイスに送信するように構成することができる。
【０５８９】
さらに、受信器２６０３はさらに、
第２のネットワーク側デバイス又は第３のネットワーク側デバイスによって送信された第５の通知メッセージを受信するように構成することができ、第５の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって送信されるか、又は、第５の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に送信され、第５の通知メッセージは第５の命令情報及びＵＥの識別情報を含み、第５の命令情報は、データ・サービスを提供するサーバにＵＥへのダウンリンク・データ・パケットの送信を再開するように通知することを、ＰＣＲＦに命令するために使用される。
【０５９０】
さらに、第２の送信器２６０５はさらに、受信器２６０３によって受信された第５の通知メッセージに従って、第６の通知メッセージを、データ・サービスを提供するサーバに送信するように構成することができ、第６の通知メッセージは第６の命令情報及びＵＥの識別情報を含み、第６の命令情報は、データ・サービスを提供するサーバに、ＵＥへのダウンリンク・データ・パケットの送信を中止するように命令するために使用される。
【０５９１】
本発明のこの実装形態は、ポリシー及び課金規則機能ユニット７０を提供する。ポリシー及び課金規則機能ユニット７０は、第２のネットワーク側デバイス又は第３のネットワーク側デバイスによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信され、第１の通知メッセージは、第１の命令情報及びＵＥの識別情報を含み、第１の命令情報は、事前に設定された非課金ＰＣＣポリシーをＵＥに使用するようにＰＣＲＦに命令するために使用され、事前に設定された非課金ＰＣＣポリシーは、第２のネットワーク側デバイス又は第３のネットワーク側デバイスを通って流れるＵＥのデータ・パケットに対する課金を省略するポリシーであり、ポリシー及び課金規則機能ユニット７０は、第１の通知メッセージに従って、事前に設定された非課金ＰＣＣポリシーをＵＥに使用し、ポリシー及び課金規則機能ユニット７０は、事前に設定された非課金ＰＣＣポリシーを第２のネットワーク側デバイス又は第３のネットワーク側デバイスに送信する。第１の通知メッセージは、第１のネットワーク側デバイスがＵＥのデータ・サービス・スイッチがオフになっていると判定すると、第１のネットワーク側デバイスに命令された第２のネットワーク側デバイスによってＰＣＲＦに送信されるか、又は、第１の通知メッセージは、第３のネットワーク側デバイスがＵＥのデータ・サービス・スイッチがオフになっていると判定するとＰＣＲＦに送信されるので、ＵＥのデータ・サービス・スイッチがオフにされた後、ＵＥは課金されない。これにより、ＵＥに対する不必要なデータ使用料の発生を回避し、さらにデータ使用の無駄を回避し、また、ＵＥのデータ・サービス・スイッチがオフにされた後に、ＵＥに対して不必要なデータ使用料が発生する可能性があるためにデータ使用の無駄があるという、従来技術の問題を解決する。
実装形態２０
【０５９２】
本発明の実装形態２０はサーバ９０を提供する。サーバ９０は、ＵＥにデータ・サービスを提供するように構成される。図２８を参照すると、サーバ９０は、
少なくとも１つのプロセッサ２８０１と、装置間の接続及び相互通信を実現するように構成された少なくとも１つの通信バス２８０２と、受信器２８０３と、送信器２８０４とを含むことができる。
【０５９３】
通信バス２８０２は、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺コンポーネント相互接続（Ｐｅｒｉｐｈｅｒａｌ  Ｃｏｍｐｏｎｅｎｔ，ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バス等とすることができる。バス２８０２は、アドレス・バス、データ・バス、制御バスなどとして分類することができる。表現を容易にするために、バスは図２８では太線のみで示しているが、１つのバス又は１種類のバスだけが存在することを意味するものではない。
【０５９４】
プロセッサ２８０１は、中央演算処理装置（Ｃｅｎｔｒａｌ  Ｐｒｏｃｅｓｓｉｎｇ  Ｕｎｉｔ，略してＣＰＵ）、若しくは特定用途集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）とすることができ、又は本発明のこの実装形態を実装するための１つ又は複数の集積回路として構成される。
【０５９５】
受信器２８０３は、ＰＣＲＦによって送信された第１の通知メッセージを受信するように構成され、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、サーバ９０に、ＵＥへのダウンリンク・データ・パケットの送信を中止するように命令するために使用される。
【０５９６】
送信器２８０４は、受信器２８０３によって受信された第１の通知メッセージに従って、ＵＥへのダウンリンク・データ・パケットの送信を中止するように構成される。
【０５９７】
さらに、受信器２８０３はさらに、
ＰＣＲＦによって送信された第２の通知メッセージを受信するように構成することができ、第２の通知メッセージは、第１のネットワーク側デバイスがＵＥのデータ・サービス・スイッチがオフになっていると判定した後に、第１のネットワーク側デバイスがＵＥのデータ・サービス・スイッチがオンになっていると判定した場合に、第１のネットワーク側デバイスに命令された第２のネットワーク側デバイスによって、ＰＣＲＦを使用して送信されるか、又は、第２の通知メッセージは、第３のネットワーク側デバイスがＵＥのデータ・サービス・スイッチがオフになっていると判定した後に、第３のネットワーク側デバイスがＵＥのデータ・サービス・スイッチがオンになっていると判定した場合に、ＰＣＲＦを使用して送信され、第２の通知メッセージは第２の命令情報及びＵＥの識別情報を含み、第２の命令情報は、サーバに、ＵＥへのダウンリンク・データ・パケットの送信を再開するように命令するために使用される。
【０５９８】
さらに、送信器２８０４はさらに、受信器２８０３によって受信された第２の通知メッセージに従って、ＵＥへのダウンリンク・データ・パケットの送信を再開するように構成することができる。
【０５９９】
本発明のこの実装形態はサーバ９０を提供する。サーバ９０は、ＰＣＲＦによって送信された第１の通知メッセージを受信し、第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信され、第１の通知メッセージは、第１の命令情報及びＵＥの識別情報を含み、第１の命令情報は、サーバに、ＵＥへのダウンリンク・データ・パケットの送信を中止するように命令するために使用され、サーバ９０は、第１の通知メッセージに従って、ＵＥへのダウンリンク・データ・パケットの送信を中止する。第１の通知メッセージは、第１のネットワーク側デバイスがＵＥのデータ・サービス・スイッチがオフになっていると判定すると、第１のネットワーク側デバイスに命令された第２のネットワーク側デバイスによって、ＰＣＲＦを使用して送信されるか、又は、第１の通知メッセージは、第３のネットワーク側デバイスがＵＥのデータ・サービス・スイッチがオフになっていると判定すると、ＰＣＲＦを使用して送信されるので、サーバは、ＵＥのデータ・サービス・スイッチがオフにされた後は、ＵＥへのダウンリンク・データ・パケットの送信を中止する。サーバは、ＵＥのデータ・サービス・スイッチがオフにされた後は、ＵＥへのダウンリンク・データ・パケットの送信を中止するので、これにより、ＵＥに対する不必要なデータ使用料の発生を回避し、さらにデータ使用の無駄を回避し、また、ＵＥのデータ・サービス・スイッチがオフにされた後にＵＥに対して不必要なデータ使用料が発生する可能性があるためにデータ使用の無駄があるという、従来技術の問題を解決する。
【０６００】
当業者には、説明を利便で簡潔にするために、前述のシステム、装置、及びユニットの詳細な動作プロセスについては、前述の方法実装形態の対応するプロセスを参照することができ、詳細はここでは繰り返し説明しないことが明瞭に理解できよう。
【０６０１】
本願で提供されるいくつかの実装形態では、開示されるシステム、装置、及び方法は他の方式でも実装可能であることを理解されたい。例えば、ここに記載される装置実装形態は例示的なものに過ぎない。例えば、ユニットの分割は、論理的な機能分割に過ぎず、実際の実装では他の分割が可能である。例えば、複数のユニット又はコンポーネントを組み合わせるか、若しくは統合して別のシステムとするか、又は一部の機能を無視する、若しくは行わないことも可能である。また、図示される、又は論じられる相互の結合若しくは直接の結合又は通信接続は、何らかのインターフェースを通じて実装することができる。装置又はユニット間の間接的な結合又は通信接続は、電子形態又は他の形態で実装することができる。
【０６０２】
別個の部分として説明されるユニットは、物理的に別個である場合も、そうでない場合もあり、ユニットとして図示される部分は、物理的なユニットである場合もそうでない場合もあり、また１つの場所にある場合も、又は複数のネットワーク・ユニットに分散される場合もある。ユニットの一部又はすべては、実際の必要性に応じて選択して、実装形態の解決法の目的を達成することができる。
【０６０３】
また、本発明の実装形態における機能ユニットは、統合して１つの処理ユニットにすることができ、若しくはユニットそれぞれが物理的に単独で存在することができ、又は２つ以上のユニットが統合されて１つのユニットとされる。統合されたユニットは、ハードウェアの形態で実装されることも、又はソフトウェア機能ユニットに加えてハードウェアの形態で実装されることも可能である。
【０６０４】
前述の統合ユニットがソフトウェア機能ユニットの形態で実装される場合、統合ユニットは、コンピュータ可読記憶媒体に記憶することができる。ソフトウェア機能ユニットは、記憶媒体に記憶され、コンピュータ・デバイス（パーソナル・コンピュータ、サーバ、又はネットワーク・デバイスである可能性がある）に、本発明の実装形態に記載される方法のステップの一部を行うように命令するいくつかの命令を含む。上述の記憶媒体には、ＵＳＢフラッシュ・ドライブ、取り外し可能ハード・ディスク、読出し専用メモリ（Ｒｅａｄ−Ｏｎｌｙ  Ｍｅｍｏｒｙ，ＲＯＭ）、ランダム・アクセス・メモリ（Ｒａｎｄｏｍ  Ａｃｃｅｓｓ  Ｍｅｍｏｒｙ，ＲＡＭ）、磁気ディスク、又は光学ディスクなど、プログラム・コードを記憶することができる任意の媒体が含まれる。
【０６０５】
最後に、前述の実装形態は本発明の技術的解決法を説明することのみを目的とし、本発明を制限するものではないことに留意されたい。本発明について前述の実装形態を参照して詳細に説明したが、当業者は、本発明の実装形態の技術的解決法の主旨及び範囲から逸脱することなく、前述の実装形態に記載される技術的解決法に変更を加えること、又はその技術的特徴の一部に同等の置き換えを加えることがなお可能であることを理解されたい。
【図１】
0006514321.tif 000016
【図２】
0006514321.tif 000017
【図３】
0006514321.tif 000018
【図４】
0006514321.tif 000019
【図５】
0006514321.tif 000020
【図６】
0006514321.tif 000021
【図７】
0006514321.tif 000022
【図８】
0006514321.tif 000023
【図９】
0006514321.tif 000024
【図１０】
0006514321.tif 000025
【図１１】
0006514321.tif 000026
【図１２】
0006514321.tif 000027
【図１３】
0006514321.tif 000028
【図１４】
0006514321.tif 000029
【図１５】
0006514321.tif 000030
【図１６】
0006514321.tif 000031
【図１７】
0006514321.tif 000032
【図１８】
0006514321.tif 000033
【図１９Ａ】
0006514321.tif 000034
【図１９Ｂ】
0006514321.tif 000035
【図１９Ｃ】
0006514321.tif 000036
【図２０】
0006514321.tif 000037
【図２１】
0006514321.tif 000038
【図２２】
0006514321.tif 000039
【図２３】
0006514321.tif 000040
【図２４】
0006514321.tif 000041
【図２５】
0006514321.tif 000042
【図２６】
0006514321.tif 000043
【図２７】
0006514321.tif 000044
【図２８】
0006514321.tif 000045